(57)【要約】本発明の実施形態は、指紋認識を用いる操作方法、装置、およびモバイル端末を提供し、通信技術の分野に関する。方法は、ユーザによって入力された指紋イベントを獲得するステップと、ユーザによって入力された指紋イベントが、事前に設定された指紋イベントとマッチする場合、少なくとも１つのショートカットを提示するステップと、操作ベクトルを獲得するステップであって、操作ベクトルは、ユーザによってモバイル端末の少なくとも１つの操作コンポーネントを操作することによって生成される、ステップと、操作ベクトルに従って、少なくとも１つのショートカットのうちの第１のショートカットを動作させ、動作結果を提示するステップとを含む。ユーザが、便利に素早くショートカットを動作させることができ、それによって、操作持続時間を短縮し、操作効率性を改善するように、ショートカットが、指紋イベント間のマッチングを実行することによって提示され、動作させられるショートカットは、ユーザによってモバイル端末を操作することによって生成される操作ベクトルに従って決定され、ショートカットが、動作させられ、動作結果が、提示される。
2018518751.tif 000002
【特許請求の範囲】
【請求項１】
モバイル端末に適用される指紋認識を用いる操作方法であって、前記方法は、
ユーザによって入力された指紋イベントを獲得するステップと、
前記ユーザによって入力された前記指紋イベントが事前に設定された指紋イベントとマッチする場合、少なくとも１つのショートカットを提示するステップと、
操作ベクトルを獲得するステップであって、前記操作ベクトルは前記ユーザによって前記モバイル端末の少なくとも１つの操作コンポーネントを操作することによって生成される、該ステップと、
前記操作ベクトルに従って前記少なくとも１つのショートカットのうちの第１のショートカットを動作させ、および動作結果を提示するステップと
を備えたことを特徴とする操作方法。
【請求項２】
前記指紋イベントは前記モバイル端末上の第１の位置において獲得され、前記操作ベクトルは前記第１の位置から開始する前記ユーザによる前記操作コンポーネントの操作によって生成されることを特徴とする請求項１に記載の操作方法。
【請求項３】
前記少なくとも１つの操作コンポーネントは指紋センサであり、前記操作ベクトルは前記指紋センサ上における前記ユーザのスライディング方向を含むことを特徴とする請求項１または２に記載の操作方法。
【請求項４】
前記少なくとも１つの操作コンポーネントはタッチスクリーンであり、前記操作ベクトルは前記タッチスクリーン上における前記ユーザのスライディング方向を含むことを特徴とする請求項１または２に記載の操作方法。
【請求項５】
前記方法は、
前記ユーザによって入力された前記指紋イベントが前記事前に設定された指紋イベントとマッチしない場合、スクリーンロックインターフェースを提示するステップであって、少なくとも１つのショートカットは前記スクリーンロックインターフェース上に提示される、該ステップと、
指紋センサ上における前記ユーザのスライディング方向を獲得するステップと、
前記指紋センサ上における前記ユーザの前記スライディング方向に従って、前記スクリーンロックインターフェース上に提示された前記少なくとも１つのショートカットのうちの第２のショートカットを決定するステップと、
前記第２のショートカットを動作させ、および動作結果を提示するステップと
をさらに含むことを特徴とする請求項１、２、または４に記載の操作方法。
【請求項６】
少なくとも１つのショートカットを提示する前記ステップは、
事前に設定された配置ルールに従って現在提示されている第１のインターフェース上の事前に設定された領域内に、前記少なくとも１つのショートカットを提示するステップ、または
第１のインターフェースから第２のインターフェースへの切り換えを実行し、および事前に設定された配置ルールに従って前記第２のインターフェース上の事前に設定された領域内に、前記少なくとも１つのショートカットを提示するステップであって、前記第１のインターフェースは現在提示されているインターフェースである、該ステップ、または
現在提示されている第１のインターフェース上に一時停止インターフェースを提示し、および事前に設定された配置ルールに従って前記一時停止インターフェース上に前記少なくとも１つのショートカットを提示するステップ
を含むことを特徴とする請求項１ないし５のいずれか１つに記載の操作方法。
【請求項７】
異なる指紋イベントは、異なるショートカットに対応していることを特徴とする請求項１ないし６のいずれか１つに記載の操作方法。
【請求項８】
少なくとも１つのショートカットを提示する前記ステップは、前記事前に設定された配置ルールに従って前記少なくとも１つのショートカットを提示するステップを含み、異なる指紋イベントは異なるショートカット配置ルールに対応していることを特徴とする請求項１ないし６のいずれか１つに記載の操作方法。
【請求項９】
前記配置ルールは、ショートカット数量ルール、ショートカット配置パターンルール、ショートカット配置位置ルール、またはショートカット配置間隔ルールのうちの少なくとも１つを含むことを特徴とする請求項８に記載の操作方法。
【請求項１０】
モバイル端末に適用される指紋認識を用いる操作方法であって、前記方法は、
ユーザによって入力された指紋イベントを獲得するステップと、
前記ユーザによって入力された前記指紋イベントが事前に設定された指紋イベントとマッチしない場合、スクリーンロックインターフェースを提示するステップであって、前記スクリーンロックインターフェースは少なくとも１つのショートカットを含む、該ステップと、
前記指紋センサ上における前記ユーザのスライディング操作を獲得するステップと、
前記指紋センサ上における前記ユーザの前記スライディング操作のスライディング方向に従って、前記スクリーンロックインターフェース上に含まれる前記少なくとも１つのショートカットのうちの第２のショートカットを決定するステップと、
前記第２のショートカットを動作させ、および動作結果を提示するステップと
を備えたことを特徴とする操作方法。
【請求項１１】
前記ショートカットは、アプリケーションプログラムのショートカット、特定の機能のショートカット、または特定のアプリケーションの内部要素のショートカットのうちの少なくとも１つを含むことを特徴とする請求項１０に記載の操作方法。
【請求項１２】
モバイル端末であって、前記モバイル端末は、
ユーザによって入力された指紋イベントを獲得するように構成された入力デバイスと、
前記ユーザによって入力された前記指紋イベントが事前に設定された指紋イベントとマッチする場合、少なくとも１つのショートカットを提示するように構成された出力デバイスと、
操作ベクトルを獲得するように構成された少なくとも１つの操作コンポーネントであって、前記操作ベクトルは前記ユーザによって前記モバイル端末の前記少なくとも１つの操作コンポーネントを操作することによって生成される、該少なくとも１つの操作コンポーネントと、
前記操作ベクトルに従って前記少なくとも１つのショートカットのうちの第１のショートカットを動作させるように構成されたプロセッサと
を備え、
前記出力デバイスは前記プロセッサが前記第１のショートカットを動作させた後、動作結果を提示するようにさらに構成されたことを特徴とするモバイル端末。
【請求項１３】
前記少なくとも１つの操作コンポーネントは前記入力デバイスであり、前記入力デバイスは、第１の位置において前記ユーザによって入力された前記指紋イベントを獲得し、および前記ユーザによって入力され前記第１の位置から開始する前記操作ベクトルを獲得するように特に構成されたことを特徴とする請求項１２に記載のモバイル端末。
【請求項１４】
前記少なくとも１つの操作コンポーネントは指紋センサであり、前記操作ベクトルは前記指紋センサ上における前記ユーザのスライディング方向を含むことを特徴とする請求項１２または１３に記載のモバイル端末。
【請求項１５】
前記少なくとも１つの操作コンポーネントはタッチスクリーンであり、前記操作ベクトルは前記タッチスクリーン上における前記ユーザのスライディング方向を含むことを特徴とする請求項１２または１３に記載のモバイル端末。
【請求項１６】
前記入力デバイスは指紋センサであり、前記出力デバイスは前記ユーザによって入力された前記指紋イベントが事前に設定された指紋イベントとマッチしない場合、スクリーンロックインターフェースを提示するようにさらに構成され、少なくとも１つのショートカットは前記スクリーンロックインターフェース上に提示され、
前記指紋センサは、前記出力デバイスが前記スクリーンロックインターフェースを提示した後、前記指紋センサ上における前記ユーザのスライディング方向を獲得するようにさらに構成され、
前記プロセッサは、前記指紋センサ上における前記ユーザの前記スライディング方向に従って前記スクリーンロックインターフェース上に提示された前記少なくとも１つのショートカットのうちの第２のショートカットを決定し、および前記第２のショートカットを動作させるようにさらに構成され、
前記出力デバイスは、前記プロセッサが前記第２のショートカットを動作させた後、動作結果を提示するようにさらに構成されたことを特徴とする請求項１２、１３、または１５に記載のモバイル端末。
【請求項１７】
前記出力デバイスが少なくとも１つのショートカットを提示することは、
前記出力デバイスが、事前に設定された配置ルールに従って、現在提示されている第１のインターフェース上の事前に設定された領域内に前記少なくとも１つのショートカットを提示すること、または
前記出力デバイスが、第１のインターフェースから第２のインターフェースへの切り換えを実行し、および事前に設定された配置ルールに従って、前記第２のインターフェース上の事前に設定された領域内に前記少なくとも１つのショートカットを提示することであって、前記第１のインターフェースは前記出力デバイスの現在提示されているインターフェースである、該提示すること、または
前記出力デバイスが、現在提示されている第１のインターフェース上に一時停止インターフェースを提示し、および事前に設定された配置ルールに従って前記一時停止インターフェース上に前記少なくとも１つのショートカットを提示すること
を含むことを特徴とする請求項１２ないし１６のいずれか１つに記載のモバイル端末。
【請求項１８】
異なる指紋イベントは、異なるショートカットに対応していることを特徴とする請求項１２ないし１７のいずれか１つに記載のモバイル端末。
【請求項１９】
前記出力デバイスは、前記事前に設定された配置ルールに従って前記少なくとも１つのショートカットを提示するように特に構成され、異なる指紋イベントは異なるショートカット配置ルールに対応していることを特徴とする請求項１２ないし１７のいずれか１つに記載のモバイル端末。
【請求項２０】
前記配置ルールは、ショートカット数量ルール、ショートカット配置パターンルール、ショートカット配置位置ルール、またはショートカット配置間隔ルールのうちの少なくとも１つを含むことを特徴とする請求項１９に記載のモバイル端末。
【請求項２１】
モバイル端末であって、前記モバイル端末は、
指紋センサを使用することによってユーザによって入力された指紋イベントを獲得する
ように構成された指紋センサと、
前記ユーザによって入力された前記指紋イベントが事前に設定された指紋イベントとマッチしない場合、スクリーンロックインターフェースを提示するように構成された出力デバイスであって、前記スクリーンロックインターフェースは、少なくとも１つのショートカットを含む、該出力デバイスと、
前記指紋センサは、前記指紋センサ上における前記ユーザのスライディング操作を獲得するようにさらに構成され、
前記指紋センサ上における前記ユーザの前記スライディング操作のスライディング方向に従って、前記スクリーンロックインターフェース上に含まれる前記少なくとも１つのショートカットのうちの第２のショートカットを決定し、前記第１のショートカットを動作させるように構成されたプロセッサと
を備え、
前記出力デバイスは、前記プロセッサが前記第１のショートカットを動作させた後、動作結果を提示するようにさらに構成されたことを特徴とするモバイル端末。
【請求項２２】
前記ショートカットは、アプリケーションプログラムのショートカット、特定の機能のショートカット、または特定のアプリケーションの内部要素のショートカットのうちの少なくとも１つを含むことを特徴とする請求項２１に記載のモバイル端末。
【請求項２３】
装置であって、前記装置は、
ユーザによって入力された指紋イベントを獲得するように構成された指紋イベント獲得モジュールと、
前記ユーザによって入力された前記指紋イベントが事前に設定された指紋イベントとマッチする場合、少なくとも１つのショートカットを提示するように構成されたショートカット提示モジュールと、
操作ベクトルを獲得するように構成された操作ベクトル獲得モジュールであって、前記操作ベクトルは前記ユーザによってモバイル端末の少なくとも１つの操作コンポーネントを操作することによって生成される、該操作ベクトル獲得モジュールと、
前記操作ベクトルに従って、前記少なくとも１つのショートカットのうちの第１のショートカットを動作させるように構成された動作モジュールと、
前記動作モジュールが前記第１のショートカットを動作させた後、動作結果を提示するように構成された結果提示モジュールと
を備えたことを特徴とする装置。
【請求項２４】
前記指紋イベント獲得モジュールは、前記モバイル端末上の第１の位置において前記ユーザによって入力された前記指紋イベントを獲得するように特に構成され、前記操作ベクトル獲得モジュールは、前記第１の位置から開始する前記ユーザによる前記操作コンポーネントの操作によって生成される前記操作ベクトルを獲得するように特に構成されたことを特徴とする請求項２３に記載の装置。
【請求項２５】
前記少なくとも１つの操作コンポーネントは指紋センサであり、前記操作ベクトルは前記指紋センサ上における前記ユーザのスライディング方向を含むことを特徴とする請求項２３または２４に記載の装置。
【請求項２６】
前記少なくとも１つの操作コンポーネントはタッチスクリーンであり、前記操作ベクトルは前記タッチスクリーン上における前記ユーザのスライディング方向を含むことを特徴とする請求項２３または２４に記載の装置。
【請求項２７】
前記装置は、前記ユーザによって入力された前記指紋イベントが前記事前に設定された指紋イベントとマッチしない場合、スクリーンロックインターフェースを提示するように構成された第３のスクリーンロック提示モジュールであって、少なくとも１つのショートカットが前記スクリーンロックインターフェース上に提示される、該第３のスクリーンロック提示モジュールをさらに備え、
前記操作ベクトル獲得モジュールは、指紋センサ上における前記ユーザのスライディング方向を獲得するようにさらに構成され、
前記動作モジュールは、前記指紋センサ上における前記ユーザの前記スライディング方向に従って、前記スクリーンロックインターフェース上に提示された前記少なくとも１つのショートカットのうちの第２のショートカットを決定し、および前記第２のショートカットを動作させるようにさらに構成され、
前記結果提示モジュールは、前記動作モジュールが前記第２のショートカットを動作させた後、動作結果を提示するようにさらに構成されたことを特徴とする請求項２３、２４、または２６に記載の装置。
【請求項２８】
前記ショートカット提示モジュールが少なくとも１つのショートカットを提示することは、
前記ショートカット提示モジュールが、事前に設定された配置ルールに従って現在提示されている第１のインターフェース上の事前に設定された領域内に、前記少なくとも１つのショートカットを提示すること、または
前記ショートカット提示モジュールが、第１のインターフェースから第２のインターフェースへの切り換えを実行し、および事前に設定された配置ルールに従って前記第２のインターフェース上の事前に設定された領域内に、前記少なくとも１つのショートカットを提示することであって、前記第１のインターフェースは現在提示されているインターフェースである、該提示すること、または
前記ショートカット提示モジュールが、現在提示されている第１のインターフェース上に一時停止インターフェースを提示し、および事前に設定された配置ルールに従って前記一時停止インターフェース上に、前記少なくとも１つのショートカットを提示すること
を含むことを特徴とする請求項２３ないし２７のいずれか１つに記載の装置。
【請求項２９】
前記指紋イベント獲得モジュールによって獲得される異なる指紋イベントは、異なるショートカットに対応していることを特徴とする請求項２３ないし２８のいずれか１つに記載の装置。
【請求項３０】
前記ショートカット提示モジュールは、前記事前に設定された配置ルールに従って前記少なくとも１つのショートカットを提示するように特に構成され、前記指紋イベント獲得モジュールによって獲得される異なる指紋イベントは、異なるショートカット配置ルールに対応していることを特徴とする請求項２３ないし２８のいずれか１つに記載の装置。
【請求項３１】
前記配置ルールは、ショートカット数量ルール、ショートカット配置パターンルール、ショートカット配置位置ルール、またはショートカット配置間隔ルールのうちの少なくとも１つを含むことを特徴とする請求項３０に記載の装置。
【請求項３２】
モバイル端末の装置であって、前記装置は、
ユーザによって入力された指紋イベントを獲得するように構成された指紋イベント獲得モジュールと、
前記ユーザによって入力された前記指紋イベントが事前に設定された指紋イベントとマッチしない場合、スクリーンロックインターフェースを提示するように構成されたスクリーンロック提示モジュールであって、前記スクリーンロックインターフェースは少なくとも１つのショートカットを含む、該スクリーンロック提示モジュールと、
指紋センサ上における前記ユーザのスライディング操作を獲得するように構成されたスライディング操作獲得モジュールと、
前記指紋センサ上における前記ユーザの前記スライディング操作のスライディング方向に従って、前記スクリーンロックインターフェース上に含まれる前記少なくとも１つのショートカットのうちの第１のショートカットを決定するように構成された決定モジュールと、
前記第１のショートカットを動作させるように構成された動作モジュールと、
前記動作モジュールが前記第１のショートカットを動作させた後、動作結果を提示するように構成された結果提示モジュールと
を備えたことを特徴とする装置。
【請求項３３】
前記スクリーンロック提示モジュールによって提示される前記スクリーンロックインターフェース上における前記ショートカットは、アプリケーションプログラムのショートカット、特定の機能のショートカット、または特定のアプリケーションの内部要素のショートカットのうちの少なくとも１つを含むことを特徴とする請求項３２に記載の装置。
【請求項３４】
コンピュータ記憶媒体はプログラムを記憶してよく、前記プログラムは、請求項１ないし９のいずれか１つに記載のステップを実行することを特徴とするコンピュータ記憶媒体。
【請求項３５】
コンピュータ記憶媒体はプログラムを記憶してよく、前記プログラムは、請求項１０または１１に記載のステップを実行することを特徴とするコンピュータ記憶媒体。
【請求項３６】
モバイル端末に適用される指紋認識を用いる操作方法であって、前記方法は、
スクリーンロックインターフェースを提示するステップと、
ユーザによって入力された指紋イベントを獲得するステップと、
前記ユーザによって入力された前記指紋イベントが事前に設定された指紋イベントとマッチする場合、アンロッキング操作を実行し、および前記アンロッキング後に、事前に設定された配置ルールに従って、少なくとも１つのショートカットを提示するステップと、
操作ベクトルを獲得するステップであって、前記操作ベクトルは、前記ユーザによって前記モバイル端末の少なくとも１つの操作コンポーネントを操作することによって生成される、該ステップと、
前記操作ベクトルに従って、前記少なくとも１つのショートカットのうちの第１のショートカットを動作させ、および動作結果を提示するステップと
を備えたことを特徴とする操作方法。
【請求項３７】
モバイル端末に適用される、指紋認識を用いる操作方法であって、前記方法は、
アンロックインターフェースを提示するステップと、
ユーザによって入力された指紋イベントを獲得するステップと、
前記ユーザによって入力された前記指紋イベントが事前に設定された指紋イベントとマッチする場合、前記スクリーンロックインターフェース上に少なくとも１つのショートカットを提示するステップと、
操作ベクトルを獲得するステップであって、前記操作ベクトルは前記ユーザによって前記モバイル端末の少なくとも１つの操作コンポーネントを操作することによって生成される、該ステップと、
前記操作ベクトルに従って前記少なくとも１つのショートカットのうちの第１のショートカットを動作させ、および前記スクリーンロックインターフェース上に動作結果を提示するステップ、または
前記操作ベクトルに従って前記少なくとも１つのショートカットのうちの第１のショートカットを動作させ、および動作結果をアンロック状態で提示するステップと
を備えたことを特徴とする操作方法。
【請求項３８】
モバイル端末に適用される指紋認識を用いる操作方法であって、前記方法は、
前記モバイル端末によってスクリーンオフ状態を提示するステップと、
ユーザによって入力された指紋イベントを獲得するステップと、
前記ユーザによって入力された前記指紋イベントが事前に設定された指紋イベントとマッチする場合、前記モバイル端末によって、スクリーンを明るくし、少なくとも１つのショートカットを提示するステップと、
操作ベクトルを獲得するステップであって、前記操作ベクトルは前記ユーザによって前記モバイル端末の少なくとも１つの操作コンポーネントを操作することによって生成される、該ステップと、
前記操作ベクトルに従って前記少なくとも１つのショートカットのうちの第１のショートカットを動作させ、および動作結果を提示するステップと
を備えたことを特徴とする操作方法。
【請求項３９】
１または複数のプロセッサと、メモリと、複数のアプリケーションプログラムと、１または複数のプログラムとを備え、前記１または複数のプログラムは、前記メモリ内に記憶され、前記１または複数のプロセッサによって実行されるように構成され、前記１または複数のプログラムは、請求項１ないし９のいずれか１つに記載の前記方法を実行するために使用される命令を含むことを特徴とするモバイル端末。
【請求項４０】
１または複数のプロセッサと、メモリと、複数のアプリケーションプログラムと、１または複数のプログラムとを備え、前記１または複数のプログラムは、前記メモリ内に記憶され、前記１または複数のプロセッサによって実行されるように構成され、前記１または複数のプログラムは、請求項１０または１１に記載の前記方法を実行するために使用される命令を含むことを特徴とするモバイル端末。
【請求項４１】
複数のアプリケーションプログラムと、請求項１ないし９のいずれか１つに記載の前記方法を実行するように構成された装置とを備えたことを特徴とするモバイル端末。
【請求項４２】
複数のアプリケーションプログラムと、請求項１０または１１に記載の前記方法を実行するように構成された装置とを備えたことを特徴とするモバイル端末。
【発明の詳細な説明】
【技術分野】
【０００１】
本発明の実施形態は、通信技術の分野に関し、詳細には、指紋認識を用いる操作方法、装置、およびモバイル端末に関する。
【背景技術】
【０００２】
モバイルインターネットの発展に伴い、モバイル端末は、ますます普及を見せており、人々の生活および仕事の欠くことのできない一部になっている。既存のモバイル端末設計において、いくつかのモバイル端末は、指紋認識機能を有する。指紋認識は、異なる指紋の詳細な特徴を比較することによって、認識を実行することを意味する。人は異なる指紋を有するので、指紋は、アイデンティティ認証のために使用されることができる。指紋は、モバイル端末内に事前に記憶される。オペレータがモバイル端末を操作するとき、オペレータの指紋が、指紋コレクタを使用することによって収集され、事前に記憶された指紋と比較される。２つの指紋がマッチする場合、オペレータは、モバイル端末を操作することを許可される。先行技術においては、指紋認識技術は、ユーザのアイデンティティを認識するために、すなわち、指紋を使用することによってアイデンティティ認証を実行するために主に使用される。アイデンティティ認証が成功した後、ユーザが、モバイル端末上において後続の操作を実行するとき、ユーザとモバイル端末との間において複数回の対話が、依然として必要とされ、複雑な操作処理の原因となる。
【発明の概要】
【０００３】
本発明の実施形態は、以下の技術的問題、すなわち、既存のモバイル端末は、ユーザの指紋を認識し、ユーザのアイデンティティを認証することができた後、複数回の対話が、ユーザとモバイル端末との間において実行されることを依然として必要とし、モバイル端末の相対的に低い操作効率の原因となることを解決するために、指紋認識を用いる操作方法、装置、およびモバイル端末を提供する。
【０００４】
第１の態様に従えば、本発明の実施形態は、モバイル端末に適用される、指紋認識を用いる操作方法を提供する。第１の可能な実施においては、方法は、ユーザによって入力された指紋イベントを獲得するステップと、ユーザによって入力された指紋イベントが、事前に設定された指紋イベントとマッチする場合、少なくとも１つのショートカットを提示するステップと、操作ベクトルを獲得するステップであって、操作ベクトルは、ユーザによってモバイル端末の少なくとも１つの操作コンポーネントを操作することによって生成される、ステップと、操作ベクトルに従って、少なくとも１つのショートカットのうちの第１のショートカットを動作させ、動作結果を提示するステップとを含む。
【０００５】
第１の態様の第１の可能な実施を参照すると、第２の可能な実施においては、少なくとも１つの操作コンポーネントは、指紋センサであり、ユーザによってモバイル端末の少なくとも１つの操作コンポーネントを操作することによって生成される操作ベクトルを獲得するステップは、指紋センサ上におけるユーザのスライディング方向を獲得するステップを含み、操作ベクトルに従って、少なくとも１つのショートカットのうちの第１のショートカットを動作させるステップは、指紋センサ上におけるユーザのスライディング方向に従って、少なくとも１つのショートカットのうちの第１のショートカットを決定するステップと、第１のショートカットを動作させるステップとを含む。すなわち、この実施においては、操作ベクトルは、指紋センサ上におけるユーザのスライディング方向を含む。
【０００６】
第１の態様の第１の可能な実施を参照すると、第３の可能な実施においては、少なくとも１つの操作コンポーネントは、タッチスクリーンであり、ユーザによってモバイル端末の少なくとも１つの操作コンポーネントを操作することによって生成される操作ベクトルを獲得するステップは、タッチスクリーン上におけるユーザのスライディング方向を獲得するステップを含み、操作ベクトルに従って、少なくとも１つのショートカットのうちの第１のショートカットを動作させるステップは、タッチスクリーン上におけるユーザのスライディング方向に従って、少なくとも１つのショートカットのうちの第１のショートカットを決定するステップと、第１のショートカットを動作させるステップとを含む。すなわち、この実施においては、操作ベクトルは、タッチスクリーン上におけるユーザのスライディング方向を含む。
【０００７】
第１の態様の第１ないし第３の可能な実施のいずれか１つを参照すると、第４の可能な実施においては、ユーザによって入力された指紋イベントを獲得する前に、方法は、スクリーンロックインターフェースを提示するステップをさらに含み、ユーザによって入力された指紋イベントが、事前に設定された指紋イベントとマッチする場合、少なくとも１つのショートカットを提示するステップは、ユーザによって入力された指紋イベントが、事前に設定された指紋イベントとマッチする場合、アンロッキング操作を実行するステップと、アンロッキング後に、事前に設定された配置ルールに従って、少なくとも１つのショートカットを提示するステップとを含む。
【０００８】
第１の態様の第１ないし第３の可能な実施のいずれか１つを参照すると、第５の可能な実施においては、ユーザによって入力された指紋イベントを獲得する前に、方法は、スクリーンロックインターフェースを提示するステップをさらに含み、ユーザによって入力された指紋イベントが、事前に設定された指紋イベントとマッチする場合、少なくとも１つのショートカットを提示するステップは、ユーザによって入力された指紋イベントが、事前に設定された指紋イベントとマッチする場合、スクリーンロックインターフェース上に少なくとも１つのショートカットを提示するステップを含み、操作ベクトルに従って、少なくとも１つのショートカットのうちの第１のショートカットを動作させ、動作結果を提示するステップは、操作ベクトルに従って、少なくとも１つのショートカットのうちの第１のショートカットを動作させ、スクリーンロックインターフェース上に動作結果を提示するステップ、または操作ベクトルに従って、少なくとも１つのショートカットのうちの第１のショートカットを動作させ、動作結果をアンロック状態で提示するステップを含む。
【０００９】
第１の態様の第１ないし第３の可能な実施のいずれか１つを参照すると、第６の可能な実施においては、ユーザによって入力された指紋イベントを獲得する前に、方法は、モバイル端末によって、スクリーンオフ状態を提示するステップをさらに含み、ユーザによって入力された指紋イベントが、事前に設定された指紋イベントとマッチする場合、少なくとも１つのショートカットを提示するステップは、ユーザによって入力された指紋イベントが、事前に設定された指紋イベントとマッチする場合、モバイル端末によって、スクリーンを明るくするステップと、少なくとも１つのショートカットを提示するステップとを含む。
【００１０】
第１の態様の第１ないし第６の可能な実施のいずれか１つを参照すると、第７の可能な実施においては、方法は、ユーザによって入力された指紋イベントが、事前に設定された指紋イベントとマッチしない場合、スクリーンロックインターフェースを提示するステップであって、少なくとも１つのショートカットは、スクリーンロックインターフェース上に提示される、ステップと、指紋センサ上におけるユーザのスライディング方向を獲得するステップと、指紋センサ上におけるユーザのスライディング方向に従って、スクリーンロックインターフェース上に提示された少なくとも１つのショートカットのうちの第２のショートカットを決定するステップと、第２のショートカットを動作させ、動作結果を提示するステップとをさらに含む。
【００１１】
第１の態様の第１ないし第７の可能な実施のいずれか１つを参照すると、第８の可能な実施においては、少なくとも１つのショートカットを提示するステップは、事前に設定された配置ルールに従って、現在提示されている第１のインターフェース上の事前に設定された領域内に、少なくとも１つのショートカットを提示するステップ、または第１のインターフェースから第２のインターフェースへの切り換えを実行し、事前に設定された配置ルールに従って、第２のインターフェース上の事前に設定された領域内に、少なくとも１つのショートカットを提示するステップであって、第１のインターフェースは、現在提示されているインターフェースである、ステップ、または現在提示されている第１のインターフェース上に一時停止インターフェースを提示し、事前に設定された配置ルールに従って、一時停止インターフェース上に、少なくとも１つのショートカットを提示するステップを含む。
【００１２】
第１の態様の第１ないし第８の可能な実施のいずれか１つを参照すると、第９の可能な実施においては、少なくとも１つのショートカットを提示した後、方法は、ユーザによってモバイル端末の少なくとも１つの操作コンポーネントを操作することによって生成される操作ベクトルが、事前に設定された持続時間内に獲得されないとき、スクリーンロックインターフェースを提示するステップ、またはユーザによってモバイル端末の少なくとも１つの操作コンポーネントを操作することによって生成される操作ベクトルが、事前に設定された持続時間内に獲得されないとき、システムアプリケーションインターフェースを提示するステップをさらに含む。
【００１３】
第１の態様の第１ないし第９の可能な実施のいずれか１つを参照すると、第１０の可能な実施においては、ユーザによって入力された指紋イベントを獲得するステップは、ユーザによって入力された指紋を獲得するステップ、またはユーザによって入力された第１の指紋ジェスチャを獲得するステップであって、第１の指紋ジェスチャは、特定の指紋を使用することによって指紋センサ上においてユーザによって実行される、タップ操作、ダブルタップ操作、タッチアンドホールド操作、もしくはスライディング操作のうちの少なくとも１つである、ステップ、またはユーザによって入力された第２の指紋ジェスチャを獲得するステップであって、第２の指紋ジェスチャは、特定の指紋を使用することによってユーザによって指紋センサをトリガすることによって生成される操作と、ユーザによって別の操作コンポーネントをトリガすることによって生成される操作との組み合わせである、ステップを含む。
【００１４】
第１の態様の第１ないし第１０の可能な実施のいずれか１つを参照すると、第１１の可能な実施においては、異なる指紋イベントは、異なるショートカットに対応している。
【００１５】
第１の態様の第１ないし第１０の可能な実施のいずれか１つを参照すると、第１２の可能な実施においては、少なくとも１つのショートカットを提示するステップは、事前に設定された配置ルールに従って、少なくとも１つのショートカットを提示するステップを含み、異なる指紋イベントは、異なるショートカット配置ルールに対応している。
【００１６】
第１の態様の第２の可能な実施を参照すると、第１３の可能な実施においては、配置ルールは、ショートカット数量ルール、ショートカット配置パターンルール、ショートカット配置位置ルール、またはショートカット配置間隔ルールのうちの少なくとも１つを含む。
【００１７】
第１の態様の第１ないし第１３の可能な実施のいずれか１つを参照すると、第１４の可能な実施においては、ショートカットは、アプリケーションプログラムのショートカット、特定の機能のショートカット、または特定のアプリケーションの内部要素のショートカットのうちの少なくとも１つを含む。
【００１８】
第１の態様の第１ないし第１４の可能な実施のいずれか１つを参照すると、第１５の可能な実施においては、指紋イベントは、モバイル端末上の第１の位置において獲得され、操作ベクトルは、第１の位置から開始するユーザによる操作コンポーネントの操作によって生成される。
【００１９】
第２の態様に従えば、本発明の実施形態は、モバイル端末に適用される、指紋認識を用いる操作方法を提供する。第１の可能な実施においては、方法は、ユーザによって入力された指紋イベントを獲得するステップと、ユーザによって入力された指紋イベントが、事前に設定された指紋イベントとマッチしない場合、スクリーンロックインターフェースを提示するステップであって、スクリーンロックインターフェースは、少なくとも１つのショートカットを含む、ステップと、指紋センサ上におけるユーザのスライディング操作を獲得するステップと、指紋センサ上におけるユーザのスライディング操作のスライディング方向に従って、スクリーンロックインターフェース上に含まれる少なくとも１つのショートカットのうちの第２のショートカットを決定するステップと、第２のショートカットを動作させ、動作結果を提示するステップとを含む。
【００２０】
第２の態様の第１の可能な実施を参照すると、第２の可能な実施においては、ショートカットは、アプリケーションプログラムのショートカット、特定の機能のショートカット、または特定のアプリケーションの内部要素のショートカットのうちの少なくとも１つを含む。
【００２１】
第３の態様に従えば、本発明の実施形態は、モバイル端末を提供する。第１の可能な実施においては、モバイル端末は、ユーザによって入力された指紋イベントを獲得するように構成された、入力デバイスと、ユーザによって入力された指紋イベントが、事前に設定された指紋イベントとマッチする場合、少なくとも１つのショートカットを提示するように構成された、出力デバイスと、操作ベクトルを獲得するように構成された、少なくとも１つの操作コンポーネントであって、操作ベクトルは、ユーザによってモバイル端末の少なくとも１つの操作コンポーネントを操作することによって生成される、少なくとも１つの操作コンポーネントと、操作ベクトルに従って、少なくとも１つのショートカットのうちの第１のショートカットを動作させるように構成された、プロセッサとを含み、出力デバイスは、プロセッサが第１のショートカットを動作させた後、動作結果を提示するようにさらに構成される。
【００２２】
第３の態様の第１の可能な実施を参照すると、第２の可能な実施においては、少なくとも１つの操作コンポーネントは、指紋センサであり、少なくとも１つの操作コンポーネントが、ユーザによってモバイル端末を操作することによって入力された操作ベクトルを獲得するように構成されることは、特に、指紋センサが、指紋センサ上におけるユーザのスライディング方向を獲得するように構成されることであり、プロセッサは、指紋センサ上におけるユーザのスライディング方向に従って、少なくとも１つのショートカットのうちの第１のショートカットを決定し、第１のショートカットを動作させるように特に構成される。すなわち、操作ベクトルは、指紋センサ上におけるユーザのスライディング方向を含む。
【００２３】
第３の態様の第１の可能な実施を参照すると、第３の可能な実施においては、少なくとも１つの操作コンポーネントは、タッチスクリーンであり、少なくとも１つの操作コンポーネントが、ユーザによってモバイル端末を操作することによって入力された操作ベクトルを獲得するように構成されることは、特に、タッチスクリーンが、タッチスクリーン上におけるユーザのスライディング方向を獲得するように構成されることであり、プロセッサは、タッチスクリーン上におけるユーザのスライディング方向に従って、少なくとも１つのショートカットのうちの第１のショートカットを決定し、第１のショートカットを動作させるように特に構成される。すなわち、操作ベクトルは、タッチスクリーン上におけるユーザのスライディング方向を含む。
【００２４】
第３の態様の第１ないし第３の可能な実施のいずれか１つを参照すると、第４の可能な実施においては、出力デバイスは、入力デバイスがユーザによって入力された指紋イベントを獲得する前に、スクリーンロックインターフェースを提示するようにさらに構成され、プロセッサは、ユーザによって入力された指紋イベントが、事前に設定された指紋イベントとマッチする場合、アンロッキング操作を実行するようにさらに構成され、出力デバイスは、プロセッサがアンロッキング操作を実行した後、少なくとも１つのショートカットを提示するように特に構成される。
【００２５】
第３の態様の第１ないし第３の可能な実施のいずれか１つを参照すると、第５の可能な実施においては、出力デバイスは、入力デバイスがユーザによって入力された指紋イベントを獲得する前に、スクリーンロックインターフェースを提示するようにさらに構成され、出力デバイスは、ユーザによって入力された指紋イベントが、事前に設定された指紋イベントとマッチする場合、スクリーンロックインターフェース上に少なくとも１つのショートカットを提示するように特に構成され、出力デバイスは、プロセッサが少なくとも１つのショートカットのうちの第１のショートカットを動作させた後、スクリーンロックインターフェース上に動作結果を提示するように特に構成される。
【００２６】
第３の態様の第１ないし第３の可能な実施のいずれか１つを参照すると、第６の可能な実施においては、出力デバイスは、入力デバイスがユーザによって入力された指紋イベントを獲得する前に、スクリーンオフ状態を提示するようにさらに構成され、出力デバイスは、ユーザによって入力された指紋イベントが、事前に設定された指紋イベントとマッチする場合、電源オン操作を実行し、スクリーンを明るくし、少なくとも１つのショートカットを提示するように特に構成される。
【００２７】
第３の態様の第１ないし第６の可能な実施のいずれか１つを参照すると、第７の可能な実施においては、入力デバイスは、指紋センサであり、出力デバイスは、ユーザによって入力された指紋イベントが、事前に設定された指紋イベントとマッチしない場合、スクリーンロックインターフェースを提示するようにさらに構成され、少なくとも１つのショートカットは、スクリーンロックインターフェース上に提示され、指紋センサは、出力デバイスがスクリーンロックインターフェースを提示した後、指紋センサ上におけるユーザのスライディング方向を獲得するようにさらに構成され、プロセッサは、指紋センサ上におけるユーザのスライディング方向に従って、スクリーンロックインターフェース上に提示された少なくとも１つのショートカットのうちの第２のショートカットを決定し、第２のショートカットを動作させるようにさらに構成され、出力デバイスは、プロセッサが第２のショートカットを動作させた後、動作結果を提示するようにさらに構成される。
【００２８】
第３の態様の第１ないし第７の可能な実施のいずれか１つを参照すると、第８の可能な実施においては、出力デバイスが少なくとも１つのショートカットを提示することは、出力デバイスが、事前に設定された配置ルールに従って、現在提示されている第１のインターフェース上の事前に設定された領域内に、少なくとも１つのショートカットを提示すること、または出力デバイスが、第１のインターフェースから第２のインターフェースへの切り換えを実行し、事前に設定された配置ルールに従って、第２のインターフェース上の事前に設定された領域内に、少なくとも１つのショートカットを提示することであって、第１のインターフェースは、出力デバイスの現在提示されているインターフェースである、提示すること、または出力デバイスが、現在提示されている第１のインターフェース上に一時停止インターフェースを提示し、事前に設定された配置ルールに従って、一時停止インターフェース上に、少なくとも１つのショートカットを提示することを含む。
【００２９】
第３の態様の第１ないし第８の可能な実施のいずれか１つを参照すると、第９の可能な実施においては、出力デバイスは、少なくとも１つのショートカットを提示した後、少なくとも１つの操作コンポーネントが、事前に設定された持続時間内に、ユーザによってモバイル端末を操作することによって入力される操作ベクトルを獲得しない場合、スクリーンロックインターフェースを提示するようにさらに構成され、または出力デバイスは、少なくとも１つのショートカットを提示した後、少なくとも１つの操作コンポーネントが、事前に設定された持続時間内に、ユーザによってモバイル端末を操作することによって入力される操作ベクトルを獲得しない場合、システムアプリケーションインターフェースを提示するようにさらに構成される。
【００３０】
第３の態様の第１ないし第９の可能な実施のいずれか１つを参照すると、第１０の可能な実施においては、入力デバイスは、指紋センサを含み、入力デバイスが、ユーザによって入力された指紋イベントを獲得することは、指紋センサが、ユーザによって入力された指紋を獲得すること、または指紋センサが、ユーザによって入力された第１の指紋ジェスチャを獲得することであって、第１の指紋ジェスチャは、特定の指紋を使用することによって指紋センサ上においてユーザによって実行される、タップ操作、ダブルタップ操作、タッチアンドホールド操作、もしくはスライディング操作のうちの少なくとも１つである、獲得すること、または入力デバイスが、ユーザによって入力された第２の指紋ジェスチャを獲得することであって、第２の指紋ジェスチャは、特定の指紋を使用することによってユーザによって指紋センサをトリガすることによって生成される操作と、ユーザによって別の操作コンポーネントをトリガすることによって生成される操作との組み合わせである、獲得することを含む。
【００３１】
第３の態様の第１ないし第１０の可能な実施のいずれか１つを参照すると、第１１の可能な実施においては、入力デバイスによって獲得される異なる指紋イベントは、異なるショートカットに対応している。
【００３２】
第３の態様の第１ないし第１０の可能な実施のいずれか１つを参照すると、第１２の可能な実施においては、出力デバイスは、事前に設定された配置ルールに従って、少なくとも１つのショートカットを提示するように特に構成され、異なる指紋イベントは、異なるショートカット配置ルールに対応している。
【００３３】
第３の態様の第１２の可能な実施を参照すると、第１３の可能な実施においては、配置ルールは、ショートカット数量ルール、ショートカット配置パターンルール、ショートカット配置位置ルール、またはショートカット配置間隔ルールのうちの少なくとも１つを含む。
【００３４】
第３の態様の第１ないし第１３の可能な実施のいずれか１つを参照すると、第１４の可能な実施においては、出力デバイスによって表示されるショートカットは、アプリケーションプログラムのショートカット、特定の機能のショートカット、または特定のアプリケーションの内部要素のショートカットのうちの少なくとも１つを含む。
【００３５】
第３の態様の第１ないし第１４の可能な実施のいずれか１つを参照すると、第１５の可能な実施においては、少なくとも１つの操作コンポーネントは、入力デバイスであり、入力デバイスは、第１の位置において、ユーザによって入力された指紋イベントを獲得し、ユーザによって入力され、第１の位置から開始する、操作ベクトルを獲得するように特に構成される。
【００３６】
第４の態様に従えば、本発明の実施形態は、モバイル端末を提供する。第１の可能な実施においては、モバイル端末は、指紋センサを使用することによってユーザによって入力された指紋イベントを獲得するように構成された、指紋センサと、ユーザによって入力された指紋イベントが、事前に設定された指紋イベントとマッチしない場合、スクリーンロックインターフェースを提示するように構成された、出力デバイスであって、スクリーンロックインターフェースは、少なくとも１つのショートカットを含む、出力デバイスとを含み、指紋センサは、指紋センサ上におけるユーザのスライディング操作を獲得するようにさらに構成され、モバイル端末は、指紋センサ上におけるユーザのスライディング操作のスライディング方向に従って、スクリーンロックインターフェース上に含まれる少なくとも１つのショートカットのうちの第２のショートカットを決定し、第１のショートカットを動作させるように構成された、プロセッサを含み、出力デバイスは、プロセッサが第１のショートカットを動作させた後、動作結果を提示するようにさらに構成される。
【００３７】
第４の態様の第１の可能な実施を参照すると、第２の可能な実施においては、ショートカットは、アプリケーションプログラムのショートカット、特定の機能のショートカット、または特定のアプリケーションの内部要素のショートカットのうちの少なくとも１つを含む。
【００３８】
第５の態様に従えば、本発明の実施形態は、装置を提供する。第１の可能な実施においては、装置は、ユーザによって入力された指紋イベントを獲得するように構成された、指紋イベント獲得モジュールと、ユーザによって入力された指紋イベントが、事前に設定された指紋イベントとマッチする場合、少なくとも１つのショートカットを提示するように構成された、ショートカット提示モジュールと、操作ベクトルを獲得するように構成された、操作ベクトル獲得モジュールであって、操作ベクトルは、ユーザによってモバイル端末の少なくとも１つの操作コンポーネントを操作することによって生成される、操作ベクトル獲得モジュールと、操作ベクトルに従って、少なくとも１つのショートカットのうちの第１のショートカットを動作させるように構成された、動作モジュールと、動作モジュールが第１のショートカットを動作させた後、動作結果を提示するように構成された、結果提示モジュールとを含む。
【００３９】
第５の態様の第１の可能な実施を参照すると、第２の可能な実施においては、少なくとも１つの操作コンポーネントは、指紋センサであり、操作ベクトル獲得モジュールは、指紋センサ上におけるユーザのスライディング方向を獲得するように特に構成され、動作モジュールは、指紋センサ上におけるユーザのスライディング方向に従って、少なくとも１つのショートカットのうちの第１のショートカットを決定し、第１のショートカットを動作させるように特に構成される。すなわち、操作ベクトルは、指紋センサ上におけるユーザのスライディング方向を含む。
【００４０】
第５の態様の第１の可能な実施を参照すると、第３の可能な実施においては、少なくとも１つの操作コンポーネントは、タッチスクリーンであり、操作ベクトル獲得モジュールは、タッチスクリーン上におけるユーザのスライディング方向を獲得するように特に構成され、動作モジュールは、タッチスクリーン上におけるユーザのスライディング方向に従って、少なくとも１つのショートカットのうちの第１のショートカットを決定し、第１のショートカットを動作させるように特に構成される。すなわち、操作ベクトルは、タッチスクリーン上におけるユーザのスライディング方向を含む。
【００４１】
第５の態様の第１ないし第３の可能な実施のいずれか１つを参照すると、第４の可能な実施においては、装置は、第１のスクリーンロック提示モジュールをさらに含み、第１のスクリーンロック提示モジュールは、指紋イベント獲得モジュールがユーザによって入力された指紋イベントを獲得する前に、スクリーンロックインターフェースを提示するように構成され、
ショートカット提示モジュールは、ユーザによって入力された指紋イベントが、事前に設定された指紋イベントとマッチする場合、アンロッキング操作を実行し、アンロッキング後に、事前に設定された配置ルールに従って、少なくとも１つのショートカットを提示するように特に構成される。
【００４２】
第５の態様の第１ないし第３の可能な実施のいずれか１つを参照すると、第５の可能な実施においては、装置は、第２のスクリーンロック提示モジュールをさらに含み、第２のスクリーンロック提示モジュールは、指紋イベント獲得モジュールがユーザによって入力された指紋イベントを獲得する前に、スクリーンロックインターフェースを提示するように構成され、ショートカット提示モジュールは、ユーザによって入力された指紋イベントが、事前に設定された指紋イベントとマッチする場合、スクリーンロックインターフェース上に少なくとも１つのショートカットを提示するように特に構成され、結果提示モジュールは、動作モジュールが少なくとも１つのショートカットのうちの第１のショートカットを動作させた後、スクリーンロックインターフェース上に動作結果を提示するように特に構成され、または結果提示モジュールは、動作モジュールが少なくとも１つのショートカットのうちの第１のショートカットを動作させた後、動作結果をアンロック状態で提示するように特に構成される。
【００４３】
第５の態様の第１ないし第３の可能な実施のいずれか１つを参照すると、第６の可能な実施においては、装置は、スクリーンオフ制御モジュールをさらに含み、スクリーンオフ制御モジュールは、指紋イベント獲得モジュールがユーザによって入力された指紋イベントを獲得する前に、モバイル端末がスクリーンオフ状態を提示することを可能にするように構成され、ショートカット提示モジュールは、ユーザによって入力された指紋イベントが、事前に設定された指紋イベントとマッチする場合、スクリーンを明るくし、少なくとも１つのショートカットを提示するように特に構成される。
【００４４】
第５の態様の第１ないし第６の可能な実施のいずれか１つを参照すると、第７の可能な実施においては、装置は、ユーザによって入力された指紋イベントが、事前に設定された指紋イベントとマッチしない場合、スクリーンロックインターフェースを提示するように構成された、第３のスクリーンロック提示モジュールであって、少なくとも１つのショートカットが、スクリーンロックインターフェース上に提示される、第３のスクリーンロック提示モジュールをさらに含み、操作ベクトル獲得モジュールは、指紋センサ上におけるユーザのスライディング方向を獲得するようにさらに構成され、動作モジュールは、指紋センサ上におけるユーザのスライディング方向に従って、スクリーンロックインターフェース上に提示された少なくとも１つのショートカットのうちの第２のショートカットを決定し、第２のショートカットを動作させるようにさらに構成され、結果提示モジュールは、動作モジュールが第２のショートカットを動作させた後、動作結果を提示するようにさらに構成される。
【００４５】
第５の態様の第１ないし第７の可能な実施のいずれか１つを参照すると、第８の可能な実施においては、ショートカット提示モジュールが少なくとも１つのショートカットを提示することは、ショートカット提示モジュールが、事前に設定された配置ルールに従って、現在提示されている第１のインターフェース上の事前に設定された領域内に、少なくとも１つのショートカットを提示すること、またはショートカット提示モジュールが、第１のインターフェースから第２のインターフェースへの切り換えを実行し、事前に設定された配置ルールに従って、第２のインターフェース上の事前に設定された領域内に、少なくとも１つのショートカットを提示することであって、第１のインターフェースは、現在提示されているインターフェースである、提示すること、またはショートカット提示モジュールが、現在提示されている第１のインターフェース上に一時停止インターフェースを提示し、事前に設定された配置ルールに従って、一時停止インターフェース上に、少なくとも１つのショートカットを提示することを含む。
【００４６】
第５の態様の第１ないし第８の可能な実施のいずれか１つを参照すると、第９の可能な実施においては、装置は、タイミング提示モジュールをさらに含み、タイミング提示モジュールは、ショートカット提示モジュールが少なくとも１つのショートカットを提示した後、ユーザによってモバイル端末の少なくとも１つの操作コンポーネントを操作することによって生成される操作ベクトルが、事前に設定された持続時間内に獲得されないとき、スクリーンロックインターフェースを提示するように構成され、またはタイミング提示モジュールは、ショートカット提示モジュールが少なくとも１つのショートカットを提示した後、ユーザによってモバイル端末の少なくとも１つの操作コンポーネントを操作することによって生成される操作ベクトルが、事前に設定された持続時間内に獲得されないとき、システムアプリケーションインターフェースを提示するように構成される。
【００４７】
第５の態様の第１ないし第９の可能な実施のいずれか１つを参照すると、第１０の可能な実施においては、指紋イベント獲得モジュールは、ユーザによって入力された指紋を獲得するように特に構成され、または指紋イベント獲得モジュールは、ユーザによって入力された第１の指紋ジェスチャを獲得するように特に構成され、第１の指紋ジェスチャは、特定の指紋を使用することによって指紋センサ上においてユーザによって実行される、タップ操作、ダブルタップ操作、タッチアンドホールド操作、もしくはスライディング操作のうちの少なくとも１つであり、または指紋イベント獲得モジュールは、ユーザによって入力された第２の指紋ジェスチャを獲得するように特に構成され、第２の指紋ジェスチャは、特定の指紋を使用することによってユーザによって指紋センサをトリガすることによって生成される操作と、ユーザによって別の操作コンポーネントをトリガすることによって生成される操作との組み合わせである。
【００４８】
第５の態様の第１ないし第１０の可能な実施のいずれか１つを参照すると、第１１の可能な実施においては、指紋イベント獲得モジュールによって獲得される異なる指紋イベントは、異なるショートカットに対応している。
【００４９】
第５の態様の第１ないし第１０の可能な実施のいずれか１つを参照すると、第１２の可能な実施においては、ショートカット提示モジュールは、事前に設定された配置ルールに従って、少なくとも１つのショートカットを提示するように特に構成され、指紋イベント獲得モジュールによって獲得される異なる指紋イベントは、異なるショートカット配置ルールに対応している。
【００５０】
第５の態様の第１２の可能な実施を参照すると、第１３の可能な実施においては、配置ルールは、ショートカット数量ルール、ショートカット配置パターンルール、ショートカット配置位置ルール、またはショートカット配置間隔ルールのうちの少なくとも１つを含む。
【００５１】
第５の態様の第１ないし第１３の可能な実施のいずれか１つを参照すると、第１４の可能な実施においては、ショートカット提示モジュールによって提示されるショートカットは、アプリケーションプログラムのショートカット、特定の機能のショートカット、または特定のアプリケーションの内部要素のショートカットのうちの少なくとも１つを含む。
【００５２】
第５の態様の第１ないし第１４の可能な実施のいずれか１つを参照すると、第１５の可能な実施においては、指紋イベント獲得モジュールは、モバイル端末上の第１の位置において、ユーザによって入力された指紋イベントを獲得するように特に構成され、操作ベクトル獲得モジュールは、第１の位置から開始するユーザによる操作コンポーネントの操作によって生成される操作ベクトルを獲得するように特に構成される。
【００５３】
第６の態様に従えば、本発明の実施形態は、装置を提供する。第１の可能な実施においては、装置は、ユーザによって入力された指紋イベントを獲得するように構成された、指紋イベント獲得モジュールと、ユーザによって入力された指紋イベントが、事前に設定された指紋イベントとマッチしない場合、スクリーンロックインターフェースを提示するように構成された、スクリーンロック提示モジュールであって、スクリーンロックインターフェースは、少なくとも１つのショートカットを含む、スクリーンロック提示モジュールと、指紋センサ上におけるユーザのスライディング操作を獲得するように構成された、スライディング操作獲得モジュールと、指紋センサ上におけるユーザのスライディング操作のスライディング方向に従って、スクリーンロックインターフェース上に含まれる少なくとも１つのショートカットのうちの第１のショートカットを決定するように構成された、決定モジュールと、第１のショートカットを動作させるように構成された、動作モジュールと、動作モジュールが第１のショートカットを動作させた後、動作結果を提示するように構成される、結果提示モジュールとを含む。
【００５４】
第６の態様の第１の可能な実施を参照すると、第２の可能な実施においては、スクリーンロック提示モジュールによって提示されるスクリーンロックインターフェース上におけるショートカットは、アプリケーションプログラムのショートカット、特定の機能のショートカット、または特定のアプリケーションの内部要素のショートカットのうちの少なくとも１つを含む。
【００５５】
第７の態様に従えば、本発明の実施形態は、モバイル端末に適用される、指紋認識を用いる操作方法を提供する。第１の可能な実施においては、方法は、スクリーンロックインターフェースを提示するステップと、ユーザによって入力された指紋イベントを獲得するステップと、ユーザによって入力された指紋イベントが、事前に設定された指紋イベントとマッチする場合、アンロッキング操作を実行し、アンロッキング後に、事前に設定された配置ルールに従って、少なくとも１つのショートカットを提示するステップと、操作ベクトルを獲得するステップであって、操作ベクトルは、ユーザによってモバイル端末の少なくとも１つの操作コンポーネントを操作することによって生成される、ステップと、操作ベクトルに従って、少なくとも１つのショートカットのうちの第１のショートカットを動作させ、動作結果を提示するステップとを含む。
【００５６】
第６の態様の第１の可能な実施を参照すると、第２の可能な実施においては、指紋イベントは、モバイル端末上の第１の位置において獲得され、操作ベクトルは、第１の位置から開始するユーザによる操作コンポーネントの操作によって生成される。
【００５７】
第６の態様の第１または第２の可能な実施を参照すると、第３の可能な実施においては、少なくとも１つの操作コンポーネントは、指紋センサであり、操作ベクトルは、指紋センサ上におけるユーザのスライディング方向を含む。
【００５８】
第６の態様の第１または第２の可能な実施を参照すると、第４の可能な実施においては、少なくとも１つの操作コンポーネントは、タッチスクリーンであり、操作ベクトルは、タッチスクリーン上におけるユーザのスライディング方向を含む。
【００５９】
第７の態様に従えば、本発明の実施形態は、モバイル端末に適用される、指紋認識を用いる操作方法を提供する。第１の可能な実施においては、方法は、アンロックインターフェースを提示するステップと、ユーザによって入力された指紋イベントを獲得するステップと、ユーザによって入力された指紋イベントが、事前に設定された指紋イベントとマッチする場合、スクリーンロックインターフェース上に少なくとも１つのショートカットを提示するステップと、操作ベクトルを獲得するステップであって、操作ベクトルは、ユーザによってモバイル端末の少なくとも１つの操作コンポーネントを操作することによって生成される、ステップと、操作ベクトルに従って、少なくとも１つのショートカットのうちの第１のショートカットを動作させ、スクリーンロックインターフェース上に動作結果を提示するステップ、または操作ベクトルに従って、少なくとも１つのショートカットのうちの第１のショートカットを動作させ、動作結果をアンロック状態で提示するステップとを含む。
【００６０】
第７の態様の第１の可能な実施を参照すると、第２の可能な実施においては、指紋イベントは、モバイル端末上の第１の位置において獲得され、操作ベクトルは、第１の位置から開始するユーザによる操作コンポーネントの操作によって生成される。
【００６１】
第７の態様の第１または第２の可能な実施を参照すると、第３の可能な実施においては、少なくとも１つの操作コンポーネントは、指紋センサであり、操作ベクトルは、指紋センサ上におけるユーザのスライディング方向を含む。
【００６２】
第７の態様の第１または第２の可能な実施を参照すると、第４の可能な実施においては、少なくとも１つの操作コンポーネントは、タッチスクリーンであり、操作ベクトルは、タッチスクリーン上におけるユーザのスライディング方向を含む。
【００６３】
第８の態様に従えば、本発明の実施形態は、モバイル端末に適用される、指紋認識を用いる操作方法を提供する。第１の可能な実施においては、方法は、モバイル端末によって、スクリーンオフ状態を提示するステップと、ユーザによって入力された指紋イベントを獲得するステップと、ユーザによって入力された指紋イベントが、事前に設定された指紋イベントとマッチする場合、モバイル端末によって、スクリーンを明るくし、少なくとも１つのショートカットを提示するステップと、操作ベクトルを獲得するステップであって、操作ベクトルは、ユーザによってモバイル端末の少なくとも１つの操作コンポーネントを操作することによって生成される、ステップと、操作ベクトルに従って、少なくとも１つのショートカットのうちの第１のショートカットを動作させ、動作結果を提示するステップとを含む。
【００６４】
第８の態様の第１の可能な実施を参照すると、第２の可能な実施においては、指紋イベントは、モバイル端末上の第１の位置において獲得され、操作ベクトルは、第１の位置から開始するユーザによる操作コンポーネントの操作によって生成される。
【００６５】
第８の態様の第１または第２の可能な実施を参照すると、第３の可能な実施においては、少なくとも１つの操作コンポーネントは、指紋センサであり、操作ベクトルは、指紋センサ上におけるユーザのスライディング方向を含む。
【００６６】
第８の態様の第１または第２の可能な実施を参照すると、第４の可能な実施においては、少なくとも１つの操作コンポーネントは、タッチスクリーンであり、操作ベクトルは、タッチスクリーン上におけるユーザのスライディング方向を含む。
【００６７】
本発明の実施形態においては、ユーザが、便利に素早くショートカットを動作させることができ、それによって、操作持続時間を短縮し、操作効率性を改善するように、ショートカットが、指紋イベント間のマッチングを実行することによって提示され、動作させられるショートカットは、ユーザによってモバイル端末を操作することによって生成される操作ベクトルに従って決定され、ショートカットが、動作させられ、動作結果が、提示される。
【図面の簡単な説明】
【００６８】
本発明の実施形態における技術的ソリューションをより明瞭に説明するために、実施形態を説明するために必要とされる添付の図面について以下で簡潔に説明する。明らかに、以下の説明における添付の図面は、本発明の実施形態の一部を示しているにすぎず、全部を示しているわけではない。当業者は、創造的な努力なしに、依然として、これらの添付の図面から他の図面を導出してよい。
【図１】本発明の実施形態に従った、モバイル端末の概略構造図である。
【図２】本発明の実施形態に従った、モバイル端末のディスプレイインターフェースの概略図である。
【図３】本発明の実施形態に従った、指紋認識を用いる操作方法のフローチャートである。
【図４】本発明の実施形態に従った、モバイル端末のディスプレイインターフェースの概略図である。
【図５】本発明の実施形態に従った、モバイル端末の操作についての概略図である。
【図６】本発明の実施形態に従った、モバイル端末の操作についての概略図である。
【図７】本発明の実施形態に従った、モバイル端末の操作についての概略図である。
【図８】本発明の実施形態に従った、モバイル端末の操作についての概略図である。
【図９】本発明の実施形態に従った、モバイル端末の操作についての概略図である。
【図１０】本発明の実施形態に従った、モバイル端末のディスプレイインターフェースの概略図である。
【図１１】本発明の実施形態に従った、装置の概略構造図である。
【図１２】本発明の実施形態に従った、指紋認識を用いる操作方法のフローチャートである。
【図１３】本発明の実施形態に従った、モバイル端末の操作についての概略図である。
【図１４】本発明の実施形態に従った、モバイル端末の概略構造図である。
【図１５】本発明の実施形態に従った、装置の概略構造図である。
【発明を実施するための形態】
【００６９】
本発明の目的、技術的ソリューション、および利点をより明瞭にするために、添付の図面を参照して、本発明の実施形態をさらに以下で詳細に説明する。創造的な努力なしに、当業者によって獲得される他のすべての実施形態は、本発明の保護範囲内に包含されるものとする。
【００７０】
以下の実施形態における特定の記述において、「スクリーンロック」、「スクリーンオフ」、および「スクリーンオン」などの概念が、使用されることがある。当業者によって知られている内容に基づいて、本出願は、さらなる説明および記述を与える。以下の記述は、さらなる記述のために意図されたものにすぎず、当技術分野における共通概念用語の説明に対する限定を構成しないことに留意されたい。
【００７１】
スクリーンロックは、ユーザがプライバシの保護および誤操作の防止などを望むために、モバイル端末または略して端末のスクリーンがロックされている状態として理解されてよい。スクリーンロックインターフェースは、端末のディスプレイスクリーン上に提示され、パスワード保護された状態でロックされた、ディスプレイインターフェース、またはジェスチャ保護された状態でロックされた、ディスプレイインターフェースと見なされてよい。スクリーンロックインターフェース上においては、端末は、異なるディスプレイインターフェースを提示してよい。例えば、端末は、特定のスクリーンロックピクチャを提示してよく、特定のスクリーンロックマガジンを提示してよく、または特定のスクリーンロックテキストを提示してよい。端末が、事前に設定された条件を満たすパスワードまたはジェスチャ認証命令を受け取ったとき、端末は、ロック状態を終了し、システムインターフェース、またはアプリケーションプログラムのアプリケーションインターフェースを提示してよい。
【００７２】
ハードウェア障害またはソフトウェアコンフリクトに起因する、端末の障害ベースのブラックスクリーンに加えて、「スクリーンオフ」は、ユーザが電力の節約などを望むために、端末のスクリーンが電源オンになっていない、または明るくされていない状態として理解されてよい。ユーザの観点からは、「スクリーンオフ」の直接的な現れは、端末のスクリーンが、端末が電源オフまたはスイッチオフであるときに、端末が提示するものと同じものを現在提示しているというものである。スクリーンオフ状態においては、端末が、入力情報に従って、スクリーンを電源オンにする、またはスクリーンを明るくするように、端末の物理的ボタンが、トリガされてよく、または生物学的特徴情報が、入力されてよい。当技術分野における技術的用語の使用においては、「スクリーンオフ」は、スクリーンがオフにされることを意味してもまたよい。
【００７３】
「スクリーンオン」は、端末がスクリーンを明るくし、ディスプレイインターフェースを提示している状態として理解されてよい。スクリーンオン状態においては、端末は、ユーザによって必要とされる操作インターフェースを提示してよい。例えば、端末は、アプリケーションの操作インターフェースを提示してよく、またはユーザがアイコンを選択することができるように、デスクトップコンテナを提示してよい。代替として、端末は、ユーザによって一時的に必要とされないが、端末の機能を実施するために必要である、インターフェースを提示してよい。例えば、端末を開始する第１のステップは、スクリーンを明るくすることであり、このケースにおいては、それが、スクリーンオン状態として理解されてよい。
【００７４】
アプリケーションプログラム（Ａｐｐｌｉｃａｔｉｏｎ）は、アプリケーションと呼ばれてもまたよく、１または複数の特定種類の作業を完了するためのコンピュータプログラムである。アプリケーションプログラムは、ユーザモードにおいて動作させられ、ユーザと対話してよく、視覚的なユーザインターフェースを有する。一般に、アプリケーションプログラムは、２つの部分、すなわち、グラフィカルユーザインターフェース（Ｇｒａｐｈｉｃａｌ  Ｕｓｅｒ  Ｉｎｔｅｒｆａｃｅ、ＧＵＩ）と、エンジン（Ｅｎｇｉｎｅ）とを含む。
【００７５】
ショートカットは、タスクを素早く開始するために使用されるコマンドライン、例えば、システムによって提供され、素早くプログラムを開始し、ファイルをオープンし、またはフォルダを展開するためのリンクであり、通常はアイコンの形を取る。ショートカットは、複数の可能な操作エントランスの共通表現である。ショートカットは、アプリケーションプログラム、特定の機能、連絡先、設定オプション、通知バー、またはショートカット操作バーであってよいが、それらに限定されない。本発明の実施形態においては、ショートカットは、アプリケーションプログラムを開始するためのリンク、例えば、以下のアプリケーションプログラム、すなわち、ＷｅＣｈａｔ、Ｇｏｏｇｌｅ  Ｓｅａｒｃｈ、もしくはカメラなどのうちの１つを開始するためのリンクであってよく、またはアプリケーションプログラムにおける要素を開始するためのリンク、例えば、連絡先アプリケーションにおける連絡先を開始するためのリンク、ショートメッセージサービスメッセージアプリケーションにおけるショートメッセージサービスメッセージを開始するためのリンク、もしくは設定アプリケーションにおける機能設定を可能にするためのリンクであってよい。本明細書においては、プログラムにおける要素を開始することは、プログラムにおける要素を表示すること、またはプログラムにおける要素をトリガすることとして理解されてよい。
【００７６】
イベントは、ユーザの指がスクリーンをタップし、スクリーン上において移動したとき、システムによってアプリケーションプログラムに送られる、オブジェクトとして理解されてよい。技術的実施においては、ユーザは、スクリーンばかりでなく、様々なセンサおよび様々な物理的ボタンなどにもタッチしてよい。システムは、特定の経路に従って、イベントを、イベントを処理することができるオブジェクトに転送する。例えば、ｉＯＳにおいては、１つのＵＩＴｏｕｃｈオブジェクトは、１つのタッチを表し、１つのＵＩＥｖｅｎｔオブジェクトは、１つのイベントを表す。イベントオブジェクトは、現在のマルチタッチシーケンスに対応するすべてのタッチオブジェクトを含み、特定のビューまたはウィンドウと関連付けられたタッチオブジェクトをさらに提供してよい。タッチイベントは、時間態様および空間態様を含む。時間態様についての情報は、フェーズ（ｐｈｒａｓｅ）と呼ばれ、タッチが開始したばかりかどうか、タッチが移動しているか、それとも静止状態にあるか、およびタッチがいつ終了したか（例えば、指がいつスクリーンから持ち上げられたか）を表す。タッチ情報は、ビューまたはウィンドウ内における現在位置についての情報、および以前の位置についての情報をさらに含む。指がスクリーンにタッチしたとき、タッチは、ウィンドウまたはビューと関連付けられる。この関連付けは、イベントの全ライフサイクルにおいて維持される。
【００７７】
生物学的特徴は、一般的な意味における、人間の生理的特徴または行動的特徴である。端末は、人間の生物学的特徴に従った、生物学的認識技術を使用することによって、アイデンティティ認証などを実行してよい。例えば、生物学的特徴認識技術は、コンピュータを使用することによって、光学、音響、バイオセンサ、および生物統計的原理などの、技術的手段と緊密に組み合わされ、個人アイデンティティ認証は、生得的な人間の生理的特徴および行動的特徴を使用することによって実行される。生理的特徴は、手の形、指紋、顔の形、虹彩、網膜、脈拍、および耳介などを含む。行動的特徴は、署名、声、および打鍵力などを含む。
【００７８】
一般に使用される生物学的特徴は、指紋である。指紋は、人間の指の皮膚隆線によって形成される。人の指紋は、遺伝子および環境の両方によって影響される。すべての人が、指紋を有するが、指紋は、異なる。指紋センサ技術は、徐々に成熟しつつあるので、デバイスのセキュリティを高め、ユーザの操作エクスペリエンスを改善するために、ますます多くの端末において、指紋センサが、使用される。本発明の実施形態においては、指紋アプリケーションは、以下のケースを含んでよいが、それらに限定されない。
【００７９】
第１のケースにおいては、指紋は、アンロッキングおよび支払いに適用され、操作パネル上における動くカーソルとして使用され、操作および内容保護などを可能にするために使用される。操作を可能にすることは、通常は、各指に対するアプリケーションプログラムを定義することであり、対応するアプリケーションプログラムが、対応する指紋を入力することによって、開始されてよい。例えば、指紋センサは、１０個の指紋を記録することができ、各指紋をアプリケーションプログラムと関連付けてよい。例えば、人差し指の指紋は、カメラをオープンすることに対応しており、中指の指紋は、Ｂｌｕｅｔｏｏｔｈをオンにすることに対応している。ユーザが、特定の指紋を入力したとき、特定のアプリケーションに入る。
【００８０】
第２のケースにおいては、異なるアプリケーションプログラムが、タップジェスチャ、ダブルタップジェスチャ、およびタッチアンドホールドジェスチャなどの、指紋ジェスチャを使用することによって、開始される。例えば、人差し指を使用することによってタップすることは、カメラをオープンすることに対応しており、人差し指を使用することによって指紋センサをダブルタップすることは、Ｂｌｕｅｔｏｏｔｈをオンにすることに対応している。
【００８１】
第３のケースにおいては、複数のショートカットが、指紋を入力することによって、スクリーン上に表示され、ショートカットをタップすることによって、対応するアプリケーションに入る。実施形態において使用される指紋認識は、容量型指紋認識であってよく、指紋センサは、容量型センサであり、または実施形態において使用される指紋認識は、超音波指紋認識であってよく、指と直接的に接触する必要はない。超音波センサは、指紋隆線画像を形成するために、反射波の強度に主に依存する。センサの表面を介して、指表面に到達したとき、超音波源から発せられた超音波は、反射される。受波デバイスは、超音波の反射信号を獲得し、反射信号の範囲を測定し、隆線の深さを獲得し、指紋画像を形成する。画像は、実際の隆線地形（凹凸）の現実の反映である。容量型指紋認識技術については、その全体が参照によって本明細書に組み込まれる、ＣＮ１０４７４８７７０を参照されたい。超音波指紋認識技術については、その全体が参照によって本明細書に組み込まれる、ＣＮ１０４８８１６２９を参照されたい。
【００８２】
指紋特徴認識が、使用されないとき、ユーザが、サービスを使用するために、端末を使用する、例えば、特定のアプリケーションをオープンする必要がある場合、ユーザは、通常、システムインターフェース上においてアプリケーションに対応するアイコンを探し、アイコンを見つけた後、アプリケーションの操作インターフェースを表示するために、アプリケーションのアイコンをタップし、アプリケーションに対応するサービスを使用する必要がある。端末が、まだ、スクリーンロック状態およびスクリーンオフ状態にあるとき、ユーザは、より多くの手順を操作する必要があり、操作は、より複雑である。例えば、端末は、スクリーンオフ状態にあってよく、このケースにおいては、ユーザは、スクリーンを明るくするために、対応する操作を実行する必要がある。端末のスクリーンが、明るくされた後、スクリーンは、ロックされていなくてよく、このケースにおいては、ユーザは、システムインターフェース上において、対応するアプリケーションアイコンを直ちに探してよい。代替として、スクリーンが、明るくされた後、端末は、スクリーンロック状態にあってよく、このケースにおいては、ユーザは、アンロッキング操作を実行する必要がある。端末は、ユーザによって入力されたアンロッキング情報が、認証によって、正しいと決定されたときだけ、システムインターフェースを提示する。このケースにおいては、ユーザは、さらに、システムインターフェース上において、対応するアプリケーションアイコンを探し、アプリケーションアイコンをトリガする操作を実行する必要がある。ユーザの操作が、簡略化されることができる場合、ユーザによってモバイル端末を操作する効率性は、改善されることができる。
【００８３】
図１に示されるように、図１は、本発明の実施形態に従った、モバイル端末の概略構造図である。端末は、プロセッサ、メモリ、入力デバイス、出力デバイス、および操作コンポーネントなどを含む。入力デバイスと操作コンポーネントとの間には、重複が存在する。いくつかのシナリオにおいては、入力デバイスと操作コンポーネントは、指紋センサなどの、同じ電子コンポーネントであってよい。いくつかのシナリオにおいては、入力デバイスと操作コンポーネントは、異なる電子コンポーネントであってよい。例えば、入力デバイスは、タッチスクリーンであり、操作コンポーネントは、ジャイロセンサである。
【００８４】
図２は、本発明の実施形態に従った、モバイル端末のディスプレイインターフェースの概略図である。端末は、図１に示される構造的コンポーネントを含んでよい。
【００８５】
プロセッサは、端末の制御センタであり、様々なインターフェースおよびラインを使用することによって、端末全体の各部分に接続され、メモリ内に記憶されたソフトウェアプログラムもしくはモジュールまたは両方を動作させまたは実行することによって、またメモリ内に記憶されたデータを呼び出すことによって、モバイル端末の様々な機能を実行し、および／またはデータを処理する。プロセッサは、集積回路（Ｉｎｔｅｇｒａｔｅｄ  Ｃｉｒｃｕｉｔ、略してＩＣ）を含む。例えば、プロセッサは、単一のパッケージ化されたＩＣを含んでよく、または同じ機能もしくは異なる機能を有する、複数の接続されたパッケージ化されたＩＣを含んでよい。例えば、プロセッサは、中央処理装置（Ｃｅｎｔｒａｌ  Ｐｒｏｃｅｓｓｉｎｇ  Ｕｎｉｔ、略してＣＰＵ）だけを含んでよく、またはＧＰＵ、デジタル信号プロセッサ（Ｄｉｇｉｔａｌ  Ｓｉｇｎａｌ  Ｐｒｏｃｅｓｓｏｒ、略してＤＳＰ）、ＡＳＩＣ、および通信管理モジュール内の制御チップ（例えば、ベースバンドチップ）の組み合わせであってよい。本発明の実施においては、ＣＰＵは、単一のコンピューティングコアであってよく、または複数のコンピューティングコアを含んでよい。ＣＰＵは、関連するアプリケーションプログラムを呼び出すことによって、対応する機能を実行する。
【００８６】
メモリは、ソフトウェアプログラム構成およびシステム構成を記憶するように構成されてよい。メモリ内に記憶されたソフトウェアプログラム構成およびシステム構成を読み取ることによって、プロセッサは、モバイル端末の様々な機能アプリケーションを実行し、データ処理を実施する。メモリは、プログラム構成記憶エリアと、システム構成記憶エリアとを含む。プログラム構成記憶エリアは、音声再生プログラムまたは画像再生プログラムなど、少なくとも１つのアプリケーションプログラムの構成情報を記憶してよい。システム記憶エリアは、モバイル端末の使用に従って生成されたシステム構成データなどを記憶してよい。本発明の特定の実施においては、メモリは、不揮発性ランダムアクセスメモリ（Ｎｏｎｖｏｌａｔｉｌｅ  Ｒａｎｄｏｍ  Ａｃｃｅｓｓ  Ｍｅｍｏｒｙ、略してＮＶＲＡＭ）、相変化ランダムアクセスメモリ（Ｐｈａｓｅ  Ｃｈａｎｇｅ  ＲＡＭ、略してＰＲＡＭ）、または磁気抵抗ランダムアクセスメモリ（Ｍａｇｅｔｏｒｅｓｉｓｔｉｖｅ  ＲＡＭ、略してＭＲＡＭ）などの、揮発性メモリを含んでよく、また少なくとも１つの磁気ディスク記憶コンポーネント、電気的消去可能プログラマブルリードオンリーメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、略してＥＥＰＲＯＭ）、またはＮＯＲフラッシュメモリ（ＮＯＲ  ｆｌａｓｈ  ｍｅｍｏｒｙ）もしくはＮＡＮＤフラッシュメモリ（ＮＡＮＤ  ｆｌａｓｈ  ｍｅｍｏｒｙ）などの、フラッシュメモリコンポーネントなどの、不揮発性メモリをさらに含んでよい。不揮発性メモリは、プロセッサによって実行される、オペレーティングシステムおよびアプリケーションプログラムを記憶する。プロセッサは、動作プログラムおよびデータを、不揮発性メモリからメモリにロードし、デジタルコンテンツを大容量記憶装置内に記憶する。オペレーティングシステムは、メモリ管理、記憶デバイス制御、または電力管理などの、通常のシステムタスクを制御および管理するように、また様々なソフトウェアおよびハードウェア間の通信を容易にするように構成された、様々なコンポーネントおよび／またはドライバを含む。本発明の実施においては、オペレーティングシステムは、ＧｏｏｇｌｅのＡｎｄｒｏｉｄシステム、Ａｐｐｌｅによって開発されたｉＯＳシステム、Ｍｉｃｒｏｓｏｆｔによって開発されたＷｉｎｄｏｗｓオペレーティングシステム、またはＶｘｗｏｒｋｓなどの組み込みオペレーティングシステムであってよい。本発明のこの実施形態においては、いかなる限定も課されない。
【００８７】
入力デバイスは、ユーザと端末との間の対話を実施するように、および／または端末に情報を入力するように構成される。例えば、入力デバイスは、ユーザ設定または機能制御に関連する信号入力を生成するために、ユーザによって入力された数字または文字情報を受け取ってよい。本発明の特定の実施においては、入力デバイスは、タッチセンシティブ面であってよく、または実体的な入力キーもしくはマイクロフォンなどの、別のマン−マシン対話インターフェースであってよく、または外部情報を獲得するための別の装置、例えば、カメラであってよい。タッチセンシティブ面は、タッチスクリーンまたはタッチスクリーンとも呼ばれ、タッチセンシティブ面にタッチまたは接近するユーザの操作アクション、例えば、形状またはスタイラスなどの、任意の適切なオブジェクトまたはアクセサリを使用することによって、タッチセンシティブ面上において、またはタッチセンシティブ面に近い位置において、ユーザによって実行された操作アクションを収集し、事前に設定されたプログラムに従って、対応する接続装置を駆動してよい。任意選択で、タッチセンシティブ面は、２つの部分、すなわち、タッチ検出装置と、タッチコントローラとを含んでよい。タッチ検出装置は、ユーザのタッチ操作を検出し、検出されたタッチ操作を電気信号に変換し、電気信号をタッチコントローラに転送する。タッチコントローラは、タッチ検出装置から電気信号を受け取り、電気信号をタッチポイントの座標に変換し、その後、タッチポイントの座標を記憶および処理モジュール内の処理ユニットに転送する。タッチコントローラは、さらに、プロセッサから送られたコマンドを受け取り、実行してよい。加えて、タッチセンシティブ面は、抵抗型、容量型、赤外（Ｉｎｆｒａｒｅｄ）線、および表面音響波などの、複数の種類を使用することによって、実施されてよい。本発明の別の実施においては、入力デバイスにおいて使用される実体的な入力キーは、物理的キーボード、（音量制御ボタンもしくはアン／オフボタンなどの）ファンクションキー、トラックボール、マウス、またはジョイスティックなどのうちの１または複数を含んでよいが、それらに限定されない。マイクロフォンの形を取る入力モジュールは、ユーザまたは環境によって入力された音声を収集し、音声を電気信号の形を取るコマンドに変換してよく、処理ユニットによって実行されてよい。本発明の他のいくつかの実施においては、入力デバイスは、モバイル端末の物理量、例えば、力、トルク、圧力、応力、位置、変位、スピード、加速度、角度、角速度、回転量、回転スピード、および作業状態が変化する持続時間を検出するために使用される、ホールコンポーネントなどの、様々なセンシングコンポーネントであってよく、検出および制御のために、物理量を電気量に変換する。他のセンシングコンポーネントは、重力センサ、３軸加速度計、およびジャイロスコープなどをさらに含んでよい。入力デバイスは、指紋センサをさらに含んでよい。指紋センサは、別個の指紋センサであってよく、または端末のタッチスクリーンと統合されてよい。
【００８８】
出力デバイスは、特に、ＬＣＤ（Ｌｉｑｕｉｄ  Ｃｒｙｓｔａｌ  Ｄｉｓｐｌａｙ、液晶ディスプレイ）、ＯＬＥＤ（Ｏｒｇａｎｉｃ  Ｌｉｇｈｔ−Ｅｍｉｔｔｉｎｇ  Ｄｉｏｄｅ、有機発光ダイオード）、または電界放出ディスプレイ（ｆｉｅｌｄ  ｅｍｉｓｓｉｏｎ  ｄｉｓｐｌａｙ、略してＦＥＤ）などの形に構成された、ディスプレイパネルであってよい。代替として、出力デバイスは、反射型ディスプレイ、例えば、電気泳動（ｅｌｅｃｔｒｏｐｈｏｒｅｔｉｃ）ディスプレイであり、または光の干渉変調技術（Ｉｎｔｅｒｆｅｒｏｍｅｔｒｉｃ  Ｍｏｄｕｌａｔｉｏｎ  ｏｆ  Ｌｉｇｈｔ）を使用するディスプレイである。本発明の特定の実施においては、ディスプレイは、タッチセンシティブ面と、ディスプレイスクリーンとを含む。タッチセンシティブ面は、出力デバイスのディスプレイパネルとして使用されてもまたよい。例えば、タッチセンシティブ面にタッチまたは接近するジェスチャ操作を検出した後、タッチセンシティブ面は、タッチイベントの種類を決定するために、ジェスチャ操作を処理ユニットに転送し、処理ユニットは、タッチイベントの種類に従って、対応する視覚的出力をディスプレイパネル上に提供する。いくつかの実施形態においては、タッチセンシティブ面およびディスプレイパネルは、モバイル端末の入力機能および出力機能を実施するように統合されてよい。
【００８９】
図３に示されるように、図３は本発明の実施形態に従った、指紋認識を用いる操作方法のフローチャートである。方法は、以下のステップを含む。
【００９０】
Ｓ３０１。指紋センサを使用することによって、ユーザによって入力された指紋イベントを獲得する。
【００９１】
モバイル端末の指紋センサは、指紋センサであってよい。指紋センサは、スクリーンの下方部分に配置されてよい。代替として、指紋センサは、モバイル端末の背面上に、例えば、Ｈｕａｗｅｉ  Ａｓｃｅｎｄ  Ｍａｔｅ  ７の指紋センサの位置に配置されてよい。代替として、指紋センサは、端末の側面上に配置されてよい。
【００９２】
モバイル端末の指紋センサは、別個のコンポーネントであってよく、または別のコンポーネントと統合されてよい。例えば、指紋センサは、タッチスクリーンと統合されてよく、固定された領域内に入力された指紋に対する指紋認証を容易にするために、固定された位置が、あらかじめスクリーン上において指定される。代替として、指紋入力および／または認識の機能は、スクリーン全体またはスクリーン上の任意の位置に拡張され、認証が、単一の指紋に対して実行され、または複数の指紋に対して同時に実行される。スクリーンが指紋センサである技術的実施においては、追加の指紋センサ層が、ディスプレイスクリーンに追加されてよい。代替として、指紋センサは、集積回路を使用することによって、底面カバーの表面に接続され、またはスクリーンの最上層に接続される。代替として、指紋センサ全体が、パネル内に製造され、ディスプレイスクリーンの上方部分に配置される。
【００９３】
任意選択で、指紋イベントは、指紋、すなわち、ユーザによって入力された指紋画像であってよい。
【００９４】
任意選択で、指紋イベントは、指紋ジェスチャであってよい。ジェスチャは、ユーザの指が（スクリーンまたは指紋センサなどの）操作コンポーネントにタッチする方式、例えば、タップジェスチャ、ダブルタップジェスチャ、マルチタッチ（ピンチアンドスプレッド）ジェスチャ、またはスライディングジェスチャとして理解されてよい。指紋ジェスチャは、ユーザが特定または非特定の指紋を使用することによって指紋センサをトリガする操作、例えば、１または複数の指紋を使用することによって実行されるタップ操作、ダブルタップ操作、タッチアンドホールド操作、またはスライディング操作のうちの少なくとも１つ、例えば、人差し指を使用することによって実行されるタップ操作、親指を使用することによって実行されるダブルタップ操作、中指を使用することによって実行されるタッチアンドホールド操作、または人差し指を使用することによって実行されるスライディング操作として理解されてよい。
【００９５】
任意選択で、指紋ジェスチャは、指紋操作と非指紋操作との組み合わせ、すなわち、特定の指紋を使用することによってユーザによって指紋センサをトリガすることによって生成される操作命令と、ユーザによって別の操作コンポーネントをトリガすることによって生成される操作命令との組み合わせ、例えば、指紋を使用することによって指紋センサをトリガする操作と、別のセンサの操作との組み合わせであってよい。例えば、この種類の指紋ジェスチャは、指紋センサをトリガするための命令と、加速度センサをトリガするための命令との組み合わせを含んでよい。例えば、デバイスは、タッチアンドホールド操作が指紋センサ上において実行されるとき、揺すられる。代替として、この種類の指紋ジェスチャは、指紋センサをトリガするための命令と、圧力センサをトリガするための命令との組み合わせを含んでよい。例えば、指紋センサは、５秒よりも長く、特定の力で押される。
【００９６】
Ｓ３０２。ユーザによって入力された指紋イベントが、事前に設定された指紋イベントとマッチするとき、ショートカットを提示する。
【００９７】
ユーザによって入力された指紋イベントが、指紋画像であるとき、ユーザによって入力された指紋イベントが、事前に設定された指紋イベントとマッチすることは、ユーザによって入力された指紋画像が、複数の事前に記憶された指紋画像のうちの１つの指紋画像と同じであること、または類似性が、事前に設定された閾値以上であることを含む。
【００９８】
ユーザによって入力された指紋イベントが、ユーザによって指紋センサをタッチする指紋ジェスチャである、すなわち、特定の指紋を使用することによって指紋センサ上においてユーザによって実行される、タップ操作、ダブルタップ操作、タッチアンドホールド操作、またはスライディング操作のうちの少なくとも１つであるとき、ユーザによって入力された指紋イベントが、事前に設定された指紋イベントとマッチすることは、ユーザによって指紋センサをタッチするための指紋が、指紋ジェスチャの事前に設定された指紋と同じであり、指紋センサ上において実行される操作が、同じであること、またはユーザによって指紋センサをタッチするための指紋が、指紋ジェスチャの事前に設定された指紋と同じであり、指紋センサ上において実行される操作が、類似していることを含む。例えば、スライディング軌道間またはスライディング方向間の偏差は、事前に設定された偏差範囲内に入る。
【００９９】
ユーザによって入力された指紋イベントが、指紋ジェスチャである、すなわち、特定の指紋を使用することによってユーザによって指紋センサをトリガすることによって生成される操作命令と、ユーザによって別の操作コンポーネントをトリガすることによって生成される操作命令との組み合わせであるとき、ユーザによって入力された指紋イベントが、事前に設定された指紋イベントとマッチすることは、ユーザによって指紋センサをタッチするための指紋が、指紋ジェスチャの事前に設定された指紋と同じであり、ユーザによってタッチされた他の操作コンポーネントが、同じであり、ユーザによって他の操作コンポーネントをタッチするための操作が、同じである、または偏差が、事前に設定された範囲内に入ることを含む。
【０１００】
例えば、提示方式は、以下の方式のうちの少なくとも１つを含んでよい。
【０１０１】
任意選択で、スクリーンは、現在、システムインターフェースなどの、第１のインターフェースを提示しており、ショートカットが、事前に設定された配置ルールに従って、第１のインターフェース上の領域内に提示される。図４に示されるように、指紋センサは、ディスプレイスクリーンの下方部分に配置され、ショートカットは、図に示されるように、配置されてよく、センタとして座標点を使用することによって、分散して配置される。領域は、システムインターフェース上のセンタ領域、またはユーザの左手または右手を認識するための片手操作領域であってよい。
【０１０２】
任意選択で、スクリーンは、現在、第１のインターフェースを提示している。ユーザによって入力された指紋イベントが、事前に設定された指紋イベントとマッチするとき、第１のインターフェースから第２のインターフェースへの切り換えが、実行され、第２のインターフェースが、提示される。ショートカットが、事前に設定された配置ルールに従って、第２のインターフェース上に提示される。例えば、第１のインターフェースは、アプリケーションの動作インターフェースである。ユーザによって入力された指紋イベントが、事前に設定された指紋イベントとマッチするとき、端末は、アプリケーションから出て、またはバックグラウンドにおいてアプリケーションを動作させて、（システムインターフェースなどの）第２のインターフェース上にショートカットを提示してよい。
【０１０３】
任意選択で、図１０に示されるように、図１０は、本発明の実施形態に従った、モバイル端末のディスプレイインターフェースの概略図である。一時停止インターフェースが、現在提示されている第１のインターフェース上に提示され、少なくとも１つのショートカットが、事前に設定された配置ルールに従って、一時停止インターフェース上に提示される。一時停止インターフェースは、一時停止ウィンドウの形を取り、ショートカットは、一時停止ウィンドウ内に提示される。
【０１０４】
任意選択で、ショートカットは、モバイル端末のディスプレイスクリーン上に提示されてよく、またはモバイル端末を使用することによって、別のデバイス上に提示されてよい。例えば、モバイル端末は、出力デバイスを使用することによって、ディスプレイスクリーン上に表示された内容を壁に投影し、ショートカットを壁上に提示する。
【０１０５】
Ｓ３０３。ユーザによってモバイル端末の少なくとも１つの操作コンポーネントを操作することによって生成される操作ベクトルを獲得する。
【０１０６】
ベクトルは、方向を有する量であり、数学においては、ベクトルとも呼ばれる。物理学におけるベクトルは、方向を有する物理量である。操作ベクトルは、操作コンポーネント上におけるユーザの操作方向として理解されてよい。タッチスクリーンが、例として使用される。ユーザは、タッチスクリーン上においてスライディング操作を実行し、スライディング軌道が、生成される。スライディング軌道は、タッチスクリーン上におけるスライディング操作のアクションポイントによって形成される軌道である。スライディング操作の操作ベクトルは、スライディング軌道に従って、決定されてよい。同様に、操作コンポーネントが、指紋センサであり、ユーザが、指紋センサ上においてスライディング操作を実行する場合、スライディング軌道は、指紋センサ上におけるスライディング操作のアクションポイントによって形成される軌道である。スライディング操作の操作ベクトルは、スライディング開始ポイントおよびスライディング終了ポイントなどの、スライディング軌道に従って、決定されてよい。図４に示されるように、指紋センサは、ディスプレイスクリーンの下方部分に配置され、端末は、指紋センサ上におけるスライディング操作を獲得し、スライディング方向を決定する。特に、指紋センサによって獲得されるスライディング開始ポイントは、ショートカット配置のためのセンタポイントにマッピングされてよい。ユーザのスライディング操作のスライディング方向が、獲得された後、センタポイントが、センタとして使用されてよく、指紋センサ上におけるスライディング方向に対応するショートカットが、決定される。例えば、図５においては、ユーザが、右方向にスライドしたとき、ディスプレイスクリーン上においてセンタポイントの右側にあるショートカットが、決定される。
【０１０７】
操作ベクトルは、センサによって検出されたモバイル端末の動き方向としてさらに理解されてよい。例えば、３次元空間内におけるＸ、Ｙ、Ｚの３方向におけるモバイル端末の変位が、端末の動きの変位方向を検出するために、加速度センサ、方向センサ、電子コンパスセンサ、またはジャイロセンサなどによって検出される。方向センサが、例として使用される（ジャイロセンサの原理も同様である）。方向センサは、端末の動きの変位を検出するために、３次元空間内におけるＸ、Ｙ、Ｚの３方向におけるモバイル端末の変位を検出する。Ｘ方向およびＹ方向が、水平面上における方向を決定するために使用され、Ｚ方向が、水平面と垂直な方向を決定するために使用される。検出によってセンサによって獲得された変位データは、端末の位置情報変化のための基本解析データとして使用されてよく、端末が信号測定を実行する必要があるかどうかについてのデータサポートをさらに提供する。例えば、方向センサは、Ｘ、Ｙ、またはＺ方向のうちの少なくとも１つの方向における変位を獲得してよく、端末が、センサを使用することによって、いずれかの方向における連続的な位置変化が、事前に設定された時間閾値を満たすと決定したとき、ユーザによってモバイル端末を操作することによって生成される操作ベクトルが、決定される。例えば、モバイル端末は、ジャイロスコープを使用することによって、ユーザによってモバイル端末を揺する命令を検出し、ユーザがモバイル電話を揺する方向を獲得してよい。ショートカットが、事前に設定された配置ルールに従って、提示された後、ショートカットが、方向についての情報に従って、決定される。
【０１０８】
Ｓ３０４。操作ベクトルに従って、少なくとも１つのショートカットのうちの第１のショートカットを動作させ、動作結果を提示する。
【０１０９】
ユーザによってモバイル端末の少なくとも１つの操作コンポーネントを操作することによって生成される操作ベクトルを獲得した後、端末は、操作ベクトルに従って、第１のショートカットを決定してよく、第１のショートカットを決定した後、第１のショートカットを動作させ、第１のショートカットの動作結果を提示してよい。
【０１１０】
任意選択の実施においては、操作ベクトルは、操作コンポーネント上におけるユーザの操作方向、例えば、タッチスクリーンまたは指紋センサ上におけるユーザのスライディング方向である。端末は、タッチスクリーンまたは指紋センサ上における操作イベントと、タッチスクリーン上の座標点上における操作イベントとの間の操作マッピングを実行してよい。指紋センサまたはタッチスクリーン上においてユーザによって実行され、端末によって検出された操作イベントは、座標点上においてユーザによって実行された対応する操作イベントと見なされてよい。例えば、座標点は、複数のショートカットを提示するためのセンタポイントであってよい。例えば、ユーザが指紋センサ上においてある方向にスライドしたことが検出されたとき、スクリーン上の対応する座標点を開始ポイントとして使用するスライディング操作が、実行され、スライディング軌道は、互いに同じまたは対応してよい。スライディング軌道が、互いに同じまたは対応することは、スライディング方向が、同じ、もしくは偏差が、事前に設定された範囲内に入ること、スライディング軌道の長さが、同じ、もしくは比率に従って同様であること、またはスライディング軌道によって通過される座標点の位置が、マッピング関係にあることなどを含む。例えば、ユーザが指紋センサ上においてダブルタップ操作を実行したことが検出されたとき、スクリーン上の対応する座標点をタッチポイントとして使用するダブルタップ操作が、実行される。
【０１１１】
任意選択の実施においては、操作ベクトルは、センサによって検出されたモバイル端末の移動方向、例えば、ジャイロスコープによって検出された移動方向である。端末は、センサによって検出された端末の変位イベントと、タッチスクリーン上の座標点上における操作イベントとの間の操作マッピングを実行してよい。端末によって検出された（変位方向、変位加速度、または変位持続時間などを含む）変位イベントは、座標点上においてユーザによって実行された対応する操作イベントと見なされてよい。例えば、端末がＹ軸上において９０度の角度で前方に移動していることが検出されたとき、スクリーン上におけるショートカット配置のためのセンタポイントの真上のショートカットが、実行される。
【０１１２】
第１のショートカットを動作させることは、以下のケース、すなわち、第１のショートカットが、連絡先を指し示す（連絡先プロファイルピクチャなどの）インターフェース要素であるとき、第１のショートカットを動作させることは、連絡先の電話番号にダイアルすることであること、第１のショートカットが、タスクであるとき、第１のショートカットを動作させることは、タスクを実行すること、例えば、タスクマネージャにおける処理を可能もしくは不可能にすることであること、第１のショートカットが、アプリケーションプログラムのエントランス、例えば、Ｇｏｏｇｌｅ  Ｍａｐｓのアイコンであるとき、第１のショートカットを動作させることは、Ｇｏｏｇｌｅ  Ｍａｐｓを動作させることであること、第１のショートカットが、ファイル、例えば、ｗｏｒｄファイルのリンクであるとき、第１のショートカットを動作させることは、ｗｏｒｄファイルをオープンすることであること、第１のショートカットが、フォルダのリンクであるとき、第１のショートカットを動作させることは、フォルダを展開することであること、または第１のショートカットが、アプリケーションプログラムにおける要素のリンクであるとき、第１のショートカットを動作させることは、プログラムにおける要素を表示すること、例えば、連絡先アプリケーションにおけるＺｈａｎｇ  ＳａｎもしくはＬｉ  Ｓｉの連絡先を表示すること、もしくはプログラムにおける要素をトリガすること、例えば、端末をサイレントモードに設定すること、もしくは端末のスクリーンの明るさを設定することであることを含むが、それらに限定されない。
【０１１３】
操作ベクトルが、指紋センサ上におけるユーザの操作ベクトルであるとき、端末は、指紋センサ上においてユーザによってトリガされた操作イベントを、タッチスクリーン上において端末によって獲得される操作イベントにマッピングしてよい。例えば、ユーザは、人差し指を使用することによって、指紋センサ上においてスライディング操作を実行し、人差し指を使用することによって実行されるスライディング操作によってトリガされるスライディング操作イベントは、人差し指を使用することによってタッチスクリーン上において実行されたスライディング操作にマッピングされてよい。例えば、ユーザは、親指を使用することによって、指紋センサ上においてタッチアンドホールド操作を実行し、親指を使用することによって実行されるタッチアンドホールド操作によってトリガされるタッチアンドホールド操作イベントは、親指を使用することによってタッチスクリーン上の座標点上において実行されたタッチアンドホールド操作イベントにマッピングされてよい。例えば、ユーザは、親指を使用することによって、指紋センサ上においてダブルタップ操作を実行し、親指を使用することによって実行されるダブルタップ操作によってトリガされるダブルタップ操作イベントは、親指を使用することによってタッチスクリーン上の座標点上において実行されたダブルタップ操作イベントにマッピングされてよい。
【０１１４】
本発明のこの実施形態においては、ユーザが、便利に素早くショートカットを動作させることができ、それによって、操作持続時間を短縮し、操作効率性を改善するように、ショートカットが、指紋イベント間のマッチングを実行することによって提示され、動作させられるショートカットは、ユーザによってモバイル端末を操作することによって生成される操作ベクトルに従って決定され、ショートカットが、動作させられ、動作結果が、提示される。例えば、スクリーンオフ状態およびスクリーンロック状態の両方において、ユーザは、指紋センサ上に指を置く必要があるだけであり、モバイル端末は、指紋認識を実行し、スクリーンを明るくし、アンロッキング操作を実行し、ショートカットを提示する。ユーザが、提示されたショートカットを見た後、指が、指が最初にあった位置において僅かに移動し、所望のショートカットが、動作させられてよい。ユーザにとっては、ほぼ１つの位置において実行された１つのアクションが、モバイル端末が、指紋認識を実行し、スクリーンを明るくし、アンロッキング操作を実行し、複数のショートカットを提示し、ユーザによって選択されたショートカットを動作させることを可能にする。すなわち、指紋イベントが、モバイル端末上の第１の位置において獲得され、同様に、第１の位置から開始するユーザによる操作コンポーネントの操作によって生成された操作ベクトルが、第１の位置において獲得される。
【０１１５】
図６に示されるように、図６は、本発明の実施形態に従った、モバイル端末の操作についての概略図である。本発明のこの実施形態においては、端末の指紋センサは、タッチスクリーンである。ユーザ操作は、例として使用される。端末は、現在、スクリーンオン状態にあり、スクリーンロックインターフェースを提示している。端末のタッチスクリーンは、ユーザの人差し指のタッチを獲得し、人差し指の指紋が、事前に設定された指紋イベントとマッチすると決定する。特定のインターフェースが、提示される。複数のアプリケーションアイコン、例えば、ＷｅＣｈａｔアイコン、ｍｉｃｒｏｂｌｏｇアイコン、およびＡｌｉｐａｙアイコンが、特定のインターフェース上に提示される。この処理においては、端末は、ユーザの人差し指からの圧力を継続的に検出し、ユーザの人差し指によって押された座標位置は、変わらないままである。複数のアイコンが、提示された後、端末は、ユーザによって入力され、人差し指によって押されたポイントを開始ポイントとして使用して上垂直方向にスライドすることによって獲得される、スライディング軌道を獲得し、スライディング軌道に従って、現在の操作ベクトルが上垂直方向であることを決定し、例えば、タッチスクリーン上における座標点を使用することによる計算によって、現在の操作ベクトルが上垂直方向であることを決定し、上垂直方向にあるショートカット、例えば、ＷｅＣｈａｔアイコンを決定し、ＷｅＣｈａｔアイコンを動作させ、ＷｅＣｈａｔアプリケーションがその上で動作させられるインターフェースを提示する。
【０１１６】
図７に示されるように、図７は、本発明の実施形態に従った、モバイル端末の操作についての概略図である。本発明のこの実施形態においては、端末の指紋センサは、タッチスクリーンである。ユーザ操作は、例として使用される。端末は、現在、スクリーンオフ状態にあり、ユーザは、物理的ボタンにタッチして、スクリーンを明るくし、またはユーザは、タッチスクリーンをタップして、スクリーンを明るくする。端末のタッチスクリーンが、電源オンにされた後、スクリーンロックインターフェースが、提示される。端末のタッチスクリーンは、ユーザの人差し指のタッチを獲得し、人差し指の指紋が、事前に設定された指紋イベントとマッチすると決定する。特定のインターフェースが、提示される。複数のアプリケーションアイコン、例えば、ｍｉｃｒｏｂｌｏｇアイコンＡ、ＷｅＣｈａｔアイコンＢ、ＡｌｉｐａｙアイコンＣ、およびＱＱアイコンＤが、特定のインターフェース上に提示される。４つのアイコンは、事前に設定されたセンタ位置ｂをセンタとして使用することによって、リンク形状に配置されてよい。この処理においては、端末は、ユーザの人差し指からの圧力を検出せず、すなわち、人差し指の指紋を入力した後、ユーザは、タッチスクリーンから指を取り去る。複数のアイコンが、提示された後、端末は、ユーザによって入力され、タッチスクリーン上の任意のポイントａを開始ポイントとして使用して上垂直方向にスライドすることによって獲得される、スライディング軌道を獲得する。端末は、スライディング軌道の開始位置をセンタ位置にマッピングし、スライディング軌道に従って、現在の操作ベクトルが上垂直方向であることを決定し、上垂直方向にあるショートカット、例えば、ＷｅＣｈａｔアイコンを決定し、ＷｅＣｈａｔアイコンを動作させ、ＷｅＣｈａｔアプリケーションがその上で動作させられるインターフェースを提示する。
【０１１７】
図８に示されるように、図８は、本発明の実施形態に従った、モバイル端末の操作についての概略図である。本発明のこの実施形態においては、端末の指紋センサは、タッチスクリーンの下方部分に配置される。端末は、現在、スクリーンオフ状態にあってよく、またはスクリーンオン状態にあってよく、またはスクリーンロック状態にあってよい。指紋センサは、ユーザの人差し指のタッチを獲得し、人差し指の指紋が、事前に設定された指紋イベントとマッチすると決定する。特定のインターフェースが、提示される。複数のアプリケーションアイコン、例えば、ｍｉｃｒｏｂｌｏｇアイコンＡ、ＷｅＣｈａｔアイコンＢ、ＡｌｉｐａｙアイコンＣ、およびＱＱアイコンＤが、特定のインターフェース上に提示される。４つのアイコンは、事前に設定されたセンタ位置ｂをセンタとして使用することによって、リンク形状に配置されてよい。この処理においては、指紋センサは、ユーザの人差し指からの圧力を継続的に検出する。複数のアイコンが、提示された後、指紋センサは、継続的に、ユーザの人差し指の指紋画像を収集し、端末内に記憶された、人差し指の指紋モデルにおける複数の画像に従って、ユーザの人差し指が移動したと決定する。プロセッサは、人差し指の複数の記憶された指紋画像と、指紋センサによって継続的に収集された複数の指紋画像とに従って、指紋センサ上における人差し指のスライディング方向を決定する。例えば、人差し指は、上垂直方向にスライドする。端末は、人差し指が指紋センサ上においてスライドする開始位置を、センタ位置にマッピングし、スライディング方向に従って、センタ位置の上垂直方向にあるショートカット、例えば、ＷｅＣｈａｔアイコンを決定し、ＷｅＣｈａｔアイコンを動作させ、ＷｅＣｈａｔアプリケーションがその上で動作させられるインターフェースを提示する。
【０１１８】
図９に示されるように、図９は、本発明の実施形態に従った、モバイル端末の操作についての概略図である。本発明のこの実施形態においては、端末の指紋センサは、タッチスクリーンの下方部分に配置される。端末は、現在、スクリーンオフ状態にあってよく、またはスクリーンオン状態にあってよく、またはスクリーンロック状態にあってよい。指紋センサは、ユーザの人差し指のタッチを獲得し、人差し指の指紋が、事前に設定された指紋イベントとマッチすると決定する。特定のインターフェースが、提示される。複数のアプリケーションアイコン、例えば、ｍｉｃｒｏｂｌｏｇアイコンＡ、ＷｅＣｈａｔアイコンＢ、ＡｌｉｐａｙアイコンＣ、およびＱＱアイコンＤが、特定のインターフェース上に提示される。４つのアイコンは、事前に設定されたセンタ位置ｂをセンタとして使用することによって、リンク形状に配置されてよい。この処理においては、指紋センサは、ユーザの人差し指からの継続的な圧力を検出せず、すなわち、指紋センサ上において人差し指の指紋を入力した後、ユーザは、指紋センサから人差し指の指紋を取り去る。複数のアイコンが、提示された後、端末は、ユーザによって入力され、タッチスクリーン上の任意のポイントを開始ポイントとして使用して上垂直方向にスライドすることによって獲得される、スライディング軌道を獲得する。端末は、スライディング軌道の開始位置をセンタ位置にマッピングし、スライディング軌道に従って、現在の操作ベクトルが上垂直方向であることを決定し、上垂直方向にあるショートカット、例えば、ＷｅＣｈａｔアイコンを決定し、ＷｅＣｈａｔアイコンを動作させ、ＷｅＣｈａｔアプリケーションがその上で動作させられるインターフェースを提示する。
【０１１９】
本発明の実施形態においては、端末の指紋センサは、タッチスクリーンである。スクリーンオフ状態において、タッチスクリーンは、ユーザの人差し指のタッチ操作を獲得し、またはユーザの人差し指の指紋を獲得する。タッチスクリーンが、電源オンにされ、スクリーンが、明るくされ、スクリーンロックインターフェースが、提示される。ユーザの人差し指のタッチ位置は、変わらないままであり、タッチスクリーン上の現在位置が、継続的に押される。タッチスクリーンは、人差し指の指紋を獲得し、アイデンティティ認証を実行し、アンロッキング操作を実行する。端末が、アンロッキング後のインターフェースを提示した後、ユーザの人差し指のタッチ位置は、まだ変わらないままであり、タッチスクリーン上の現在位置が、継続的に押される。タッチスクリーンは、人差し指の指紋を獲得し、指紋を事前に記憶された指紋イベントと比較し、アンロッキング後のインターフェース上に、いくつかのショートカットを、例えば、ｍｉｃｒｏｂｌｏｇアイコンＡ、およびＷｅＣｈａｔアイコンＢ、または別の例として、連絡先Ａの電話番号、および連絡先Ｂの電話番号を提示する。端末は、タッチスクリーン上における人差し指のスライディング操作を獲得し、スライディング方向を獲得し、スライディング方向に従って、ショートカットを決定し、ショートカットを動作させ、例えば、ｍｉｃｒｏｂｌｏｇアプリケーション、もしくはＷｅＣｈａｔアプリケーションをオープンし、または別の例として、連絡先Ａに電話を掛け、もしくは連絡先Ｂに電話を掛ける。
【０１２０】
任意選択の実施形態においては、異なる指紋は、異なるショートカットに対応していてよい。特に、端末は、異なる指紋と異なるショートカットとの間の対応を事前に記憶してよい。１つの種類の指紋は、１つの種類のショートカットに対応しており、例えば、ユーザの人差し指は、通信の種類に属するアプリケーションのショートカットに対応しており、中指は、ゲームの種類に属するアプリケーションのショートカットに対応している。本明細書における種類は、ユーザによる分類によって獲得されてよく、またはユーザがアプリケーションのＡＰＫをダウンロードしたときに伝えられた、元のカテゴリ情報であってよい。代替として、１つの種類の指紋は、選別ルールに従って、選別によって獲得された、ショートカットに対応していてよい。例えば、ユーザの人差し指は、時間期間内においてユーザによって頻繁にタップされた、特定の数量のアプリケーションのショートカット、例えば、先週中にユーザによって頻繁に動作させられた、５つのアプリケーションのショートカットに対応している。中指は、現在の環境パラメータ情報に従った決定を実行することによって、おそらくは現在の環境において使用されると思われる、特定の数量のアプリケーションのショートカットに対応している。例えば、現在の環境パラメータ情報に従って、ユーザが戸外にいると決定された場合、天気の種類に属するアプリケーション、および交通の種類に属するアプリケーションなどの、アプリケーションが、使用されてよい。ショートカット選択を多様化し、ユーザ操作を容易にするために、ユーザが、ユーザの使用習慣に従って、異なる設定を実行することができるように、異なる指紋は、異なるショートカットに対応している。
【０１２１】
任意選択の実施形態においては、異なる指紋は、異なるショートカット配置に対応していてよい。特に、端末は、異なる指紋と異なるショートカット配置ルールとの間の対応を事前に記憶してよい。配置ルールは、ショートカット数量ルール、ショートカット配置パターンルール、ショートカット配置位置ルール、またはショートカット配置間隔ルールなどのうちの少なくとも１つを含んでよい。ショートカット数量ルールは、ショートカットの数量である。例えば、ショートカットの数量は、時間期間内におけるそれの使用頻度が特定の値を超えた、すべてのアプリケーションのショートカットの数量、例えば、１日のうちに１１回以上使用された、アプリケーションのショートカットの数量であってよく、または特定の比率に従って提示される、アプリケーションのショートカットの数量、例えば、最も頻繁に使用された、最初の５つのアプリケーションのショートカットの数量であってよく、または５回など、固定された値であってよい。固定された値は、システムによって事前に設定されてよく、またはユーザによって定義されてよい。ショートカット配置パターンルールは、ショートカット配置形態である。例えば、タッチスクリーン上の座標点が、センタとして使用される。図４に示されるように、ショートカットは、座標点の周りに小区画が集まった形状で配置され、または長方形形状で配置され、またはユーザによって定義されたパターンで配置される。ショートカット配置位置ルールは、ショートカットがスクリーン上において提示される位置を定義する。例えば、ショートカットは、スクリーン上のセンタポイントの位置をセンタとして使用することによって、配置される。ユーザが、端末を、左手を使用することによって保持しているか、それとも右手を使用することによって保持しているかが、ユーザの手持ちステータスに従って、さらに決定されてよく、ユーザが、端末を、左手を使用することによって保持しているとき、端末は、ショートカット配置位置をインテリジェントに調整してよい。端末が、左手を使用することによって保持されているか、それとも右手を使用することによって保持されているかを決定することは、当技術分野における先行技術に属しており、詳細は、本明細書において、さらには説明されない。ショートカット配置間隔ルールは、複数のショートカット間の相互間隔を意味する。例えば、デフォルトで８つのショートカットが、システムによって提示される。ショートカットは、半径が０．５センチメートルの円で配置され、または半径が１センチメートルの円で配置される。特定のルールは、アプリケーションのために、互いに組み合わされてよく、ルールは、ユーザによって設定されてよく、またはシステムによって事前に設定されてよい。ユーザが、ユーザの使用習慣に従って、ユーザが好む配置形態を設定することができ、それによって、カスタマイズを実施し、ユーザエクスペリエンスを改善するように、異なる指紋は、異なるショートカット配置ルールに対応している。
【０１２２】
可能な実施においては、指紋ジェスチャまたは指紋を獲得した後、端末の指紋センサは、指紋ジェスチャが、事前に設定された指紋ジェスチャとマッチするかどうかを決定し、または指紋が、事前に設定された指紋とマッチするかどうかを決定する。指紋ジェスチャが、事前に設定された指紋ジェスチャとマッチしたとき、または指紋が、事前に設定された指紋とマッチしたとき、端末のスクリーン上のいずれかの座標点が、獲得され、座標点が、センタとして使用され、対応するショートカットが、事前に設定された配置方式で、座標点の周りに提示される。タッチスクリーン上のいずれかのポイントにおけるユーザのスライディング操作が、獲得され、タッチスクリーン上のいずれかのポイントにおけるユーザのスライディング操作が、座標点を開始ポイントとして使用するスライディング操作にマッピングされる。座標点を開始ポイントとして使用するスライディング操作を獲得した後、端末は、スライディング操作のスライディング方向を獲得し、スライディング方向に対応するショートカットを動作させる。このように、端末が、指紋を認証し、ショートカットを提示した後、ユーザは、もはや、ショートカットを動作させるために、特定の位置においてショートカットをタップする必要はなく、それによって、ユーザ操作の利便性を改善する。
【０１２３】
可能な実施においては、指紋ジェスチャが、事前に設定された指紋ジェスチャとマッチしたとき、または指紋が、事前に設定された指紋とマッチしたとき、ユーザが、現在、端末を、左手を使用することによって操作しているか、それとも右手を使用することによって操作しているかを決定するために、端末は、センサを使用することによって、ユーザが、端末を、左手を使用することによって保持しているか、それとも右手を使用することによって保持しているかをさらに決定してよい。さらに、配置位置または配置パターンなどの、ショートカット配置ルールは、ユーザが、端末を、左手を使用することによって操作しているか、それとも右手を使用することによって操作しているかに従って、決定される。例えば、ユーザが、端末を、右手を使用することによって操作しているとき、ユーザが、素早く便利にショートカットを選択することができ、それによって、ユーザの使用利便性を改善するように、ショートカットは、端末のディスプレイスクリーン上の下方右隅に、扇形形状で提示されてよい。
【０１２４】
可能な実施においては、指紋ジェスチャまたは指紋を獲得した後、端末の指紋センサは、指紋ジェスチャが、事前に設定された指紋ジェスチャとマッチするかどうかを決定し、または指紋が、事前に設定された指紋とマッチするかどうかを決定する。指紋ジェスチャが、事前に設定された指紋ジェスチャとマッチしたとき、または指紋が、事前に設定された指紋とマッチしたとき、端末のスクリーン上のいずれかの座標点が、獲得され、座標点が、センタとして使用され、対応するショートカットが、事前に設定された配置方式で、座標点の周りに提示される。指紋センサ上におけるユーザのスライディング操作が、獲得され、指紋センサ上におけるユーザのスライディング操作が、座標点を開始ポイントとして使用するスライディング操作にマッピングされる。座標点を開始ポイントとして使用するスライディング操作を獲得した後、端末は、スライディング操作のスライディング方向を獲得し、スライディング方向に対応するショートカットを動作させる。このように、ユーザは、指紋センサを操作するだけで、ショートカットを選択し、動作させることができ、ユーザは、ショートカットを決定した後、選択のためにタッチスクリーンをタップする必要はなく、それによって、タッチ効率性を大きく改善する。
【０１２５】
実際の製品実施の間、以下のシナリオが、生じてよい。端末の指紋センサは、相対的に小さいタッチエリアを有し、スライディング方向は、正確に検出されることができない。可能な実施においては、指紋ジェスチャ認識または指紋認識が実行され、ショートカットがディスプレイスクリーン上に提示された後、ショートカットを決定するために、タッチスクリーン、または端末の他の任意のタッチコンポーネントが、さらに使用されて、スクリーンまたは操作コンポーネント上においてユーザによって実行された操作の操作ベクトルの方向を決定してよい。例えば、Ｍａｔｅ  ７の背面上の指紋コンポーネントが、人差し指または中指の指紋ジェスチャを認識した後、ショートカットが、表示される。親指が、スクリーン上においてある方向にスライドしたとき、対応する方向におけるショートカットが、選択され、実行される。親指は、スクリーン上の任意の位置において操作されてよく、端末は、操作ベクトルの方向情報を決定しさえすればよく、方向情報に従って、ショートカットを決定する。
【０１２６】
製品実施の間、端末がスクリーンロック状態にあるシナリオが、さらに生じてよい。可能な実施においては、指紋ジェスチャまたは指紋が、ショートカットを提示するために使用されるとき、指紋ジェスチャまたは指紋は、アンロッキングのためにさらに使用されてよい。すなわち、端末が、スクリーンロック状態にあるとき、すなわち、端末が、現在、スクリーンロックインターフェースを提示しているとき、端末は、指紋センサを使用することによってユーザによって入力された指紋イベントを獲得する。指紋イベントが、事前に設定された指紋イベントとマッチするとき、端末は、アンロッキング操作を実行し、アンロッキング後に、ディスプレイスクリーン上に提示されたインターフェース上に、対応するショートカットを提示する。可能な実施においては、スクリーンロック状態において、指紋ジェスチャまたは指紋が、アンロッキングのために使用されることができない場合、端末は、ユーザによって入力されたアンロッキング命令を獲得し、アンロッキング命令に従って、スクリーンロック状態を終了させる。端末は、ユーザによって入力された指紋ジェスチャまたは指紋を獲得し、指紋ジェスチャまたは指紋を認証することを試み、認証が成功したとき、対応するショートカットを提示する。代替として、可能な実施においては、指紋ジェスチャまたは指紋が、ショートカットを提示するために使用されるとき、指紋ジェスチャまたは指紋は、アンロッキングのために使用されない。代わりに、ユーザによって操作コンポーネントをトリガすることによって生成された操作ベクトルが、獲得された後、端末が、アンロッキング後のスクリーン上において、操作ベクトルに対応するショートカットを動作させることができ、さらに動作結果を提示することができるように、アンロッキングが、実行される。代替として、可能な実施においては、操作ベクトルに対応するショートカットの動作結果が、最終的に提示されるときにだけ、アンロック状態に入ってよい。すなわち、端末は、ショートカットが動作させられるときは、まだスクリーンロック状態にあり、ショートカットの動作結果が、提示されるとき、端末は、アンロック状態になる。もちろん、可能な実施においては、操作ベクトルに対応するショートカットの動作結果は、スクリーンロックインターフェース上に提示されてよい。これは、限定ではない。端末のスクリーンロックインターフェースは、端末がユーザの必要性をタイムリな方式で知り、それによって、異なる状態において端末を操作する利便性を改善し、ユーザエクスペリエンスを改善するように、検討される。
【０１２７】
製品実施の間、端末がスクリーンオフ状態にあるシナリオが、さらに生じてよい。可能な実施においては、端末は、スクリーンがオフである状態にあり、スクリーンは、ロックされていない。スクリーンオフ状態において、端末は、ユーザによって入力された指紋ジェスチャまたは指紋を獲得し、スクリーンを明るくし、指紋ジェスチャまたは指紋が、事前に設定された指紋イベントとマッチするかどうかを、認証によって、決定することを試み、認証結果が、指紋ジェスチャまたは指紋が、事前に設定された指紋イベントとマッチするというものであるとき、現在のインターフェース上に対応するショートカットを提示する。可能な実施においては、端末は、スクリーンオフ状態およびスクリーンロック状態の両方にある。このケースにおいては、指紋ジェスチャまたは指紋は、ショートカットを呼び出すために使用されてよく、アンロッキングのためにさらに使用されてよい。すなわち、スクリーンオフ状態において、端末は、ユーザによって入力された指紋ジェスチャまたは指紋を獲得する。端末は、スクリーンを明るくし、指紋ジェスチャまたは指紋が、事前に設定された指紋イベントとマッチするかどうかを、認証によって、決定することを試みる。認証結果が、指紋ジェスチャまたは指紋が、事前に設定された指紋イベントとマッチするというものであるとき、端末は、アンロッキング操作を実行し、アンロッキング後に、ディスプレイスクリーン上に提示されたインターフェース上に、対応するショートカットを提示する。スクリーンを明るくし、端末によって認証を実行する操作は、同時に実行されてよく、または要件に従って、順番に実行されてよいことに留意されたい。ユーザの知覚の観点からは、指紋イベントが入力された後、端末は、最初に、スクリーンを明るくし、スクリーンロックインターフェースを提示し、次に、アンロッキング後のインターフェースを表示し、さらに、アンロッキング後のインターフェース上に、対応するショートカットを提示する。
【０１２８】
本発明の実施形態においては、図３に示される方法において、方法は、ユーザによって入力された指紋イベントが、事前に設定された指紋イベントとマッチしない場合、スクリーンロックインターフェースを提示するステップであって、少なくとも１つのショートカットが、スクリーンロックインターフェース上に提示される、ステップと、指紋センサ上におけるユーザのスライディング操作を獲得するステップと、指紋センサ上におけるユーザのスライディング方向に従って、スクリーンロックインターフェース上に提示された少なくとも１つのショートカットのうちの第２のショートカットを決定するステップと、第２のショートカットを動作させ、動作結果を提示するステップとをさらに含む。第２のショートカットがカメラアプリケーションのアイコンである例が、使用される。事前に設定された指紋イベントが、人差し指の指紋であり、ユーザによって入力された指紋が、親指の指紋である場合、このケースにおいては、端末は、事前に設定された指紋イベントと、ユーザによって入力された指紋イベントが、マッチしないことを、認証によって、決定し、スクリーンロックインターフェースを提示する。カメラアプリケーションのショートカットが、スクリーンロックインターフェース上に提示される。例えば、カメラアプリケーションは、端末の現在のディスプレイスクリーン上の下方右隅に提示される。指紋センサ上におけるユーザのスライディング操作が、獲得される。スライディング操作は、任意の指を使用することによって実行されてよく、または事前に設定された指紋だけを使用して実行されてよい。指紋センサ上におけるユーザのスライディング操作が、上方向のスライディング操作であると決定されたとき、カメラアプリケーションが、動作させられ、ビューファインダが、提示される。この実施形態においては、ユーザが、指紋センサ上においてスライディング操作を実行することによって、対応するショートカットをオープンすることができ、ユーザが、操作を実行するためにタッチスクリーンへと指を移動させることなく、素早く便利にショートカットを動作させることができ、それによって、操作持続時間を短縮し、操作効率性を改善するように、ショートカットは、スクリーンロックインターフェース上に提示される。
【０１２９】
本発明の実施形態においては、図１に示されるように、本発明のこの実施形態は、モバイル端末をさらに提供する。モバイル端末は、図３に示される方法、または方法の実施形態における任意の方法手順を実行するために、使用されてよい。それと同じまたは対応する技術的特徴については、方法の実施形態における記述を参照されたい。モバイル端末は、ユーザによって入力された指紋イベントを獲得するように構成された、入力デバイス１０２と、ユーザによって入力された指紋イベントが、事前に設定された指紋イベントとマッチする場合、少なくとも１つのショートカットを提示するように構成された、出力デバイス１０５と、ユーザによってモバイル端末を操作することによって入力される操作ベクトルを獲得するように構成された、少なくとも１つの操作コンポーネント１０４と、操作ベクトルに従って、少なくとも１つのショートカットのうちの第１のショートカットを動作させるように構成された、プロセッサ１０１とを含む。出力デバイス１０５は、プロセッサ１０１が第１のショートカットを動作させた後、動作結果を提示するようにさらに構成される。任意選択で、出力デバイス１０５は、ディスプレイスクリーンであってよく、または投影機能を有するプロジェクタであってよい。本明細書における、操作コンポーネント１０４および入力デバイス１０２は、一般的な言及にすぎないことに留意されたい。実際の製品実施の間、操作コンポーネント１０４と入力デバイス１０２は、同じデバイスであってよい。例えば、操作コンポーネント１０４および入力デバイス１０２は、ともに、指紋センサである。操作コンポーネント１０４と入力デバイス１０２は、異なるデバイスであってよい。例えば、入力デバイスは、指紋センサであり、操作コンポーネントは、タッチスクリーンである。端末は、電力をモバイル端末に供給するように構成された、電源１０６をさらに含み、モバイル端末のための対応するコードなどを記憶するように構成された、メモリ１０３をさらに含む。本発明のこの実施形態においては、ユーザが、便利に素早くショートカットを動作させることができ、それによって、操作持続時間を短縮し、操作効率性を改善するように、ショートカットが、指紋イベント間のマッチングを実行することによって提示され、動作させられるショートカットは、ユーザによってモバイル端末を操作することによって生成される操作ベクトルに従って決定され、ショートカットが、動作させられ、動作結果が、提示される。
【０１３０】
モバイル端末の実施形態においては、少なくとも１つの操作コンポーネントは、指紋センサであってよい。少なくとも１つの操作コンポーネントが、ユーザによってモバイル端末を操作することによって入力された操作ベクトルを獲得するように構成されることは、特に、指紋センサが、指紋センサ上におけるユーザのスライディング方向を獲得するように構成されることである。プロセッサは、指紋センサ上におけるユーザのスライディング方向に従って、少なくとも１つのショートカットのうちの第１のショートカットを決定し、第１のショートカットを動作させるように特に構成される。
【０１３１】
モバイル端末の実施形態においては、少なくとも１つの操作コンポーネントは、タッチスクリーンであってよい。少なくとも１つの操作コンポーネントが、ユーザによってモバイル端末を操作することによって入力された操作ベクトルを獲得するように構成されることは、特に、タッチスクリーンが、タッチスクリーン上におけるユーザのスライディング方向を獲得するように構成されることである。プロセッサは、タッチスクリーン上におけるユーザのスライディング方向に従って、少なくとも１つのショートカットのうちの第１のショートカットを決定し、第１のショートカットを動作させるように特に構成される。
【０１３２】
モバイル端末の実施形態においては、任意選択で、出力デバイスは、入力デバイスがユーザによって入力された指紋イベントを獲得する前に、スクリーンロックインターフェースを提示するようにさらに構成される。プロセッサは、ユーザによって入力された指紋イベントが、事前に設定された指紋イベントとマッチする場合、アンロッキング操作を実行するようにさらに構成される。出力デバイスは、プロセッサがアンロッキング操作を実行した後、少なくとも１つのショートカットを提示するように特に構成される。
【０１３３】
モバイル端末の実施形態においては、任意選択で、出力デバイスは、入力デバイスがユーザによって入力された指紋イベントを獲得する前に、スクリーンロックインターフェースを提示するようにさらに構成される。出力デバイスは、ユーザによって入力された指紋イベントが、事前に設定された指紋イベントとマッチする場合、スクリーンロックインターフェース上に少なくとも１つのショートカットを提示するように特に構成される。出力デバイスは、プロセッサが少なくとも１つのショートカットのうちの第１のショートカットを動作させた後、スクリーンロックインターフェース上に動作結果を提示するように特に構成される。
【０１３４】
モバイル端末の実施形態においては、任意選択で、出力デバイスは、入力デバイスがユーザの指紋イベントを獲得する前に、スクリーンオフ状態を提示するようにさらに構成される。出力デバイスは、ユーザによって入力された指紋イベントが、事前に設定された指紋イベントとマッチする場合、電源オン操作を実行し、スクリーンを明るくし、少なくとも１つのショートカットを提示するように特に構成される。
【０１３５】
モバイル端末の実施形態においては、入力デバイスは、指紋センサである。出力デバイスは、ユーザによって入力された指紋イベントが、事前に設定された指紋イベントとマッチしない場合、スクリーンロックインターフェースを提示するようにさらに構成され、少なくとも１つのショートカットは、スクリーンロックインターフェース上に提示される。指紋センサは、出力デバイスがスクリーンロックインターフェースを提示した後、指紋センサ上におけるユーザのスライディング方向を獲得するようにさらに構成される。プロセッサは、指紋センサ上におけるユーザのスライディング方向に従って、スクリーンロックインターフェース上に提示された少なくとも１つのショートカットのうちの第２のショートカットを決定し、第２のショートカットを動作させるようにさらに構成される。出力デバイスは、プロセッサが第２のショートカットを動作させた後、動作結果を提示するようにさらに構成される。
【０１３６】
モバイル端末の実施形態においては、出力デバイスが少なくとも１つのショートカットを提示することは、出力デバイスが、事前に設定された配置ルールに従って、現在提示されている第１のインターフェース上の事前に設定された領域内に、少なくとも１つのショートカットを提示すること、または出力デバイスが、第１のインターフェースから第２のインターフェースへの切り換えを実行し、事前に設定された配置ルールに従って、第２のインターフェース上の事前に設定された領域内に、少なくとも１つのショートカットを提示することであって、第１のインターフェースは、出力デバイスの現在提示されているインターフェースである、提示すること、または出力デバイスが、現在提示されている第１のインターフェース上に一時停止インターフェースを提示し、事前に設定された配置ルールに従って、一時停止インターフェース上に、少なくとも１つのショートカットを提示することを含む。
【０１３７】
モバイル端末の実施形態においては、出力デバイスは、少なくとも１つのショートカットを提示した後、少なくとも１つの操作コンポーネントが、事前に設定された持続時間内に、ユーザによってモバイル端末を操作することによって入力される操作ベクトルを獲得しない場合、スクリーンロックインターフェースを提示するようにさらに構成される。代替として、出力デバイスは、少なくとも１つのショートカットを提示した後、少なくとも１つの操作コンポーネントが、事前に設定された持続時間内に、ユーザによってモバイル端末を操作することによって入力される操作ベクトルを獲得しない場合、システムアプリケーションインターフェースを提示するようにさらに構成される。
【０１３８】
モバイル端末の実施形態においては、入力デバイスは、指紋センサを含む。入力デバイスが、ユーザによって入力された指紋イベントを獲得することは、指紋センサが、ユーザによって入力された指紋を獲得すること、または指紋センサが、ユーザによって入力された第１の指紋ジェスチャを獲得することであって、第１の指紋ジェスチャは、特定の指紋を使用することによって指紋センサ上においてユーザによって実行される、タップ操作、ダブルタップ操作、タッチアンドホールド操作、もしくはスライディング操作のうちの少なくとも１つである、獲得すること、または入力デバイスが、ユーザによって入力された第２の指紋ジェスチャを獲得することであって、第２の指紋ジェスチャは、特定の指紋を使用することによってユーザによって指紋センサをトリガすることによって生成される操作と、ユーザによって別の操作コンポーネントをトリガすることによって生成される操作との組み合わせである、獲得することを含む。
【０１３９】
モバイル端末の実施形態においては、異なる指紋イベントは、異なるショートカットに対応している。
【０１４０】
モバイル端末の実施形態においては、出力デバイスは、事前に設定された配置ルールに従って、少なくとも１つのショートカットを提示するように特に構成され、異なる指紋イベントは、異なるショートカット配置ルールに対応している。配置ルールは、ショートカット数量ルール、ショートカット配置パターンルール、ショートカット配置位置ルール、またはショートカット配置間隔ルールのうちの少なくとも１つを含む。
【０１４１】
モバイル端末の実施形態においては、出力デバイスによって表示されるショートカットは、アプリケーションプログラムのショートカット、特定の機能のショートカット、または特定のアプリケーションの内部要素のショートカットのうちの少なくとも１つを含む。
【０１４２】
本発明の実施形態においては、図１１に示されるように、本発明のこの実施形態は、装置をさらに提供する。装置は、図３に示される方法、または方法の実施形態における任意の方法手順を実行するために、使用されてよい。それと同じまたは対応する技術的特徴については、方法の実施形態における記述を参照されたい。装置は、ユーザによって入力された指紋イベントを獲得するように構成された、指紋イベント獲得モジュール１１０１と、ユーザによって入力された指紋イベントが、事前に設定された指紋イベントとマッチする場合、少なくとも１つのショートカットを提示するように構成された、ショートカット提示モジュール１１０２と、ユーザによってモバイル端末の少なくとも１つの操作コンポーネントを操作することによって生成される操作ベクトルを獲得するように構成された、操作ベクトル獲得モジュール１１０３と、操作ベクトルに従って、少なくとも１つのショートカットのうちの第１のショートカットを動作させるように構成された、動作モジュール１１０４と、動作モジュールが第１のショートカットを動作させた後、動作結果を提示するように構成された、結果提示モジュール１１０５とを含む。本発明のこの実施形態においては、ユーザが、便利に素早くショートカットを動作させることができ、それによって、操作持続時間を短縮し、操作効率性を改善するように、ショートカットが、指紋イベント間のマッチングを実行することによって提示され、動作させられるショートカットは、ユーザによってモバイル端末を操作することによって生成される操作ベクトルに従って決定され、ショートカットが、動作させられ、動作結果が、提示される。
【０１４３】
モバイル端末の実施形態においては、少なくとも１つの操作コンポーネントは、指紋センサであってよい。操作ベクトル獲得モジュールは、指紋センサ上におけるユーザのスライディング方向を獲得するように特に構成される。動作モジュールは、指紋センサ上におけるユーザのスライディング方向に従って、少なくとも１つのショートカットのうちの第１のショートカットを決定し、第１のショートカットを動作させるように特に構成される。
【０１４４】
モバイル端末の実施形態においては、少なくとも１つの操作コンポーネントは、タッチスクリーンである。操作ベクトル獲得モジュールは、タッチスクリーン上におけるユーザのスライディング方向を獲得するように特に構成される。動作モジュールは、タッチスクリーン上におけるユーザのスライディング方向に従って、少なくとも１つのショートカットのうちの第１のショートカットを決定し、第１のショートカットを動作させるように特に構成される。
【０１４５】
モバイル端末の実施形態においては、任意選択で、装置は、第１のスクリーンロック提示モジュールをさらに含む。第１のスクリーンロック提示モジュールは、指紋イベント獲得モジュールがユーザによって入力された指紋イベントを獲得する前に、スクリーンロックインターフェースを提示するように構成される。ショートカット提示モジュールは、ユーザによって入力された指紋イベントが、事前に設定された指紋イベントとマッチする場合、アンロッキング操作を実行し、アンロッキング後に、事前に設定された配置ルールに従って、少なくとも１つのショートカットを提示するように特に構成される。
【０１４６】
モバイル端末の実施形態においては、任意選択で、装置は、第２のスクリーンロック提示モジュールをさらに含む。第２のスクリーンロック提示モジュールは、指紋イベント獲得モジュールがユーザによって入力された指紋イベントを獲得する前に、スクリーンロックインターフェースを提示するように構成される。ショートカット提示モジュールは、ユーザによって入力された指紋イベントが、事前に設定された指紋イベントとマッチする場合、スクリーンロックインターフェース上に少なくとも１つのショートカットを提示するように特に構成される。結果提示モジュールは、動作モジュールが少なくとも１つのショートカットのうちの第１のショートカットを動作させた後、スクリーンロックインターフェース上に動作結果を提示するように特に構成される。代替として、結果提示モジュールは、動作モジュールが少なくとも１つのショートカットのうちの第１のショートカットを動作させた後、動作結果をアンロック状態で提示するように特に構成される。
【０１４７】
モバイル端末の実施形態においては、任意選択で、装置は、スクリーンオフ制御モジュールをさらに含む。スクリーンオフ制御モジュールは、指紋イベント獲得モジュールがユーザによって入力された指紋イベントを獲得する前に、モバイル端末がスクリーンオフ状態を提示することを可能にするように構成される。ショートカット提示モジュールは、ユーザによって入力された指紋イベントが、事前に設定された指紋イベントとマッチする場合、スクリーンを明るくし、少なくとも１つのショートカットを提示するように特に構成される。
【０１４８】
モバイル端末の実施形態においては、装置は、ユーザによって入力された指紋イベントが、事前に設定された指紋イベントとマッチしない場合、スクリーンロックインターフェースを提示するように構成された、第３のスクリーンロック提示モジュールであって、少なくとも１つのショートカットが、スクリーンロックインターフェース上に提示される、第３のスクリーンロック提示モジュールをさらに含む。操作ベクトル獲得モジュールは、指紋センサ上におけるユーザのスライディング方向を獲得するようにさらに構成される。動作モジュールは、指紋センサ上におけるユーザのスライディング方向に従って、スクリーンロックインターフェース上に提示された少なくとも１つのショートカットのうちの第２のショートカットを決定し、第２のショートカットを動作させるようにさらに構成される。結果提示モジュールは、動作モジュールが第２のショートカットを動作させた後、動作結果を提示するようにさらに構成される。
【０１４９】
モバイル端末の実施形態においては、ショートカット提示モジュールが少なくとも１つのショートカットを提示することは、ショートカット提示モジュールが、事前に設定された配置ルールに従って、現在提示されている第１のインターフェース上の事前に設定された領域内に、少なくとも１つのショートカットを提示すること、またはショートカット提示モジュールが、第１のインターフェースから第２のインターフェースへの切り換えを実行し、事前に設定された配置ルールに従って、第２のインターフェース上の事前に設定された領域内に、少なくとも１つのショートカットを提示することであって、第１のインターフェースは、現在提示されているインターフェースである、提示すること、またはショートカット提示モジュールが、現在提示されている第１のインターフェース上に一時停止インターフェースを提示し、事前に設定された配置ルールに従って、一時停止インターフェース上に、少なくとも１つのショートカットを提示することを含む。
【０１５０】
モバイル端末の実施形態においては、装置は、タイミング提示モジュールをさらに含む。タイミング提示モジュールは、ショートカット提示モジュールが少なくとも１つのショートカットを提示した後、ユーザによってモバイル端末の少なくとも１つの操作コンポーネントを操作することによって生成される操作ベクトルが、事前に設定された持続時間内に獲得されないとき、スクリーンロックインターフェースを提示するように構成される。代替として、タイミング提示モジュールは、ショートカット提示モジュールが少なくとも１つのショートカットを提示した後、ユーザによってモバイル端末の少なくとも１つの操作コンポーネントを操作することによって生成される操作ベクトルが、事前に設定された持続時間内に獲得されないとき、システムアプリケーションインターフェースを提示するように構成される。
【０１５１】
モバイル端末の実施形態においては、指紋イベント獲得モジュールは、ユーザによって入力された指紋を獲得するように特に構成される。代替として、指紋イベント獲得モジュールは、ユーザによって入力された第１の指紋ジェスチャを獲得するように特に構成され、第１の指紋ジェスチャは、特定の指紋を使用することによって指紋センサ上においてユーザによって実行される、タップ操作、ダブルタップ操作、タッチアンドホールド操作、またはスライディング操作のうちの少なくとも１つである。代替として、指紋イベント獲得モジュールは、ユーザによって入力された第２の指紋ジェスチャを獲得するように特に構成され、第２の指紋ジェスチャは、特定の指紋を使用することによってユーザによって指紋センサをトリガすることによって生成される操作と、ユーザによって別の操作コンポーネントをトリガすることによって生成される操作との組み合わせである。
【０１５２】
モバイル端末の実施形態においては、指紋イベント獲得モジュールによって獲得される異なる指紋イベントは、異なるショートカットに対応している。
【０１５３】
モバイル端末の実施形態においては、ショートカット提示モジュールは、事前に設定された配置ルールに従って、少なくとも１つのショートカットを提示するように特に構成され、指紋イベント獲得モジュールによって獲得される異なる指紋イベントは、異なるショートカット配置ルールに対応している。配置ルールは、ショートカット数量ルール、ショートカット配置パターンルール、ショートカット配置位置ルール、またはショートカット配置間隔ルールのうちの少なくとも１つを含む。
【０１５４】
モバイル端末の実施形態においては、ショートカット提示モジュールによって提示されるショートカットは、アプリケーションプログラムのショートカット、特定の機能のショートカット、または特定のアプリケーションの内部要素のショートカットのうちの少なくとも１つを含む。
【０１５５】
図１２に示されるように、図１２は本発明の実施形態に従った、指紋認識を用いる操作方法のフローチャートである。方法は、以下のステップを含む。
【０１５６】
Ｓ１２０１。指紋センサを使用することによって、ユーザによって入力された指紋イベントを獲得する。
【０１５７】
具体的には、Ｓ１０１における記述を参照されたく、詳細は、ここでは説明されない。
【０１５８】
Ｓ１２０２。ユーザによって入力された指紋イベントが、事前に設定された指紋イベントとマッチしないとき、スクリーンロックインターフェースを提示し、少なくとも１つのショートカットは、スクリーンロックインターフェース上に提示され、ショートカットは、アプリケーションプログラムのショートカット、特定の機能のショートカット、または特定のアプリケーションの内部要素のショートカットのうちの少なくとも１つを含む。
【０１５９】
ユーザによって入力された指紋イベントが、指紋画像であるとき、ユーザによって入力された指紋イベントが、事前に設定された指紋イベントとマッチしないことは、ユーザによって入力された指紋画像が、すべての事前に記憶された画像と異なること、または類似性が、すべて、事前に設定された閾値よりも小さいことを含む。
【０１６０】
ユーザによって入力された指紋イベントが、ユーザによって指紋センサにタッチする指紋ジェスチャであるとき、すなわち、特定の指紋を使用することによって指紋センサ上においてユーザによって実行される、タップ操作、ダブルタップ操作、タッチアンドホールド操作、またはスライディング操作のうちの少なくとも１つであるとき、ユーザによって入力された指紋イベントが、事前に設定された指紋イベントとマッチしないことは、ユーザによって指紋センサにタッチするための指紋が、指紋ジェスチャの事前に設定された指紋と異なること、または指紋センサ上において実行された操作が、異なること、または操作間の類似性が、事前に設定された閾値よりも小さいことを含む。
【０１６１】
ユーザによって入力された指紋イベントが、ユーザによって指紋センサにタッチする指紋ジェスチャであるとき、すなわち、特定の指紋を使用することによってユーザによって指紋センサをトリガすることによって生成される操作命令と、ユーザによって別の操作コンポーネントをトリガすることによって生成される操作命令との組み合わせであるとき、ユーザによって入力された指紋イベントが、事前に設定された指紋イベントとマッチしないことは、ユーザによって指紋センサにタッチするための指紋が、指紋ジェスチャの事前に設定された指紋と異なること、またはユーザによってタッチされる他の操作コンポーネントが、異なること、またはユーザによって他のコンポーネントにタッチするための操作が、異なること、もしくは偏差が、事前に設定された範囲内に入らないことを含む。
【０１６２】
少なくとも１つのショートカットは、スクリーンロックインターフェース上に、例えば、上述の説明における複数のショートカット配置形態で提示されてよい。代替として、ただ１つのショートカット、例えば、カメラアプリケーションのアイコンが、スクリーンロックインターフェース上に存在してよい。
【０１６３】
Ｓ１２０３。指紋センサ上におけるユーザのスライディング方向を獲得する。
【０１６４】
ユーザは、指紋センサ上においてスライディング操作を実行し、端末は、ユーザのスライディング軌道を獲得し、スライディング操作のスライディング方向を決定する。
【０１６５】
Ｓ１２０４。指紋センサ上におけるユーザのスライディング方向に従って、スクリーンロックインターフェース上に提示された少なくとも１つのショートカットのうちの第２のショートカットを決定する。
【０１６６】
上述の実施形態において説明されたように、スクリーンロックインターフェースが、複数のショートカットを含むとき、指紋センサ上におけるスライディング開始ポイントは、複数のショートカットのセンタポイントにマッピングされてよく、センタポイントに対応するスライディング方向におけるショートカットが、指紋センサによって獲得されるスライディング軌道のスライディング方向に従って、決定される。
【０１６７】
スクリーンロックインターフェースが、ただ１つのショートカットを含むとき、ショートカットは、ディスプレイスクリーンのエッジ上に配置され、スライディング方向は、ショートカットを開始ポイントとして使用する、ディスプレイスクリーンの内側に向かうスライディングによって獲得され、ショートカットが、動作させられる。代替として、スクリーンロックインターフェースが、ただ１つのショートカットを含むとき、ショートカットは、指紋センサ上におけるユーザのスライディングが検出されたならば、動作させられてよい。図１３は、例として使用される。図１３において、ユーザによって入力された指紋イベントが、事前に設定された指紋イベントとマッチしないとき、スクリーンロックインターフェースが、提示される。スクリーンロックインターフェースは、カメラアプリケーションのショートカットを含む。カメラアプリケーションは、端末の現在のディスプレイスクリーン上の下方右隅に提示される。指紋センサ上におけるユーザのスライディング操作が、獲得される。スライディング操作は、任意の指を使用することによって実行されてよく、または事前に設定された指紋だけを使用することによって実行されてよい。指紋センサ上におけるユーザのスライディング操作が、上方向のスライディング操作であることが決定されたとき、すなわち、スライディングが、ディスプレイスクリーンのエッジ上のショートカットを開始ポイントとして使用して、ディスプレイスクリーンの内側に向かって実行されたと決定されたとき、カメラアプリケーションが、動作させられ、カメラアプリケーションにおけるビューファインダが、提示される。この実施形態においては、ユーザが、指紋センサ上においてスライディング操作を実行することによって、対応するショートカットをオープンすることができ、ユーザが、操作を実行するためにタッチスクリーンへと指を移動させることなく、素早く便利にショートカットを動作させることができ、それによって、操作持続時間を短縮し、操作効率性を改善するように、ショートカットは、スクリーンロックインターフェース上に提示される。
【０１６８】
Ｓ１２０５。第２のショートカットを動作させ、動作結果を提示する。
【０１６９】
本発明のこの実施形態においては、指紋イベント認証が、実行され、認証が失敗した場合、端末のセキュリティが改善されるように、スクリーンロックインターフェースが、表示される。加えて、ユーザが、指紋センサ上においてスライディング操作を実行することによって、対応するショートカットをオープンすることができ、ユーザが、操作を実行するためにタッチスクリーンへと指を移動させることなく、素早く便利にショートカットを動作させることができ、それによって、操作持続時間を短縮し、操作効率性を改善するように、ショートカットは、スクリーンロックインターフェース上に提示される。
【０１７０】
本発明の実施形態においては、図１４に示されるように、本発明のこの実施形態は、モバイル端末をさらに提供する。モバイル端末は、図１２の方法の実施形態における方法手順を実行するために、使用されてよい。それと同じまたは対応する技術的特徴については、方法の実施形態における記述を参照されたい。モバイル端末は、指紋センサ１４０２を使用することによってユーザによって入力された指紋イベントを獲得するように構成された、指紋センサ１４０２と、ユーザによって入力された指紋イベントが、事前に設定された指紋イベントとマッチしない場合、スクリーンロックインターフェースを提示するように構成された、出力デバイス１４０５であって、スクリーンロックインターフェースは、少なくとも１つのショートカットを含み、指紋センサ１４０２は、指紋センサ上におけるユーザのスライディング操作を獲得するようにさらに構成される、出力デバイス１４０５と、指紋センサ上におけるユーザのスライディング操作のスライディング方向に従って、スクリーンロックインターフェース上に含まれる少なくとも１つのショートカットのうちの第２のショートカットを決定し、第１のショートカットを動作させるように構成された、プロセッサ１４０１とを含む。出力デバイス１４０５は、プロセッサが第１のショートカットを動作させた後、動作結果を提示するようにさらに構成される。端末は、電力をモバイル端末に供給するように構成された、電源１４０６をさらに含み、モバイル端末のための対応するコードなどを記憶するように構成された、メモリ１４０３をさらに含む。アプリケーションプログラム１４０４などの、対応するソフトウェアが、端末内にさらにインストールされる。端末は、対応するソフトウェアを呼び出すことによって、対応する機能を実行する。指紋イベント認証が、実行され、認証が失敗した場合、端末のセキュリティが改善されるように、スクリーンロックインターフェースが、表示される。加えて、ユーザが、指紋センサ上においてスライディング操作を実行することによって、対応するショートカットをオープンすることができ、ユーザが、操作を実行するためにタッチスクリーンへと指を移動させることなく、素早く便利にショートカットを動作させることができ、それによって、操作持続時間を短縮し、操作効率性を改善するように、ショートカットは、スクリーンロックインターフェース上に提示される。
【０１７１】
本発明の実施形態においては、図１５に示されるように、本発明のこの実施形態は、装置をさらに提供する。装置は、図１２の方法の実施形態における方法手順を実行するために、使用されてよい。それと同じまたは対応する技術的特徴については、方法の実施形態における記述を参照されたい。装置は、ユーザによって入力された指紋イベントを獲得するように構成された、指紋イベント獲得モジュール１５０１と、ユーザによって入力された指紋イベントが、事前に設定された指紋イベントとマッチしない場合、スクリーンロックインターフェースを提示するように構成された、スクリーンロック提示モジュール１５０２であって、スクリーンロックインターフェースは、少なくとも１つのショートカットを含む、スクリーンロック提示モジュール１５０２と、指紋センサ上におけるユーザのスライディング操作を獲得するように構成された、スライディング操作獲得モジュール１５０３と、指紋センサ上におけるユーザのスライディング操作のスライディング方向に従って、スクリーンロックインターフェース上に含まれる少なくとも１つのショートカットのうちの第１のショートカットを決定するように構成された、決定モジュール１５０４と、第１のショートカットを動作させるように構成された、動作モジュール１５０５と、動作モジュールが第１のショートカットを動作させた後、動作結果を提示するように構成された、結果提示モジュール０５０６とを含む。
【０１７２】
本発明のすべての実施において、指紋センサ以外の、虹彩レコグナイザまたは網膜レコグナイザなどの、生物学的特徴レコグナイザが、モバイル端末内にさらにインストールされるとき、端末は、生物学的特徴レコグナイザを使用することによって、本発明の実施形態において説明されたソリューションを実行してよい。以下では、虹彩レコグナイザを例として使用する。虹彩レコグナイザは、事前に記憶された虹彩パターンがローカルに構成された、端末内に配置される。ユーザが、操作を実行するとき、端末は、虹彩レコグナイザを使用することによって、ユーザの虹彩特徴を獲得し、虹彩特徴を事前に記憶された虹彩パラメータとマッチングする。マッチングが成功したとき、端末のディスプレイスクリーンは、図５に示されるインターフェースを提示してよい。端末は、虹彩レコグナイザ、カメラ、または眼球レコグナイザを使用することによって、ユーザの眼球の動き、または視線の動きを収集し、その動きを端末によって認識されることができるイベントに変換する。例えば、ユーザの眼球が上方に動いたと、収集によって、決定したとき、端末は、その動きを、ショートカットのセンタポイントをセンタとして使用することによって、タッチスクリーン上で実行された、上方操作ベクトル方向における、スライディングイベントとして認識する。
【０１７３】
本発明の実施形態においては、「第１の」および「第２の」などの記述は、説明される対象を区別するためだけに使用され、実際的な意味を有さないことに留意されたい。例えば、ポータブル電子デバイスおよび端末などの意味。
【０１７４】
本発明の実施形態における機能モジュールは、１つの処理ユニットモジュールに統合されてよく、またはモジュールの各々は、物理的に単独で存在してよく、または２つ以上のモジュールが、１つのモジュールに統合される。統合されたモジュールは、ハードウェアの形態で実施されてよく、またはソフトウェア機能ユニットに加えて、ハードウェアの形態で実施されてよい。
【０１７５】
便利で簡潔な説明のために、機能モジュールの分割が、説明のための例として使用されることが、当業者によって、明確に理解されてよい。実際の適用においては、上述の機能は、異なる機能モジュールに割り当てられ、要件に従って実施されることができ、すなわち、装置の内部構造は、上で説明された機能の全部または一部を実施するために、異なる機能モジュールに分割される。装置の詳細な動作中の処理については、方法の実施形態における対応する処理を参照されたい。装置の実施原理および技術的効果は、同様であり、同じまたは対応する技術的特徴は、ここでは再び説明されない。
【０１７６】
最後に、実施形態は、本発明の技術的ソリューションを説明するために意図されたものにすぎず、本発明を限定するために意図されたものではいないことに留意されたい。本発明が、実施形態を参照して詳細に説明されたが、当業者は、彼らが、本発明の実施形態の技術的ソリューションの範囲から逸脱することなく、依然として、実施形態において説明された技術的ソリューションに変更を施してよく、またはそれの技術的特徴の一部もしくは全部に等価の置き換えを行ってよいことを理解すべきである。
【図１】
2018518751.tif 000003
【図２】
2018518751.tif 000004
【図３】
2018518751.tif 000005
【図４】
2018518751.tif 000006
【図５】
2018518751.tif 000007
【図６】
2018518751.tif 000008
【図７】
2018518751.tif 000009
【図８】
2018518751.tif 000010
【図９】
2018518751.tif 000011
【図１０】
2018518751.tif 000012
【図１１】
2018518751.tif 000013
【図１２】
2018518751.tif 000014
【図１３】
2018518751.tif 000015
【図１４】
2018518751.tif 000016
【図１５】
2018518751.tif 000017
【手続補正書】
【提出日】平成29年11月9日(2017.11.9)
【手続補正１】
【補正対象書類名】特許請求の範囲
【補正対象項目名】全文
【補正方法】変更
【補正の内容】
【特許請求の範囲】
【請求項１】
モバイル端末に適用される指紋認識を用いる操作方法であって、前記方法は、
ユーザによって入力された指紋イベントを獲得するステップと、
前記ユーザによって入力された前記指紋イベントが事前に設定された指紋イベントとマッチする場合、少なくとも１つのショートカットを提示するステップと、
操作ベクトルを獲得するステップであって、前記操作ベクトルは前記ユーザによって前記モバイル端末の少なくとも１つの操作コンポーネントを操作することによって生成される、該ステップと、
前記操作ベクトルに従って前記少なくとも１つのショートカットのうちの第１のショートカットを動作させ、および動作結果を提示するステップと
を備えたことを特徴とする操作方法。
【請求項２】
前記指紋イベントは前記モバイル端末上の第１の位置において獲得され、前記操作ベクトルは前記第１の位置から開始する前記ユーザによる前記操作コンポーネントの操作によって生成されることを特徴とする請求項１に記載の操作方法。
【請求項３】
前記少なくとも１つの操作コンポーネントは指紋センサであり、前記操作ベクトルは前記指紋センサ上における前記ユーザのスライディング方向を含むことを特徴とする請求項１または２に記載の操作方法。
【請求項４】
前記少なくとも１つの操作コンポーネントはタッチスクリーンであり、前記操作ベクトルは前記タッチスクリーン上における前記ユーザのスライディング方向を含むことを特徴とする請求項１または２に記載の操作方法。
【請求項５】
前記方法は、
前記ユーザによって入力された前記指紋イベントが前記事前に設定された指紋イベントとマッチしない場合、スクリーンロックインターフェースを提示するステップであって、少なくとも１つのショートカットは前記スクリーンロックインターフェース上に提示される、該ステップと、
指紋センサ上における前記ユーザのスライディング方向を獲得するステップと、
前記指紋センサ上における前記ユーザの前記スライディング方向に従って、前記スクリーンロックインターフェース上に提示された前記少なくとも１つのショートカットのうちの第２のショートカットを決定するステップと、
前記第２のショートカットを動作させ、および動作結果を提示するステップと
をさらに含むことを特徴とする請求項１、２、または４に記載の操作方法。
【請求項６】
少なくとも１つのショートカットを提示する前記ステップは、
事前に設定された配置ルールに従って現在提示されている第１のインターフェース上の事前に設定された領域内に、前記少なくとも１つのショートカットを提示するステップ、または
第１のインターフェースから第２のインターフェースへの切り換えを実行し、および事前に設定された配置ルールに従って前記第２のインターフェース上の事前に設定された領域内に、前記少なくとも１つのショートカットを提示するステップであって、前記第１のインターフェースは現在提示されているインターフェースである、該ステップ、または
現在提示されている第１のインターフェース上に一時停止インターフェースを提示し、および事前に設定された配置ルールに従って前記一時停止インターフェース上に前記少なくとも１つのショートカットを提示するステップ
を含むことを特徴とする請求項１ないし５のいずれか１つに記載の操作方法。
【請求項７】
異なる指紋イベントは、異なるショートカットに対応していることを特徴とする請求項１ないし６のいずれか１つに記載の操作方法。
【請求項８】
少なくとも１つのショートカットを提示する前記ステップは、前記事前に設定された配置ルールに従って前記少なくとも１つのショートカットを提示するステップを含み、異なる指紋イベントは異なるショートカット配置ルールに対応していることを特徴とする請求項１ないし６のいずれか１つに記載の操作方法。
【請求項９】
前記配置ルールは、ショートカット数量ルール、ショートカット配置パターンルール、ショートカット配置位置ルール、またはショートカット配置間隔ルールのうちの少なくとも１つを含むことを特徴とする請求項８に記載の操作方法。
【請求項１０】
モバイル端末に適用される指紋認識を用いる操作方法であって、前記方法は、
ユーザによって入力された指紋イベントを獲得するステップと、
前記ユーザによって入力された前記指紋イベントが事前に設定された指紋イベントとマッチしない場合、スクリーンロックインターフェースを提示するステップであって、前記スクリーンロックインターフェースは少なくとも１つのショートカットを含む、該ステップと、
指紋センサ上における前記ユーザのスライディング操作を獲得するステップと、
前記指紋センサ上における前記ユーザの前記スライディング操作のスライディング方向に従って、前記スクリーンロックインターフェース上に含まれる前記少なくとも１つのショートカットのうちの第２のショートカットを決定するステップと、
前記第２のショートカットを動作させ、および動作結果を提示するステップと
を備えたことを特徴とする操作方法。
【請求項１１】
前記ショートカットは、アプリケーションプログラムのショートカット、特定の機能のショートカット、または特定のアプリケーションの内部要素のショートカットのうちの少なくとも１つを含むことを特徴とする請求項１０に記載の操作方法。
【請求項１２】
モバイル端末であって、前記モバイル端末は、
ユーザによって入力された指紋イベントを獲得するように構成された入力デバイスと、
前記ユーザによって入力された前記指紋イベントが事前に設定された指紋イベントとマッチする場合、少なくとも１つのショートカットを提示するように構成された出力デバイスと、
操作ベクトルを獲得するように構成された少なくとも１つの操作コンポーネントであって、前記操作ベクトルは前記ユーザによって前記モバイル端末の前記少なくとも１つの操作コンポーネントを操作することによって生成される、該少なくとも１つの操作コンポーネントと、
前記操作ベクトルに従って前記少なくとも１つのショートカットのうちの第１のショートカットを動作させるように構成されたプロセッサと
を備え、
前記出力デバイスは前記プロセッサが前記第１のショートカットを動作させた後、動作結果を提示するようにさらに構成されたことを特徴とするモバイル端末。
【請求項１３】
前記少なくとも１つの操作コンポーネントは前記入力デバイスであり、前記入力デバイスは、第１の位置において前記ユーザによって入力された前記指紋イベントを獲得し、および前記第１の位置から開始する前記ユーザによって前記操作コンポーネントを操作することによって生成された前記操作ベクトルを獲得するように特に構成されたことを特徴とする請求項１２に記載のモバイル端末。
【請求項１４】
前記少なくとも１つの操作コンポーネントは指紋センサであり、前記操作ベクトルは前記指紋センサ上における前記ユーザのスライディング方向を含むことを特徴とする請求項１２または１３に記載のモバイル端末。
【請求項１５】
前記少なくとも１つの操作コンポーネントはタッチスクリーンであり、前記操作ベクトルは前記タッチスクリーン上における前記ユーザのスライディング方向を含むことを特徴とする請求項１２または１３に記載のモバイル端末。
【請求項１６】
前記入力デバイスは指紋センサであり、前記出力デバイスは前記ユーザによって入力された前記指紋イベントが事前に設定された指紋イベントとマッチしない場合、スクリーンロックインターフェースを提示するようにさらに構成され、少なくとも１つのショートカットは前記スクリーンロックインターフェース上に提示され、
前記指紋センサは、前記出力デバイスが前記スクリーンロックインターフェースを提示した後、前記指紋センサ上における前記ユーザのスライディング方向を獲得するようにさらに構成され、
前記プロセッサは、前記指紋センサ上における前記ユーザの前記スライディング方向に従って前記スクリーンロックインターフェース上に提示された前記少なくとも１つのショートカットのうちの第２のショートカットを決定し、および前記第２のショートカットを動作させるようにさらに構成され、
前記出力デバイスは、前記プロセッサが前記第２のショートカットを動作させた後、動作結果を提示するようにさらに構成されたことを特徴とする請求項１２、１３、または１５に記載のモバイル端末。
【請求項１７】
前記出力デバイスは、
事前に設定された配置ルールに従って、現在提示されている第１のインターフェース上の事前に設定された領域内に前記少なくとも１つのショートカットを提示し、または
第１のインターフェースから第２のインターフェースへの切り換えを実行し、および事前に設定された配置ルールに従って、前記第２のインターフェース上の事前に設定された領域内に前記少なくとも１つのショートカットを提示し、前記第１のインターフェースは前記出力デバイスの現在提示されているインターフェースであり、または
現在提示されている第１のインターフェース上に一時停止インターフェースを提示し、および事前に設定された配置ルールに従って前記一時停止インターフェース上に前記少なくとも１つのショートカットを提示する
ように特に構成されたことを特徴とする請求項１２ないし１６のいずれか１つに記載のモバイル端末。
【請求項１８】
異なる指紋イベントは、異なるショートカットに対応していることを特徴とする請求項１２ないし１７のいずれか１つに記載のモバイル端末。
【請求項１９】
前記出力デバイスは、前記事前に設定された配置ルールに従って前記少なくとも１つのショートカットを提示するように特に構成され、異なる指紋イベントは異なるショートカット配置ルールに対応していることを特徴とする請求項１２ないし１７のいずれか１つに記載のモバイル端末。
【請求項２０】
前記配置ルールは、ショートカット数量ルール、ショートカット配置パターンルール、ショートカット配置位置ルール、またはショートカット配置間隔ルールのうちの少なくとも１つを含むことを特徴とする請求項１９に記載のモバイル端末。
【請求項２１】
モバイル端末であって、前記モバイル端末は、
指紋センサを使用することによってユーザによって入力された指紋イベントを獲得する
ように構成された指紋センサと、
前記ユーザによって入力された前記指紋イベントが事前に設定された指紋イベントとマッチしない場合、スクリーンロックインターフェースを提示するように構成された出力デバイスであって、前記スクリーンロックインターフェースは、少なくとも１つのショートカットを含む、該出力デバイスと、
前記指紋センサは、前記指紋センサ上における前記ユーザのスライディング操作を獲得するようにさらに構成され、
前記指紋センサ上における前記ユーザの前記スライディング操作のスライディング方向に従って、前記スクリーンロックインターフェース上に含まれる前記少なくとも１つのショートカットのうちの第１のショートカットを決定し、前記第１のショートカットを動作させるように構成されたプロセッサと
を備え、
前記出力デバイスは、前記プロセッサが前記第１のショートカットを動作させた後、動作結果を提示するようにさらに構成されたことを特徴とするモバイル端末。
【請求項２２】
前記ショートカットは、アプリケーションプログラムのショートカット、特定の機能のショートカット、または特定のアプリケーションの内部要素のショートカットのうちの少なくとも１つを含むことを特徴とする請求項２１に記載のモバイル端末。
【請求項２３】
装置であって、前記装置は、
ユーザによって入力された指紋イベントを獲得するように構成された指紋イベント獲得モジュールと、
前記ユーザによって入力された前記指紋イベントが事前に設定された指紋イベントとマッチする場合、少なくとも１つのショートカットを提示するように構成されたショートカット提示モジュールと、
操作ベクトルを獲得するように構成された操作ベクトル獲得モジュールであって、前記操作ベクトルは前記ユーザによってモバイル端末の少なくとも１つの操作コンポーネントを操作することによって生成される、該操作ベクトル獲得モジュールと、
前記操作ベクトルに従って、前記少なくとも１つのショートカットのうちの第１のショートカットを動作させるように構成された動作モジュールと、
前記動作モジュールが前記第１のショートカットを動作させた後、動作結果を提示するように構成された結果提示モジュールと
を備えたことを特徴とする装置。
【請求項２４】
前記指紋イベント獲得モジュールは、前記モバイル端末上の第１の位置において前記ユーザによって入力された前記指紋イベントを獲得するように特に構成され、前記操作ベクトル獲得モジュールは、前記第１の位置から開始する前記ユーザによる前記操作コンポーネントの操作によって生成される前記操作ベクトルを獲得するように特に構成されたことを特徴とする請求項２３に記載の装置。
【請求項２５】
前記少なくとも１つの操作コンポーネントは指紋センサであり、前記操作ベクトルは前記指紋センサ上における前記ユーザのスライディング方向を含むことを特徴とする請求項２３または２４に記載の装置。
【請求項２６】
前記少なくとも１つの操作コンポーネントはタッチスクリーンであり、前記操作ベクトルは前記タッチスクリーン上における前記ユーザのスライディング方向を含むことを特徴とする請求項２３または２４に記載の装置。
【請求項２７】
前記装置は、前記ユーザによって入力された前記指紋イベントが前記事前に設定された指紋イベントとマッチしない場合、スクリーンロックインターフェースを提示するように構成された第３のスクリーンロック提示モジュールであって、少なくとも１つのショートカットが前記スクリーンロックインターフェース上に提示される、該第３のスクリーンロック提示モジュールをさらに備え、
前記操作ベクトル獲得モジュールは、指紋センサ上における前記ユーザのスライディング方向を獲得するようにさらに構成され、
前記動作モジュールは、前記指紋センサ上における前記ユーザの前記スライディング方向に従って、前記スクリーンロックインターフェース上に提示された前記少なくとも１つのショートカットのうちの第２のショートカットを決定し、および前記第２のショートカットを動作させるようにさらに構成され、
前記結果提示モジュールは、前記動作モジュールが前記第２のショートカットを動作させた後、動作結果を提示するようにさらに構成されたことを特徴とする請求項２３、２４、または２６に記載の装置。
【請求項２８】
前記ショートカット提示モジュールが少なくとも１つのショートカットを提示することは、
前記ショートカット提示モジュールが、事前に設定された配置ルールに従って現在提示されている第１のインターフェース上の事前に設定された領域内に、前記少なくとも１つのショートカットを提示すること、または
前記ショートカット提示モジュールが、第１のインターフェースから第２のインターフェースへの切り換えを実行し、および事前に設定された配置ルールに従って前記第２のインターフェース上の事前に設定された領域内に、前記少なくとも１つのショートカットを提示することであって、前記第１のインターフェースは現在提示されているインターフェースである、該提示すること、または
前記ショートカット提示モジュールが、現在提示されている第１のインターフェース上に一時停止インターフェースを提示し、および事前に設定された配置ルールに従って前記一時停止インターフェース上に、前記少なくとも１つのショートカットを提示すること
を含むことを特徴とする請求項２３ないし２７のいずれか１つに記載の装置。
【請求項２９】
前記指紋イベント獲得モジュールによって獲得される異なる指紋イベントは、異なるショートカットに対応していることを特徴とする請求項２３ないし２８のいずれか１つに記載の装置。
【請求項３０】
前記ショートカット提示モジュールは、前記事前に設定された配置ルールに従って前記少なくとも１つのショートカットを提示するように特に構成され、前記指紋イベント獲得モジュールによって獲得される異なる指紋イベントは、異なるショートカット配置ルールに対応していることを特徴とする請求項２３ないし２８のいずれか１つに記載の装置。
【請求項３１】
前記配置ルールは、ショートカット数量ルール、ショートカット配置パターンルール、ショートカット配置位置ルール、またはショートカット配置間隔ルールのうちの少なくとも１つを含むことを特徴とする請求項３０に記載の装置。
【請求項３２】
モバイル端末の装置であって、前記装置は、
ユーザによって入力された指紋イベントを獲得するように構成された指紋イベント獲得モジュールと、
前記ユーザによって入力された前記指紋イベントが事前に設定された指紋イベントとマッチしない場合、スクリーンロックインターフェースを提示するように構成されたスクリーンロック提示モジュールであって、前記スクリーンロックインターフェースは少なくとも１つのショートカットを含む、該スクリーンロック提示モジュールと、
指紋センサ上における前記ユーザのスライディング操作を獲得するように構成されたスライディング操作獲得モジュールと、
前記指紋センサ上における前記ユーザの前記スライディング操作のスライディング方向に従って、前記スクリーンロックインターフェース上に含まれる前記少なくとも１つのショートカットのうちの第１のショートカットを決定するように構成された決定モジュールと、
前記第１のショートカットを動作させるように構成された動作モジュールと、
前記動作モジュールが前記第１のショートカットを動作させた後、動作結果を提示するように構成された結果提示モジュールと
を備えたことを特徴とする装置。
【請求項３３】
前記スクリーンロック提示モジュールによって提示される前記スクリーンロックインターフェース上における前記ショートカットは、アプリケーションプログラムのショートカット、特定の機能のショートカット、または特定のアプリケーションの内部要素のショートカットのうちの少なくとも１つを含むことを特徴とする請求項３２に記載の装置。
【請求項３４】
コンピュータ記憶媒体はプログラムを記憶してよく、前記プログラムは、請求項１ないし９のいずれか１つに記載のステップを実行することを特徴とするコンピュータ記憶媒体。
【請求項３５】
コンピュータ記憶媒体はプログラムを記憶してよく、前記プログラムは、請求項１０または１１に記載のステップを実行することを特徴とするコンピュータ記憶媒体。
【請求項３６】
モバイル端末に適用される指紋認識を用いる操作方法であって、前記方法は、
スクリーンロックインターフェースを提示するステップと、
ユーザによって入力された指紋イベントを獲得するステップと、
前記ユーザによって入力された前記指紋イベントが事前に設定された指紋イベントとマッチする場合、アンロッキング操作を実行し、および前記アンロッキング操作を実行した後に、事前に設定された配置ルールに従って、少なくとも１つのショートカットを提示するステップと、
操作ベクトルを獲得するステップであって、前記操作ベクトルは、前記ユーザによって前記モバイル端末の少なくとも１つの操作コンポーネントを操作することによって生成される、該ステップと、
前記操作ベクトルに従って、前記少なくとも１つのショートカットのうちの第１のショートカットを動作させ、および動作結果を提示するステップと
を備えたことを特徴とする操作方法。
【請求項３７】
モバイル端末に適用される、指紋認識を用いる操作方法であって、前記方法は、
スクリーンロックインターフェースを提示するステップと、
ユーザによって入力された指紋イベントを獲得するステップと、
前記ユーザによって入力された前記指紋イベントが事前に設定された指紋イベントとマッチする場合、前記スクリーンロックインターフェース上に少なくとも１つのショートカットを提示するステップと、
操作ベクトルを獲得するステップであって、前記操作ベクトルは前記ユーザによって前記モバイル端末の少なくとも１つの操作コンポーネントを操作することによって生成される、該ステップと、
前記操作ベクトルに従って前記少なくとも１つのショートカットのうちの第１のショートカットを動作させ、および前記スクリーンロックインターフェース上に動作結果を提示するステップ、または
前記操作ベクトルに従って前記少なくとも１つのショートカットのうちの第１のショートカットを動作させ、および動作結果をアンロック状態で提示するステップと
を備えたことを特徴とする操作方法。
【請求項３８】
モバイル端末に適用される指紋認識を用いる操作方法であって、前記方法は、
前記モバイル端末によってスクリーンオフ状態を提示するステップと、
ユーザによって入力された指紋イベントを獲得するステップと、
前記ユーザによって入力された前記指紋イベントが事前に設定された指紋イベントとマッチする場合、前記モバイル端末によって、スクリーンを明るくし、少なくとも１つのショートカットを提示するステップと、
操作ベクトルを獲得するステップであって、前記操作ベクトルは前記ユーザによって前記モバイル端末の少なくとも１つの操作コンポーネントを操作することによって生成される、該ステップと、
前記操作ベクトルに従って前記少なくとも１つのショートカットのうちの第１のショートカットを動作させ、および動作結果を提示するステップと
を備えたことを特徴とする操作方法。
【手続補正２】
【補正対象書類名】明細書
【補正対象項目名】全文
【補正方法】変更
【補正の内容】
【発明の詳細な説明】
【技術分野】
【０００１】
本発明の実施形態は、通信技術の分野に関し、詳細には、指紋認識を用いる操作方法、装置、およびモバイル端末に関する。
【背景技術】
【０００２】
モバイルインターネットの発展に伴い、モバイル端末は、ますます普及を見せており、人々の生活および仕事の欠くことのできない一部になっている。既存のモバイル端末設計において、いくつかのモバイル端末は、指紋認識機能を有する。指紋認識は、異なる指紋の詳細な特徴を比較することによって、認識を実行することを意味する。人は異なる指紋を有するので、指紋は、アイデンティティ認証のために使用されることができる。指紋は、モバイル端末内に事前に記憶される。オペレータがモバイル端末を操作するとき、オペレータの指紋が、指紋コレクタを使用することによって収集され、事前に記憶された指紋と比較される。２つの指紋がマッチする場合、オペレータは、モバイル端末を操作することを許可される。先行技術においては、指紋認識技術は、ユーザのアイデンティティを認識するために、すなわち、指紋を使用することによってアイデンティティ認証を実行するために主に使用される。アイデンティティ認証が成功した後、ユーザが、モバイル端末上において後続の操作を実行するとき、ユーザとモバイル端末との間において複数回の対話が、依然として必要とされ、複雑な操作処理の原因となる。
【発明の概要】
【０００３】
本発明の実施形態は、以下の技術的問題、すなわち、既存のモバイル端末は、ユーザの指紋を認識し、ユーザのアイデンティティを認証することができた後、複数回の対話が、ユーザとモバイル端末との間において実行されることを依然として必要とし、モバイル端末の相対的に低い操作効率の原因となることを解決するために、指紋認識を用いる操作方法、装置、およびモバイル端末を提供する。
【０００４】
第１の態様に従えば、本発明の実施形態は、モバイル端末に適用される、指紋認識を用いる操作方法を提供する。第１の可能な実施においては、方法は、ユーザによって入力された指紋イベントを獲得するステップと、ユーザによって入力された指紋イベントが、事前に設定された指紋イベントとマッチする場合、少なくとも１つのショートカットを提示するステップと、操作ベクトルを獲得するステップであって、操作ベクトルは、ユーザによってモバイル端末の少なくとも１つの操作コンポーネントを操作することによって生成される、ステップと、操作ベクトルに従って、少なくとも１つのショートカットのうちの第１のショートカットを動作させ、動作結果を提示するステップとを含む。
【０００５】
第１の態様の第１の可能な実施を参照すると、第２の可能な実施においては、少なくとも１つの操作コンポーネントは、指紋センサであり、ユーザによってモバイル端末の少なくとも１つの操作コンポーネントを操作することによって生成される操作ベクトルを獲得するステップは、指紋センサ上におけるユーザのスライディング方向を獲得するステップを含み、操作ベクトルに従って、少なくとも１つのショートカットのうちの第１のショートカットを動作させるステップは、指紋センサ上におけるユーザのスライディング方向に従って、少なくとも１つのショートカットのうちの第１のショートカットを決定するステップと、第１のショートカットを動作させるステップとを含む。すなわち、この実施においては、操作ベクトルは、指紋センサ上におけるユーザのスライディング方向を含む。
【０００６】
第１の態様の第１の可能な実施を参照すると、第３の可能な実施においては、少なくとも１つの操作コンポーネントは、タッチスクリーンであり、ユーザによってモバイル端末の少なくとも１つの操作コンポーネントを操作することによって生成される操作ベクトルを獲得するステップは、タッチスクリーン上におけるユーザのスライディング方向を獲得するステップを含み、操作ベクトルに従って、少なくとも１つのショートカットのうちの第１のショートカットを動作させるステップは、タッチスクリーン上におけるユーザのスライディング方向に従って、少なくとも１つのショートカットのうちの第１のショートカットを決定するステップと、第１のショートカットを動作させるステップとを含む。すなわち、この実施においては、操作ベクトルは、タッチスクリーン上におけるユーザのスライディング方向を含む。
【０００７】
第１の態様の第１ないし第３の可能な実施のいずれか１つを参照すると、第４の可能な実施においては、ユーザによって入力された指紋イベントを獲得する前に、方法は、スクリーンロックインターフェースを提示するステップをさらに含み、ユーザによって入力された指紋イベントが、事前に設定された指紋イベントとマッチする場合、少なくとも１つのショートカットを提示するステップは、ユーザによって入力された指紋イベントが、事前に設定された指紋イベントとマッチする場合、アンロッキング操作を実行するステップと、アンロッキング後に、事前に設定された配置ルールに従って、少なくとも１つのショートカットを提示するステップとを含む。
【０００８】
第１の態様の第１ないし第３の可能な実施のいずれか１つを参照すると、第５の可能な実施においては、ユーザによって入力された指紋イベントを獲得する前に、方法は、スクリーンロックインターフェースを提示するステップをさらに含み、ユーザによって入力された指紋イベントが、事前に設定された指紋イベントとマッチする場合、少なくとも１つのショートカットを提示するステップは、ユーザによって入力された指紋イベントが、事前に設定された指紋イベントとマッチする場合、スクリーンロックインターフェース上に少なくとも１つのショートカットを提示するステップを含み、操作ベクトルに従って、少なくとも１つのショートカットのうちの第１のショートカットを動作させ、動作結果を提示するステップは、操作ベクトルに従って、少なくとも１つのショートカットのうちの第１のショートカットを動作させ、スクリーンロックインターフェース上に動作結果を提示するステップ、または操作ベクトルに従って、少なくとも１つのショートカットのうちの第１のショートカットを動作させ、動作結果をアンロック状態で提示するステップを含む。
【０００９】
第１の態様の第１ないし第３の可能な実施のいずれか１つを参照すると、第６の可能な実施においては、ユーザによって入力された指紋イベントを獲得する前に、方法は、モバイル端末によって、スクリーンオフ状態を提示するステップをさらに含み、ユーザによって入力された指紋イベントが、事前に設定された指紋イベントとマッチする場合、少なくとも１つのショートカットを提示するステップは、ユーザによって入力された指紋イベントが、事前に設定された指紋イベントとマッチする場合、モバイル端末によって、スクリーンを明るくするステップと、少なくとも１つのショートカットを提示するステップとを含む。
【００１０】
第１の態様の第１ないし第６の可能な実施のいずれか１つを参照すると、第７の可能な実施においては、方法は、ユーザによって入力された指紋イベントが、事前に設定された指紋イベントとマッチしない場合、スクリーンロックインターフェースを提示するステップであって、少なくとも１つのショートカットは、スクリーンロックインターフェース上に提示される、ステップと、指紋センサ上におけるユーザのスライディング方向を獲得するステップと、指紋センサ上におけるユーザのスライディング方向に従って、スクリーンロックインターフェース上に提示された少なくとも１つのショートカットのうちの第２のショートカットを決定するステップと、第２のショートカットを動作させ、動作結果を提示するステップとをさらに含む。
【００１１】
第１の態様の第１ないし第７の可能な実施のいずれか１つを参照すると、第８の可能な実施においては、少なくとも１つのショートカットを提示するステップは、事前に設定された配置ルールに従って、現在提示されている第１のインターフェース上の事前に設定された領域内に、少なくとも１つのショートカットを提示するステップ、または第１のインターフェースから第２のインターフェースへの切り換えを実行し、事前に設定された配置ルールに従って、第２のインターフェース上の事前に設定された領域内に、少なくとも１つのショートカットを提示するステップであって、第１のインターフェースは、現在提示されているインターフェースである、ステップ、または現在提示されている第１のインターフェース上に一時停止インターフェースを提示し、事前に設定された配置ルールに従って、一時停止インターフェース上に、少なくとも１つのショートカットを提示するステップを含む。
【００１２】
第１の態様の第１ないし第８の可能な実施のいずれか１つを参照すると、第９の可能な実施においては、少なくとも１つのショートカットを提示した後、方法は、ユーザによってモバイル端末の少なくとも１つの操作コンポーネントを操作することによって生成される操作ベクトルが、事前に設定された持続時間内に獲得されないとき、スクリーンロックインターフェースを提示するステップ、またはユーザによってモバイル端末の少なくとも１つの操作コンポーネントを操作することによって生成される操作ベクトルが、事前に設定された持続時間内に獲得されないとき、システムアプリケーションインターフェースを提示するステップをさらに含む。
【００１３】
第１の態様の第１ないし第９の可能な実施のいずれか１つを参照すると、第１０の可能な実施においては、ユーザによって入力された指紋イベントを獲得するステップは、ユーザによって入力された指紋を獲得するステップ、またはユーザによって入力された第１の指紋ジェスチャを獲得するステップであって、第１の指紋ジェスチャは、特定の指紋を使用することによって指紋センサ上においてユーザによって実行される、タップ操作、ダブルタップ操作、タッチアンドホールド操作、もしくはスライディング操作のうちの少なくとも１つである、ステップ、またはユーザによって入力された第２の指紋ジェスチャを獲得するステップであって、第２の指紋ジェスチャは、特定の指紋を使用することによってユーザによって指紋センサをトリガすることによって生成される操作と、ユーザによって別の操作コンポーネントをトリガすることによって生成される操作との組み合わせである、ステップを含む。
【００１４】
第１の態様の第１ないし第１０の可能な実施のいずれか１つを参照すると、第１１の可能な実施においては、異なる指紋イベントは、異なるショートカットに対応している。
【００１５】
第１の態様の第１ないし第１０の可能な実施のいずれか１つを参照すると、第１２の可能な実施においては、少なくとも１つのショートカットを提示するステップは、事前に設定された配置ルールに従って、少なくとも１つのショートカットを提示するステップを含み、異なる指紋イベントは、異なるショートカット配置ルールに対応している。
【００１６】
第１の態様の第２の可能な実施を参照すると、第１３の可能な実施においては、配置ルールは、ショートカット数量ルール、ショートカット配置パターンルール、ショートカット配置位置ルール、またはショートカット配置間隔ルールのうちの少なくとも１つを含む。
【００１７】
第１の態様の第１ないし第１３の可能な実施のいずれか１つを参照すると、第１４の可能な実施においては、ショートカットは、アプリケーションプログラムのショートカット、特定の機能のショートカット、または特定のアプリケーションの内部要素のショートカットのうちの少なくとも１つを含む。
【００１８】
第１の態様の第１ないし第１４の可能な実施のいずれか１つを参照すると、第１５の可能な実施においては、指紋イベントは、モバイル端末上の第１の位置において獲得され、操作ベクトルは、第１の位置から開始するユーザによる操作コンポーネントの操作によって生成される。
【００１９】
第２の態様に従えば、本発明の実施形態は、モバイル端末に適用される、指紋認識を用いる操作方法を提供する。第１の可能な実施においては、方法は、ユーザによって入力された指紋イベントを獲得するステップと、ユーザによって入力された指紋イベントが、事前に設定された指紋イベントとマッチしない場合、スクリーンロックインターフェースを提示するステップであって、スクリーンロックインターフェースは、少なくとも１つのショートカットを含む、ステップと、指紋センサ上におけるユーザのスライディング操作を獲得するステップと、指紋センサ上におけるユーザのスライディング操作のスライディング方向に従って、スクリーンロックインターフェース上に含まれる少なくとも１つのショートカットのうちの第２のショートカットを決定するステップと、第２のショートカットを動作させ、動作結果を提示するステップとを含む。
【００２０】
第２の態様の第１の可能な実施を参照すると、第２の可能な実施においては、ショートカットは、アプリケーションプログラムのショートカット、特定の機能のショートカット、または特定のアプリケーションの内部要素のショートカットのうちの少なくとも１つを含む。
【００２１】
第３の態様に従えば、本発明の実施形態は、モバイル端末を提供する。第１の可能な実施においては、モバイル端末は、ユーザによって入力された指紋イベントを獲得するように構成された、入力デバイスと、ユーザによって入力された指紋イベントが、事前に設定された指紋イベントとマッチする場合、少なくとも１つのショートカットを提示するように構成された、出力デバイスと、操作ベクトルを獲得するように構成された、少なくとも１つの操作コンポーネントであって、操作ベクトルは、ユーザによってモバイル端末の少なくとも１つの操作コンポーネントを操作することによって生成される、少なくとも１つの操作コンポーネントと、操作ベクトルに従って、少なくとも１つのショートカットのうちの第１のショートカットを動作させるように構成された、プロセッサとを含み、出力デバイスは、プロセッサが第１のショートカットを動作させた後、動作結果を提示するようにさらに構成される。
【００２２】
第３の態様の第１の可能な実施を参照すると、第２の可能な実施においては、少なくとも１つの操作コンポーネントは、指紋センサであり、少なくとも１つの操作コンポーネントが、ユーザによってモバイル端末を操作することによって入力された操作ベクトルを獲得するように構成されることは、特に、指紋センサが、指紋センサ上におけるユーザのスライディング方向を獲得するように構成されることであり、プロセッサは、指紋センサ上におけるユーザのスライディング方向に従って、少なくとも１つのショートカットのうちの第１のショートカットを決定し、第１のショートカットを動作させるように特に構成される。すなわち、操作ベクトルは、指紋センサ上におけるユーザのスライディング方向を含む。
【００２３】
第３の態様の第１の可能な実施を参照すると、第３の可能な実施においては、少なくとも１つの操作コンポーネントは、タッチスクリーンであり、少なくとも１つの操作コンポーネントが、ユーザによってモバイル端末を操作することによって入力された操作ベクトルを獲得するように構成されることは、特に、タッチスクリーンが、タッチスクリーン上におけるユーザのスライディング方向を獲得するように構成されることであり、プロセッサは、タッチスクリーン上におけるユーザのスライディング方向に従って、少なくとも１つのショートカットのうちの第１のショートカットを決定し、第１のショートカットを動作させるように特に構成される。すなわち、操作ベクトルは、タッチスクリーン上におけるユーザのスライディング方向を含む。
【００２４】
第３の態様の第１ないし第３の可能な実施のいずれか１つを参照すると、第４の可能な実施においては、出力デバイスは、入力デバイスがユーザによって入力された指紋イベントを獲得する前に、スクリーンロックインターフェースを提示するようにさらに構成され、プロセッサは、ユーザによって入力された指紋イベントが、事前に設定された指紋イベントとマッチする場合、アンロッキング操作を実行するようにさらに構成され、出力デバイスは、プロセッサがアンロッキング操作を実行した後、少なくとも１つのショートカットを提示するように特に構成される。
【００２５】
第３の態様の第１ないし第３の可能な実施のいずれか１つを参照すると、第５の可能な実施においては、出力デバイスは、入力デバイスがユーザによって入力された指紋イベントを獲得する前に、スクリーンロックインターフェースを提示するようにさらに構成され、出力デバイスは、ユーザによって入力された指紋イベントが、事前に設定された指紋イベントとマッチする場合、スクリーンロックインターフェース上に少なくとも１つのショートカットを提示するように特に構成され、出力デバイスは、プロセッサが少なくとも１つのショートカットのうちの第１のショートカットを動作させた後、スクリーンロックインターフェース上に動作結果を提示するように特に構成される。
【００２６】
第３の態様の第１ないし第３の可能な実施のいずれか１つを参照すると、第６の可能な実施においては、出力デバイスは、入力デバイスがユーザによって入力された指紋イベントを獲得する前に、スクリーンオフ状態を提示するようにさらに構成され、出力デバイスは、ユーザによって入力された指紋イベントが、事前に設定された指紋イベントとマッチする場合、電源オン操作を実行し、スクリーンを明るくし、少なくとも１つのショートカットを提示するように特に構成される。
【００２７】
第３の態様の第１ないし第６の可能な実施のいずれか１つを参照すると、第７の可能な実施においては、入力デバイスは、指紋センサであり、出力デバイスは、ユーザによって入力された指紋イベントが、事前に設定された指紋イベントとマッチしない場合、スクリーンロックインターフェースを提示するようにさらに構成され、少なくとも１つのショートカットは、スクリーンロックインターフェース上に提示され、指紋センサは、出力デバイスがスクリーンロックインターフェースを提示した後、指紋センサ上におけるユーザのスライディング方向を獲得するようにさらに構成され、プロセッサは、指紋センサ上におけるユーザのスライディング方向に従って、スクリーンロックインターフェース上に提示された少なくとも１つのショートカットのうちの第２のショートカットを決定し、第２のショートカットを動作させるようにさらに構成され、出力デバイスは、プロセッサが第２のショートカットを動作させた後、動作結果を提示するようにさらに構成される。
【００２８】
第３の態様の第１ないし第７の可能な実施のいずれか１つを参照すると、第８の可能な実施においては、出力デバイスが少なくとも１つのショートカットを提示することは、出力デバイスが、事前に設定された配置ルールに従って、現在提示されている第１のインターフェース上の事前に設定された領域内に、少なくとも１つのショートカットを提示すること、または出力デバイスが、第１のインターフェースから第２のインターフェースへの切り換えを実行し、事前に設定された配置ルールに従って、第２のインターフェース上の事前に設定された領域内に、少なくとも１つのショートカットを提示することであって、第１のインターフェースは、出力デバイスの現在提示されているインターフェースである、提示すること、または出力デバイスが、現在提示されている第１のインターフェース上に一時停止インターフェースを提示し、事前に設定された配置ルールに従って、一時停止インターフェース上に、少なくとも１つのショートカットを提示することを含む。
【００２９】
第３の態様の第１ないし第８の可能な実施のいずれか１つを参照すると、第９の可能な実施においては、出力デバイスは、少なくとも１つのショートカットを提示した後、少なくとも１つの操作コンポーネントが、事前に設定された持続時間内に、ユーザによってモバイル端末を操作することによって入力される操作ベクトルを獲得しない場合、スクリーンロックインターフェースを提示するようにさらに構成され、または出力デバイスは、少なくとも１つのショートカットを提示した後、少なくとも１つの操作コンポーネントが、事前に設定された持続時間内に、ユーザによってモバイル端末を操作することによって入力される操作ベクトルを獲得しない場合、システムアプリケーションインターフェースを提示するようにさらに構成される。
【００３０】
第３の態様の第１ないし第９の可能な実施のいずれか１つを参照すると、第１０の可能な実施においては、入力デバイスは、指紋センサを含み、入力デバイスが、ユーザによって入力された指紋イベントを獲得することは、指紋センサが、ユーザによって入力された指紋を獲得すること、または指紋センサが、ユーザによって入力された第１の指紋ジェスチャを獲得することであって、第１の指紋ジェスチャは、特定の指紋を使用することによって指紋センサ上においてユーザによって実行される、タップ操作、ダブルタップ操作、タッチアンドホールド操作、もしくはスライディング操作のうちの少なくとも１つである、獲得すること、または入力デバイスが、ユーザによって入力された第２の指紋ジェスチャを獲得することであって、第２の指紋ジェスチャは、特定の指紋を使用することによってユーザによって指紋センサをトリガすることによって生成される操作と、ユーザによって別の操作コンポーネントをトリガすることによって生成される操作との組み合わせである、獲得することを含む。
【００３１】
第３の態様の第１ないし第１０の可能な実施のいずれか１つを参照すると、第１１の可能な実施においては、入力デバイスによって獲得される異なる指紋イベントは、異なるショートカットに対応している。
【００３２】
第３の態様の第１ないし第１０の可能な実施のいずれか１つを参照すると、第１２の可能な実施においては、出力デバイスは、事前に設定された配置ルールに従って、少なくとも１つのショートカットを提示するように特に構成され、異なる指紋イベントは、異なるショートカット配置ルールに対応している。
【００３３】
第３の態様の第１２の可能な実施を参照すると、第１３の可能な実施においては、配置ルールは、ショートカット数量ルール、ショートカット配置パターンルール、ショートカット配置位置ルール、またはショートカット配置間隔ルールのうちの少なくとも１つを含む。
【００３４】
第３の態様の第１ないし第１３の可能な実施のいずれか１つを参照すると、第１４の可能な実施においては、出力デバイスによって表示されるショートカットは、アプリケーションプログラムのショートカット、特定の機能のショートカット、または特定のアプリケーションの内部要素のショートカットのうちの少なくとも１つを含む。
【００３５】
第３の態様の第１ないし第１４の可能な実施のいずれか１つを参照すると、第１５の可能な実施においては、少なくとも１つの操作コンポーネントは、入力デバイスであり、入力デバイスは、第１の位置において、ユーザによって入力された指紋イベントを獲得し、ユーザによって入力され、第１の位置から開始する、操作ベクトルを獲得するように特に構成される。
【００３６】
第４の態様に従えば、本発明の実施形態は、モバイル端末を提供する。第１の可能な実施においては、モバイル端末は、指紋センサを使用することによってユーザによって入力された指紋イベントを獲得するように構成された、指紋センサと、ユーザによって入力された指紋イベントが、事前に設定された指紋イベントとマッチしない場合、スクリーンロックインターフェースを提示するように構成された、出力デバイスであって、スクリーンロックインターフェースは、少なくとも１つのショートカットを含む、出力デバイスとを含み、指紋センサは、指紋センサ上におけるユーザのスライディング操作を獲得するようにさらに構成され、モバイル端末は、指紋センサ上におけるユーザのスライディング操作のスライディング方向に従って、スクリーンロックインターフェース上に含まれる少なくとも１つのショートカットのうちの第２のショートカットを決定し、第１のショートカットを動作させるように構成された、プロセッサを含み、出力デバイスは、プロセッサが第１のショートカットを動作させた後、動作結果を提示するようにさらに構成される。
【００３７】
第４の態様の第１の可能な実施を参照すると、第２の可能な実施においては、ショートカットは、アプリケーションプログラムのショートカット、特定の機能のショートカット、または特定のアプリケーションの内部要素のショートカットのうちの少なくとも１つを含む。
【００３８】
第５の態様に従えば、本発明の実施形態は、装置を提供する。第１の可能な実施においては、装置は、ユーザによって入力された指紋イベントを獲得するように構成された、指紋イベント獲得モジュールと、ユーザによって入力された指紋イベントが、事前に設定された指紋イベントとマッチする場合、少なくとも１つのショートカットを提示するように構成された、ショートカット提示モジュールと、操作ベクトルを獲得するように構成された、操作ベクトル獲得モジュールであって、操作ベクトルは、ユーザによってモバイル端末の少なくとも１つの操作コンポーネントを操作することによって生成される、操作ベクトル獲得モジュールと、操作ベクトルに従って、少なくとも１つのショートカットのうちの第１のショートカットを動作させるように構成された、動作モジュールと、動作モジュールが第１のショートカットを動作させた後、動作結果を提示するように構成された、結果提示モジュールとを含む。
【００３９】
第５の態様の第１の可能な実施を参照すると、第２の可能な実施においては、少なくとも１つの操作コンポーネントは、指紋センサであり、操作ベクトル獲得モジュールは、指紋センサ上におけるユーザのスライディング方向を獲得するように特に構成され、動作モジュールは、指紋センサ上におけるユーザのスライディング方向に従って、少なくとも１つのショートカットのうちの第１のショートカットを決定し、第１のショートカットを動作させるように特に構成される。すなわち、操作ベクトルは、指紋センサ上におけるユーザのスライディング方向を含む。
【００４０】
第５の態様の第１の可能な実施を参照すると、第３の可能な実施においては、少なくとも１つの操作コンポーネントは、タッチスクリーンであり、操作ベクトル獲得モジュールは、タッチスクリーン上におけるユーザのスライディング方向を獲得するように特に構成され、動作モジュールは、タッチスクリーン上におけるユーザのスライディング方向に従って、少なくとも１つのショートカットのうちの第１のショートカットを決定し、第１のショートカットを動作させるように特に構成される。すなわち、操作ベクトルは、タッチスクリーン上におけるユーザのスライディング方向を含む。
【００４１】
第５の態様の第１ないし第３の可能な実施のいずれか１つを参照すると、第４の可能な実施においては、装置は、第１のスクリーンロック提示モジュールをさらに含み、第１のスクリーンロック提示モジュールは、指紋イベント獲得モジュールがユーザによって入力された指紋イベントを獲得する前に、スクリーンロックインターフェースを提示するように構成され、
ショートカット提示モジュールは、ユーザによって入力された指紋イベントが、事前に設定された指紋イベントとマッチする場合、アンロッキング操作を実行し、アンロッキング後に、事前に設定された配置ルールに従って、少なくとも１つのショートカットを提示するように特に構成される。
【００４２】
第５の態様の第１ないし第３の可能な実施のいずれか１つを参照すると、第５の可能な実施においては、装置は、第２のスクリーンロック提示モジュールをさらに含み、第２のスクリーンロック提示モジュールは、指紋イベント獲得モジュールがユーザによって入力された指紋イベントを獲得する前に、スクリーンロックインターフェースを提示するように構成され、ショートカット提示モジュールは、ユーザによって入力された指紋イベントが、事前に設定された指紋イベントとマッチする場合、スクリーンロックインターフェース上に少なくとも１つのショートカットを提示するように特に構成され、結果提示モジュールは、動作モジュールが少なくとも１つのショートカットのうちの第１のショートカットを動作させた後、スクリーンロックインターフェース上に動作結果を提示するように特に構成され、または結果提示モジュールは、動作モジュールが少なくとも１つのショートカットのうちの第１のショートカットを動作させた後、動作結果をアンロック状態で提示するように特に構成される。
【００４３】
第５の態様の第１ないし第３の可能な実施のいずれか１つを参照すると、第６の可能な実施においては、装置は、スクリーンオフ制御モジュールをさらに含み、スクリーンオフ制御モジュールは、指紋イベント獲得モジュールがユーザによって入力された指紋イベントを獲得する前に、モバイル端末がスクリーンオフ状態を提示することを可能にするように構成され、ショートカット提示モジュールは、ユーザによって入力された指紋イベントが、事前に設定された指紋イベントとマッチする場合、スクリーンを明るくし、少なくとも１つのショートカットを提示するように特に構成される。
【００４４】
第５の態様の第１ないし第６の可能な実施のいずれか１つを参照すると、第７の可能な実施においては、装置は、ユーザによって入力された指紋イベントが、事前に設定された指紋イベントとマッチしない場合、スクリーンロックインターフェースを提示するように構成された、第３のスクリーンロック提示モジュールであって、少なくとも１つのショートカットが、スクリーンロックインターフェース上に提示される、第３のスクリーンロック提示モジュールをさらに含み、操作ベクトル獲得モジュールは、指紋センサ上におけるユーザのスライディング方向を獲得するようにさらに構成され、動作モジュールは、指紋センサ上におけるユーザのスライディング方向に従って、スクリーンロックインターフェース上に提示された少なくとも１つのショートカットのうちの第２のショートカットを決定し、第２のショートカットを動作させるようにさらに構成され、結果提示モジュールは、動作モジュールが第２のショートカットを動作させた後、動作結果を提示するようにさらに構成される。
【００４５】
第５の態様の第１ないし第７の可能な実施のいずれか１つを参照すると、第８の可能な実施においては、ショートカット提示モジュールが少なくとも１つのショートカットを提示することは、ショートカット提示モジュールが、事前に設定された配置ルールに従って、現在提示されている第１のインターフェース上の事前に設定された領域内に、少なくとも１つのショートカットを提示すること、またはショートカット提示モジュールが、第１のインターフェースから第２のインターフェースへの切り換えを実行し、事前に設定された配置ルールに従って、第２のインターフェース上の事前に設定された領域内に、少なくとも１つのショートカットを提示することであって、第１のインターフェースは、現在提示されているインターフェースである、提示すること、またはショートカット提示モジュールが、現在提示されている第１のインターフェース上に一時停止インターフェースを提示し、事前に設定された配置ルールに従って、一時停止インターフェース上に、少なくとも１つのショートカットを提示することを含む。
【００４６】
第５の態様の第１ないし第８の可能な実施のいずれか１つを参照すると、第９の可能な実施においては、装置は、タイミング提示モジュールをさらに含み、タイミング提示モジュールは、ショートカット提示モジュールが少なくとも１つのショートカットを提示した後、ユーザによってモバイル端末の少なくとも１つの操作コンポーネントを操作することによって生成される操作ベクトルが、事前に設定された持続時間内に獲得されないとき、スクリーンロックインターフェースを提示するように構成され、またはタイミング提示モジュールは、ショートカット提示モジュールが少なくとも１つのショートカットを提示した後、ユーザによってモバイル端末の少なくとも１つの操作コンポーネントを操作することによって生成される操作ベクトルが、事前に設定された持続時間内に獲得されないとき、システムアプリケーションインターフェースを提示するように構成される。
【００４７】
第５の態様の第１ないし第９の可能な実施のいずれか１つを参照すると、第１０の可能な実施においては、指紋イベント獲得モジュールは、ユーザによって入力された指紋を獲得するように特に構成され、または指紋イベント獲得モジュールは、ユーザによって入力された第１の指紋ジェスチャを獲得するように特に構成され、第１の指紋ジェスチャは、特定の指紋を使用することによって指紋センサ上においてユーザによって実行される、タップ操作、ダブルタップ操作、タッチアンドホールド操作、もしくはスライディング操作のうちの少なくとも１つであり、または指紋イベント獲得モジュールは、ユーザによって入力された第２の指紋ジェスチャを獲得するように特に構成され、第２の指紋ジェスチャは、特定の指紋を使用することによってユーザによって指紋センサをトリガすることによって生成される操作と、ユーザによって別の操作コンポーネントをトリガすることによって生成される操作との組み合わせである。
【００４８】
第５の態様の第１ないし第１０の可能な実施のいずれか１つを参照すると、第１１の可能な実施においては、指紋イベント獲得モジュールによって獲得される異なる指紋イベントは、異なるショートカットに対応している。
【００４９】
第５の態様の第１ないし第１０の可能な実施のいずれか１つを参照すると、第１２の可能な実施においては、ショートカット提示モジュールは、事前に設定された配置ルールに従って、少なくとも１つのショートカットを提示するように特に構成され、指紋イベント獲得モジュールによって獲得される異なる指紋イベントは、異なるショートカット配置ルールに対応している。
【００５０】
第５の態様の第１２の可能な実施を参照すると、第１３の可能な実施においては、配置ルールは、ショートカット数量ルール、ショートカット配置パターンルール、ショートカット配置位置ルール、またはショートカット配置間隔ルールのうちの少なくとも１つを含む。
【００５１】
第５の態様の第１ないし第１３の可能な実施のいずれか１つを参照すると、第１４の可能な実施においては、ショートカット提示モジュールによって提示されるショートカットは、アプリケーションプログラムのショートカット、特定の機能のショートカット、または特定のアプリケーションの内部要素のショートカットのうちの少なくとも１つを含む。
【００５２】
第５の態様の第１ないし第１４の可能な実施のいずれか１つを参照すると、第１５の可能な実施においては、指紋イベント獲得モジュールは、モバイル端末上の第１の位置において、ユーザによって入力された指紋イベントを獲得するように特に構成され、操作ベクトル獲得モジュールは、第１の位置から開始するユーザによる操作コンポーネントの操作によって生成される操作ベクトルを獲得するように特に構成される。
【００５３】
第６の態様に従えば、本発明の実施形態は、装置を提供する。第１の可能な実施においては、装置は、ユーザによって入力された指紋イベントを獲得するように構成された、指紋イベント獲得モジュールと、ユーザによって入力された指紋イベントが、事前に設定された指紋イベントとマッチしない場合、スクリーンロックインターフェースを提示するように構成された、スクリーンロック提示モジュールであって、スクリーンロックインターフェースは、少なくとも１つのショートカットを含む、スクリーンロック提示モジュールと、指紋センサ上におけるユーザのスライディング操作を獲得するように構成された、スライディング操作獲得モジュールと、指紋センサ上におけるユーザのスライディング操作のスライディング方向に従って、スクリーンロックインターフェース上に含まれる少なくとも１つのショートカットのうちの第１のショートカットを決定するように構成された、決定モジュールと、第１のショートカットを動作させるように構成された、動作モジュールと、動作モジュールが第１のショートカットを動作させた後、動作結果を提示するように構成される、結果提示モジュールとを含む。
【００５４】
第６の態様の第１の可能な実施を参照すると、第２の可能な実施においては、スクリーンロック提示モジュールによって提示されるスクリーンロックインターフェース上におけるショートカットは、アプリケーションプログラムのショートカット、特定の機能のショートカット、または特定のアプリケーションの内部要素のショートカットのうちの少なくとも１つを含む。
【００５５】
第７の態様に従えば、本発明の実施形態は、モバイル端末に適用される、指紋認識を用いる操作方法を提供する。第１の可能な実施においては、方法は、スクリーンロックインターフェースを提示するステップと、ユーザによって入力された指紋イベントを獲得するステップと、ユーザによって入力された指紋イベントが、事前に設定された指紋イベントとマッチする場合、アンロッキング操作を実行し、アンロッキング後に、事前に設定された配置ルールに従って、少なくとも１つのショートカットを提示するステップと、操作ベクトルを獲得するステップであって、操作ベクトルは、ユーザによってモバイル端末の少なくとも１つの操作コンポーネントを操作することによって生成される、ステップと、操作ベクトルに従って、少なくとも１つのショートカットのうちの第１のショートカットを動作させ、動作結果を提示するステップとを含む。
【００５６】
第７の態様の第１の可能な実施を参照すると、第２の可能な実施においては、指紋イベントは、モバイル端末上の第１の位置において獲得され、操作ベクトルは、第１の位置から開始するユーザによる操作コンポーネントの操作によって生成される。
【００５７】
第６の態様の第１または第２の可能な実施を参照すると、第３の可能な実施においては、少なくとも１つの操作コンポーネントは、指紋センサであり、操作ベクトルは、指紋センサ上におけるユーザのスライディング方向を含む。
【００５８】
第６の態様の第１または第２の可能な実施を参照すると、第４の可能な実施においては、少なくとも１つの操作コンポーネントは、タッチスクリーンであり、操作ベクトルは、タッチスクリーン上におけるユーザのスライディング方向を含む。
【００５９】
第８の態様に従えば、本発明の実施形態は、モバイル端末に適用される、指紋認識を用いる操作方法を提供する。第１の可能な実施においては、方法は、アンロックインターフェースを提示するステップと、ユーザによって入力された指紋イベントを獲得するステップと、ユーザによって入力された指紋イベントが、事前に設定された指紋イベントとマッチする場合、スクリーンロックインターフェース上に少なくとも１つのショートカットを提示するステップと、操作ベクトルを獲得するステップであって、操作ベクトルは、ユーザによってモバイル端末の少なくとも１つの操作コンポーネントを操作することによって生成される、ステップと、操作ベクトルに従って、少なくとも１つのショートカットのうちの第１のショートカットを動作させ、スクリーンロックインターフェース上に動作結果を提示するステップ、または操作ベクトルに従って、少なくとも１つのショートカットのうちの第１のショートカットを動作させ、動作結果をアンロック状態で提示するステップとを含む。
【００６０】
第８の態様の第１の可能な実施を参照すると、第２の可能な実施においては、指紋イベントは、モバイル端末上の第１の位置において獲得され、操作ベクトルは、第１の位置から開始するユーザによる操作コンポーネントの操作によって生成される。
【００６１】
第８の態様の第１または第２の可能な実施を参照すると、第３の可能な実施においては、少なくとも１つの操作コンポーネントは、指紋センサであり、操作ベクトルは、指紋センサ上におけるユーザのスライディング方向を含む。
【００６２】
第８の態様の第１または第２の可能な実施を参照すると、第４の可能な実施においては、少なくとも１つの操作コンポーネントは、タッチスクリーンであり、操作ベクトルは、タッチスクリーン上におけるユーザのスライディング方向を含む。
【００６３】
第９の態様に従えば、本発明の実施形態は、モバイル端末に適用される、指紋認識を用いる操作方法を提供する。第１の可能な実施においては、方法は、モバイル端末によって、スクリーンオフ状態を提示するステップと、ユーザによって入力された指紋イベントを獲得するステップと、ユーザによって入力された指紋イベントが、事前に設定された指紋イベントとマッチする場合、モバイル端末によって、スクリーンを明るくし、少なくとも１つのショートカットを提示するステップと、操作ベクトルを獲得するステップであって、操作ベクトルは、ユーザによってモバイル端末の少なくとも１つの操作コンポーネントを操作することによって生成される、ステップと、操作ベクトルに従って、少なくとも１つのショートカットのうちの第１のショートカットを動作させ、動作結果を提示するステップとを含む。
【００６４】
第９の態様の第１の可能な実施を参照すると、第２の可能な実施においては、指紋イベントは、モバイル端末上の第１の位置において獲得され、操作ベクトルは、第１の位置から開始するユーザによる操作コンポーネントの操作によって生成される。
【００６５】
第９の態様の第１または第２の可能な実施を参照すると、第３の可能な実施においては、少なくとも１つの操作コンポーネントは、指紋センサであり、操作ベクトルは、指紋センサ上におけるユーザのスライディング方向を含む。
【００６６】
第９の態様の第１または第２の可能な実施を参照すると、第４の可能な実施においては、少なくとも１つの操作コンポーネントは、タッチスクリーンであり、操作ベクトルは、タッチスクリーン上におけるユーザのスライディング方向を含む。
【００６７】
本発明の実施形態においては、ユーザが、便利に素早くショートカットを動作させることができ、それによって、操作持続時間を短縮し、操作効率性を改善するように、ショートカットが、指紋イベント間のマッチングを実行することによって提示され、動作させられるショートカットは、ユーザによってモバイル端末を操作することによって生成される操作ベクトルに従って決定され、ショートカットが、動作させられ、動作結果が、提示される。
【図面の簡単な説明】
【００６８】
本発明の実施形態における技術的ソリューションをより明瞭に説明するために、実施形態を説明するために必要とされる添付の図面について以下で簡潔に説明する。明らかに、以下の説明における添付の図面は、本発明の実施形態の一部を示しているにすぎず、全部を示しているわけではない。当業者は、創造的な努力なしに、依然として、これらの添付の図面から他の図面を導出してよい。
【図１】本発明の実施形態に従った、モバイル端末の概略構造図である。
【図２】本発明の実施形態に従った、モバイル端末のディスプレイインターフェースの概略図である。
【図３】本発明の実施形態に従った、指紋認識を用いる操作方法のフローチャートである。
【図４】本発明の実施形態に従った、モバイル端末のディスプレイインターフェースの概略図である。
【図５】本発明の実施形態に従った、モバイル端末の操作についての概略図である。
【図６】本発明の実施形態に従った、モバイル端末の操作についての概略図である。
【図７】本発明の実施形態に従った、モバイル端末の操作についての概略図である。
【図８】本発明の実施形態に従った、モバイル端末の操作についての概略図である。
【図９】本発明の実施形態に従った、モバイル端末の操作についての概略図である。
【図１０】本発明の実施形態に従った、モバイル端末のディスプレイインターフェースの概略図である。
【図１１】本発明の実施形態に従った、装置の概略構造図である。
【図１２】本発明の実施形態に従った、指紋認識を用いる操作方法のフローチャートである。
【図１３】本発明の実施形態に従った、モバイル端末の操作についての概略図である。
【図１４】本発明の実施形態に従った、モバイル端末の概略構造図である。
【図１５】本発明の実施形態に従った、装置の概略構造図である。
【発明を実施するための形態】
【００６９】
本発明の目的、技術的ソリューション、および利点をより明瞭にするために、添付の図面を参照して、本発明の実施形態をさらに以下で詳細に説明する。創造的な努力なしに、当業者によって獲得される他のすべての実施形態は、本発明の保護範囲内に包含されるものとする。
【００７０】
以下の実施形態における特定の記述において、「スクリーンロック」、「スクリーンオフ」、および「スクリーンオン」などの概念が、使用されることがある。当業者によって知られている内容に基づいて、本出願は、さらなる説明および記述を与える。以下の記述は、さらなる記述のために意図されたものにすぎず、当技術分野における共通概念用語の説明に対する限定を構成しないことに留意されたい。
【００７１】
スクリーンロックは、ユーザがプライバシの保護および誤操作の防止などを望むために、モバイル端末または略して端末のスクリーンがロックされている状態として理解されてよい。スクリーンロックインターフェースは、端末のディスプレイスクリーン上に提示され、パスワード保護された状態でロックされた、ディスプレイインターフェース、またはジェスチャ保護された状態でロックされた、ディスプレイインターフェースと見なされてよい。スクリーンロックインターフェース上においては、端末は、異なるディスプレイインターフェースを提示してよい。例えば、端末は、特定のスクリーンロックピクチャを提示してよく、特定のスクリーンロックマガジンを提示してよく、または特定のスクリーンロックテキストを提示してよい。端末が、事前に設定された条件を満たすパスワードまたはジェスチャ認証命令を受け取ったとき、端末は、ロック状態を終了し、システムインターフェース、またはアプリケーションプログラムのアプリケーションインターフェースを提示してよい。
【００７２】
ハードウェア障害またはソフトウェアコンフリクトに起因する、端末の障害ベースのブラックスクリーンに加えて、「スクリーンオフ」は、ユーザが電力の節約などを望むために、端末のスクリーンが電源オンになっていない、または明るくされていない状態として理解されてよい。ユーザの観点からは、「スクリーンオフ」の直接的な現れは、端末のスクリーンが、端末が電源オフまたはスイッチオフであるときに、端末が提示するものと同じものを現在提示しているというものである。スクリーンオフ状態においては、端末が、入力情報に従って、スクリーンを電源オンにする、またはスクリーンを明るくするように、端末の物理的ボタンが、トリガされてよく、または生物学的特徴情報が、入力されてよい。当技術分野における技術的用語の使用においては、「スクリーンオフ」は、スクリーンがオフにされることを意味してもまたよい。
【００７３】
「スクリーンオン」は、端末がスクリーンを明るくし、ディスプレイインターフェースを提示している状態として理解されてよい。スクリーンオン状態においては、端末は、ユーザによって必要とされる操作インターフェースを提示してよい。例えば、端末は、アプリケーションの操作インターフェースを提示してよく、またはユーザがアイコンを選択することができるように、デスクトップコンテナを提示してよい。代替として、端末は、ユーザによって一時的に必要とされないが、端末の機能を実施するために必要である、インターフェースを提示してよい。例えば、端末を開始する第１のステップは、スクリーンを明るくすることであり、このケースにおいては、それが、スクリーンオン状態として理解されてよい。
【００７４】
アプリケーションプログラム（Ａｐｐｌｉｃａｔｉｏｎ）は、アプリケーションと呼ばれてもまたよく、１または複数の特定種類の作業を完了するためのコンピュータプログラムである。アプリケーションプログラムは、ユーザモードにおいて動作させられ、ユーザと対話してよく、視覚的なユーザインターフェースを有する。一般に、アプリケーションプログラムは、２つの部分、すなわち、グラフィカルユーザインターフェース（Ｇｒａｐｈｉｃａｌ  Ｕｓｅｒ  Ｉｎｔｅｒｆａｃｅ、ＧＵＩ）と、エンジン（Ｅｎｇｉｎｅ）とを含む。
【００７５】
ショートカットは、タスクを素早く開始するために使用されるコマンドライン、例えば、システムによって提供され、素早くプログラムを開始し、ファイルをオープンし、またはフォルダを展開するためのリンクであり、通常はアイコンの形を取る。ショートカットは、複数の可能な操作エントランスの共通表現である。ショートカットは、アプリケーションプログラム、特定の機能、連絡先、設定オプション、通知バー、またはショートカット操作バーであってよいが、それらに限定されない。本発明の実施形態においては、ショートカットは、アプリケーションプログラムを開始するためのリンク、例えば、以下のアプリケーションプログラム、すなわち、ＷｅＣｈａｔ、Ｇｏｏｇｌｅ  Ｓｅａｒｃｈ、もしくはカメラなどのうちの１つを開始するためのリンクであってよく、またはアプリケーションプログラムにおける要素を開始するためのリンク、例えば、連絡先アプリケーションにおける連絡先を開始するためのリンク、ショートメッセージサービスメッセージアプリケーションにおけるショートメッセージサービスメッセージを開始するためのリンク、もしくは設定アプリケーションにおける機能設定を可能にするためのリンクであってよい。本明細書においては、プログラムにおける要素を開始することは、プログラムにおける要素を表示すること、またはプログラムにおける要素をトリガすることとして理解されてよい。
【００７６】
イベントは、ユーザの指がスクリーンをタップし、スクリーン上において移動したとき、システムによってアプリケーションプログラムに送られる、オブジェクトとして理解されてよい。技術的実施においては、ユーザは、スクリーンばかりでなく、様々なセンサおよび様々な物理的ボタンなどにもタッチしてよい。システムは、特定の経路に従って、イベントを、イベントを処理することができるオブジェクトに転送する。例えば、ｉＯＳにおいては、１つのＵＩＴｏｕｃｈオブジェクトは、１つのタッチを表し、１つのＵＩＥｖｅｎｔオブジェクトは、１つのイベントを表す。イベントオブジェクトは、現在のマルチタッチシーケンスに対応するすべてのタッチオブジェクトを含み、特定のビューまたはウィンドウと関連付けられたタッチオブジェクトをさらに提供してよい。タッチイベントは、時間態様および空間態様を含む。時間態様についての情報は、フェーズ（ｐｈａｓｅ）と呼ばれ、タッチが開始したばかりかどうか、タッチが移動しているか、それとも静止状態にあるか、およびタッチがいつ終了したか（例えば、指がいつスクリーンから持ち上げられたか）を表す。タッチ情報は、ビューまたはウィンドウ内における現在位置についての情報、および以前の位置についての情報をさらに含む。指がスクリーンにタッチしたとき、タッチは、ウィンドウまたはビューと関連付けられる。この関連付けは、イベントの全ライフサイクルにおいて維持される。
【００７７】
生物学的特徴は、一般的な意味における、人間の生理的特徴または行動的特徴である。端末は、人間の生物学的特徴に従った、生物学的認識技術を使用することによって、アイデンティティ認証などを実行してよい。例えば、生物学的特徴認識技術は、コンピュータを使用することによって、光学、音響、バイオセンサ、および生物統計的原理などの、技術的手段と緊密に組み合わされ、個人アイデンティティ認証は、生得的な人間の生理的特徴および行動的特徴を使用することによって実行される。生理的特徴は、手の形、指紋、顔の形、虹彩、網膜、脈拍、および耳介などを含む。行動的特徴は、署名、声、および打鍵力などを含む。
【００７８】
一般に使用される生物学的特徴は、指紋である。指紋は、人間の指の皮膚隆線によって形成される。人の指紋は、遺伝子および環境の両方によって影響される。すべての人が、指紋を有するが、指紋は、異なる。指紋センサ技術は、徐々に成熟しつつあるので、デバイスのセキュリティを高め、ユーザの操作エクスペリエンスを改善するために、ますます多くの端末において、指紋センサが、使用される。本発明の実施形態においては、指紋アプリケーションは、以下のケースを含んでよいが、それらに限定されない。
【００７９】
第１のケースにおいては、指紋は、アンロッキングおよび支払いに適用され、操作パネル上における動くカーソルとして使用され、操作および内容保護などを可能にするために使用される。操作を可能にすることは、通常は、各指に対するアプリケーションプログラムを定義することであり、対応するアプリケーションプログラムが、対応する指紋を入力することによって、開始されてよい。例えば、指紋センサは、１０個の指紋を記録することができ、各指紋をアプリケーションプログラムと関連付けてよい。例えば、人差し指の指紋は、カメラをオープンすることに対応しており、中指の指紋は、Ｂｌｕｅｔｏｏｔｈをオンにすることに対応している。ユーザが、特定の指紋を入力したとき、特定のアプリケーションに入る。
【００８０】
第２のケースにおいては、異なるアプリケーションプログラムが、タップジェスチャ、ダブルタップジェスチャ、およびタッチアンドホールドジェスチャなどの、指紋ジェスチャを使用することによって、開始される。例えば、人差し指を使用することによってタップすることは、カメラをオープンすることに対応しており、人差し指を使用することによって指紋センサをダブルタップすることは、Ｂｌｕｅｔｏｏｔｈをオンにすることに対応している。
【００８１】
第３のケースにおいては、複数のショートカットが、指紋を入力することによって、スクリーン上に表示され、ショートカットをタップすることによって、対応するアプリケーションに入る。実施形態において使用される指紋認識は、容量型指紋認識であってよく、指紋センサは、容量型センサであり、または実施形態において使用される指紋認識は、超音波指紋認識であってよく、指と直接的に接触する必要はない。超音波センサは、指紋隆線画像を形成するために、反射波の強度に主に依存する。センサの表面を介して、指表面に到達したとき、超音波源から発せられた超音波は、反射される。受波デバイスは、超音波の反射信号を獲得し、反射信号の範囲を測定し、隆線の深さを獲得し、指紋画像を形成する。画像は、実際の隆線地形（凹凸）の現実の反映である。容量型指紋認識技術については、その全体が参照によって本明細書に組み込まれる、ＣＮ１０４７４８７７０を参照されたい。超音波指紋認識技術については、その全体が参照によって本明細書に組み込まれる、ＣＮ１０４８８１６２９を参照されたい。
【００８２】
指紋特徴認識が、使用されないとき、ユーザが、サービスを使用するために、端末を使用する、例えば、特定のアプリケーションをオープンする必要がある場合、ユーザは、通常、システムインターフェース上においてアプリケーションに対応するアイコンを探し、アイコンを見つけた後、アプリケーションの操作インターフェースを表示するために、アプリケーションのアイコンをタップし、アプリケーションに対応するサービスを使用する必要がある。端末が、まだ、スクリーンロック状態およびスクリーンオフ状態にあるとき、ユーザは、より多くの手順を操作する必要があり、操作は、より複雑である。例えば、端末は、スクリーンオフ状態にあってよく、このケースにおいては、ユーザは、スクリーンを明るくするために、対応する操作を実行する必要がある。端末のスクリーンが、明るくされた後、スクリーンは、ロックされていなくてよく、このケースにおいては、ユーザは、システムインターフェース上において、対応するアプリケーションアイコンを直ちに探してよい。代替として、スクリーンが、明るくされた後、端末は、スクリーンロック状態にあってよく、このケースにおいては、ユーザは、アンロッキング操作を実行する必要がある。端末は、ユーザによって入力されたアンロッキング情報が、認証によって、正しいと決定されたときだけ、システムインターフェースを提示する。このケースにおいては、ユーザは、さらに、システムインターフェース上において、対応するアプリケーションアイコンを探し、アプリケーションアイコンをトリガする操作を実行する必要がある。ユーザの操作が、簡略化されることができる場合、ユーザによってモバイル端末を操作する効率性は、改善されることができる。
【００８３】
図１に示されるように、図１は、本発明の実施形態に従った、モバイル端末の概略構造図である。端末は、プロセッサ、メモリ、入力デバイス、出力デバイス、および操作コンポーネントなどを含む。入力デバイスと操作コンポーネントとの間には、重複が存在する。いくつかのシナリオにおいては、入力デバイスと操作コンポーネントは、指紋センサなどの、同じ電子コンポーネントであってよい。いくつかのシナリオにおいては、入力デバイスと操作コンポーネントは、異なる電子コンポーネントであってよい。例えば、入力デバイスは、タッチスクリーンであり、操作コンポーネントは、ジャイロセンサである。
【００８４】
図２は、本発明の実施形態に従った、モバイル端末のディスプレイインターフェースの概略図である。端末は、図１に示される構造的コンポーネントを含んでよい。
【００８５】
プロセッサは、端末の制御センタであり、様々なインターフェースおよびラインを使用することによって、端末全体の各部分に接続され、メモリ内に記憶されたソフトウェアプログラムもしくはモジュールまたは両方を動作させまたは実行することによって、またメモリ内に記憶されたデータを呼び出すことによって、モバイル端末の様々な機能を実行し、および／またはデータを処理する。プロセッサは、集積回路（Ｉｎｔｅｇｒａｔｅｄ  Ｃｉｒｃｕｉｔ、略してＩＣ）を含む。例えば、プロセッサは、単一のパッケージ化されたＩＣを含んでよく、または同じ機能もしくは異なる機能を有する、複数の接続されたパッケージ化されたＩＣを含んでよい。例えば、プロセッサは、中央処理装置（Ｃｅｎｔｒａｌ  Ｐｒｏｃｅｓｓｉｎｇ  Ｕｎｉｔ、略してＣＰＵ）だけを含んでよく、またはＧＰＵ、デジタル信号プロセッサ（Ｄｉｇｉｔａｌ  Ｓｉｇｎａｌ  Ｐｒｏｃｅｓｓｏｒ、略してＤＳＰ）、ＡＳＩＣ、および通信管理モジュール内の制御チップ（例えば、ベースバンドチップ）の組み合わせであってよい。本発明の実施においては、ＣＰＵは、単一のコンピューティングコアであってよく、または複数のコンピューティングコアを含んでよい。ＣＰＵは、関連するアプリケーションプログラムを呼び出すことによって、対応する機能を実行する。
【００８６】
メモリは、ソフトウェアプログラム構成およびシステム構成を記憶するように構成されてよい。メモリ内に記憶されたソフトウェアプログラム構成およびシステム構成を読み取ることによって、プロセッサは、モバイル端末の様々な機能アプリケーションを実行し、データ処理を実施する。メモリは、プログラム構成記憶エリアと、システム構成記憶エリアとを含む。プログラム構成記憶エリアは、音声再生プログラムまたは画像再生プログラムなど、少なくとも１つのアプリケーションプログラムの構成情報を記憶してよい。システム記憶エリアは、モバイル端末の使用に従って生成されたシステム構成データなどを記憶してよい。本発明の特定の実施においては、メモリは、不揮発性ランダムアクセスメモリ（Ｎｏｎｖｏｌａｔｉｌｅ  Ｒａｎｄｏｍ  Ａｃｃｅｓｓ  Ｍｅｍｏｒｙ、略してＮＶＲＡＭ）、相変化ランダムアクセスメモリ（Ｐｈａｓｅ  Ｃｈａｎｇｅ  ＲＡＭ、略してＰＲＡＭ）、または磁気抵抗ランダムアクセスメモリ（Ｍａｇｅｔｏｒｅｓｉｓｔｉｖｅ  ＲＡＭ、略してＭＲＡＭ）などの、揮発性メモリを含んでよく、また少なくとも１つの磁気ディスク記憶コンポーネント、電気的消去可能プログラマブルリードオンリーメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、略してＥＥＰＲＯＭ）、またはＮＯＲフラッシュメモリ（ＮＯＲ  ｆｌａｓｈ  ｍｅｍｏｒｙ）もしくはＮＡＮＤフラッシュメモリ（ＮＡＮＤ  ｆｌａｓｈ  ｍｅｍｏｒｙ）などの、フラッシュメモリコンポーネントなどの、不揮発性メモリをさらに含んでよい。不揮発性メモリは、プロセッサによって実行される、オペレーティングシステムおよびアプリケーションプログラムを記憶する。プロセッサは、動作プログラムおよびデータを、不揮発性メモリからメモリにロードし、デジタルコンテンツを大容量記憶装置内に記憶する。オペレーティングシステムは、メモリ管理、記憶デバイス制御、または電力管理などの、通常のシステムタスクを制御および管理するように、また様々なソフトウェアおよびハードウェア間の通信を容易にするように構成された、様々なコンポーネントおよび／またはドライバを含む。本発明の実施においては、オペレーティングシステムは、ＧｏｏｇｌｅのＡｎｄｒｏｉｄシステム、Ａｐｐｌｅによって開発されたｉＯＳシステム、Ｍｉｃｒｏｓｏｆｔによって開発されたＷｉｎｄｏｗｓオペレーティングシステム、またはＶｘｗｏｒｋｓなどの組み込みオペレーティングシステムであってよい。本発明のこの実施形態においては、いかなる限定も課されない。
【００８７】
入力デバイスは、ユーザと端末との間の対話を実施するように、および／または端末に情報を入力するように構成される。例えば、入力デバイスは、ユーザ設定または機能制御に関連する信号入力を生成するために、ユーザによって入力された数字または文字情報を受け取ってよい。本発明の特定の実施においては、入力デバイスは、タッチセンシティブ面であってよく、または実体的な入力キーもしくはマイクロフォンなどの、別のマン−マシン対話インターフェースであってよく、または外部情報を獲得するための別の装置、例えば、カメラであってよい。タッチセンシティブ面は、タッチスクリーンまたはタッチスクリーンとも呼ばれ、タッチセンシティブ面にタッチまたは接近するユーザの操作アクション、例えば、形状またはスタイラスなどの、任意の適切なオブジェクトまたはアクセサリを使用することによって、タッチセンシティブ面上において、またはタッチセンシティブ面に近い位置において、ユーザによって実行された操作アクションを収集し、事前に設定されたプログラムに従って、対応する接続装置を駆動してよい。任意選択で、タッチセンシティブ面は、２つの部分、すなわち、タッチ検出装置と、タッチコントローラとを含んでよい。タッチ検出装置は、ユーザのタッチ操作を検出し、検出されたタッチ操作を電気信号に変換し、電気信号をタッチコントローラに転送する。タッチコントローラは、タッチ検出装置から電気信号を受け取り、電気信号をタッチポイントの座標に変換し、その後、タッチポイントの座標を記憶および処理モジュール内の処理ユニットに転送する。タッチコントローラは、さらに、プロセッサから送られたコマンドを受け取り、実行してよい。加えて、タッチセンシティブ面は、抵抗型、容量型、赤外（Ｉｎｆｒａｒｅｄ）線、および表面音響波などの、複数の種類を使用することによって、実施されてよい。本発明の別の実施においては、入力デバイスにおいて使用される実体的な入力キーは、物理的キーボード、（音量制御ボタンもしくはアン／オフボタンなどの）ファンクションキー、トラックボール、マウス、またはジョイスティックなどのうちの１または複数を含んでよいが、それらに限定されない。マイクロフォンの形を取る入力モジュールは、ユーザまたは環境によって入力された音声を収集し、音声を電気信号の形を取るコマンドに変換してよく、処理ユニットによって実行されてよい。本発明の他のいくつかの実施においては、入力デバイスは、モバイル端末の物理量、例えば、力、トルク、圧力、応力、位置、変位、スピード、加速度、角度、角速度、回転量、回転スピード、および作業状態が変化する持続時間を検出するために使用される、ホールコンポーネントなどの、様々なセンシングコンポーネントであってよく、検出および制御のために、物理量を電気量に変換する。他のセンシングコンポーネントは、重力センサ、３軸加速度計、およびジャイロスコープなどをさらに含んでよい。入力デバイスは、指紋センサをさらに含んでよい。指紋センサは、別個の指紋センサであってよく、または端末のタッチスクリーンと統合されてよい。
【００８８】
出力デバイスは、特に、ＬＣＤ（Ｌｉｑｕｉｄ  Ｃｒｙｓｔａｌ  Ｄｉｓｐｌａｙ、液晶ディスプレイ）、ＯＬＥＤ（Ｏｒｇａｎｉｃ  Ｌｉｇｈｔ−Ｅｍｉｔｔｉｎｇ  Ｄｉｏｄｅ、有機発光ダイオード）、または電界放出ディスプレイ（ｆｉｅｌｄ  ｅｍｉｓｓｉｏｎ  ｄｉｓｐｌａｙ、略してＦＥＤ）などの形に構成された、ディスプレイパネルであってよい。代替として、出力デバイスは、反射型ディスプレイ、例えば、電気泳動（ｅｌｅｃｔｒｏｐｈｏｒｅｔｉｃ）ディスプレイであり、または光の干渉変調技術（Ｉｎｔｅｒｆｅｒｏｍｅｔｒｉｃ  Ｍｏｄｕｌａｔｉｏｎ  ｏｆ  Ｌｉｇｈｔ）を使用するディスプレイである。本発明の特定の実施においては、ディスプレイは、タッチセンシティブ面と、ディスプレイスクリーンとを含む。タッチセンシティブ面は、出力デバイスのディスプレイパネルとして使用されてもまたよい。例えば、タッチセンシティブ面にタッチまたは接近するジェスチャ操作を検出した後、タッチセンシティブ面は、タッチイベントの種類を決定するために、ジェスチャ操作を処理ユニットに転送し、処理ユニットは、タッチイベントの種類に従って、対応する視覚的出力をディスプレイパネル上に提供する。いくつかの実施形態においては、タッチセンシティブ面およびディスプレイパネルは、モバイル端末の入力機能および出力機能を実施するように統合されてよい。
【００８９】
図３に示されるように、図３は本発明の実施形態に従った、指紋認識を用いる操作方法のフローチャートである。方法は、以下のステップを含む。
【００９０】
Ｓ３０１。指紋センサを使用することによって、ユーザによって入力された指紋イベントを獲得する。
【００９１】
モバイル端末の指紋センサは、指紋センサであってよい。指紋センサは、スクリーンの下方部分に配置されてよい。代替として、指紋センサは、モバイル端末の背面上に、例えば、Ｈｕａｗｅｉ  Ａｓｃｅｎｄ  Ｍａｔｅ  ７の指紋センサの位置に配置されてよい。代替として、指紋センサは、端末の側面上に配置されてよい。
【００９２】
モバイル端末の指紋センサは、別個のコンポーネントであってよく、または別のコンポーネントと統合されてよい。例えば、指紋センサは、タッチスクリーンと統合されてよく、固定された領域内に入力された指紋に対する指紋認証を容易にするために、固定された位置が、あらかじめスクリーン上において指定される。代替として、指紋入力および／または認識の機能は、スクリーン全体またはスクリーン上の任意の位置に拡張され、認証が、単一の指紋に対して実行され、または複数の指紋に対して同時に実行される。スクリーンが指紋センサである技術的実施においては、追加の指紋センサ層が、ディスプレイスクリーンに追加されてよい。代替として、指紋センサは、集積回路を使用することによって、底面カバーの表面に接続され、またはスクリーンの最上層に接続される。代替として、指紋センサ全体が、パネル内に製造され、ディスプレイスクリーンの上方部分に配置される。
【００９３】
任意選択で、指紋イベントは、指紋、すなわち、ユーザによって入力された指紋画像であってよい。
【００９４】
任意選択で、指紋イベントは、指紋ジェスチャであってよい。ジェスチャは、ユーザの指が（スクリーンまたは指紋センサなどの）操作コンポーネントにタッチする方式、例えば、タップジェスチャ、ダブルタップジェスチャ、マルチタッチ（ピンチアンドスプレッド）ジェスチャ、またはスライディングジェスチャとして理解されてよい。指紋ジェスチャは、ユーザが特定または非特定の指紋を使用することによって指紋センサをトリガする操作、例えば、１または複数の指紋を使用することによって実行されるタップ操作、ダブルタップ操作、タッチアンドホールド操作、またはスライディング操作のうちの少なくとも１つ、例えば、人差し指を使用することによって実行されるタップ操作、親指を使用することによって実行されるダブルタップ操作、中指を使用することによって実行されるタッチアンドホールド操作、または人差し指を使用することによって実行されるスライディング操作として理解されてよい。
【００９５】
任意選択で、指紋ジェスチャは、指紋操作と非指紋操作との組み合わせ、すなわち、特定の指紋を使用することによってユーザによって指紋センサをトリガすることによって生成される操作命令と、ユーザによって別の操作コンポーネントをトリガすることによって生成される操作命令との組み合わせ、例えば、指紋を使用することによって指紋センサをトリガする操作と、別のセンサの操作との組み合わせであってよい。例えば、この種類の指紋ジェスチャは、指紋センサをトリガするための命令と、加速度センサをトリガするための命令との組み合わせを含んでよい。例えば、デバイスは、タッチアンドホールド操作が指紋センサ上において実行されるとき、揺すられる。代替として、この種類の指紋ジェスチャは、指紋センサをトリガするための命令と、圧力センサをトリガするための命令との組み合わせを含んでよい。例えば、指紋センサは、５秒よりも長く、特定の力で押される。
【００９６】
Ｓ３０２。ユーザによって入力された指紋イベントが、事前に設定された指紋イベントとマッチするとき、ショートカットを提示する。
【００９７】
ユーザによって入力された指紋イベントが、指紋画像であるとき、ユーザによって入力された指紋イベントが、事前に設定された指紋イベントとマッチすることは、ユーザによって入力された指紋画像が、複数の事前に記憶された指紋画像のうちの１つの指紋画像と同じであること、または類似性が、事前に設定された閾値以上であることを含む。
【００９８】
ユーザによって入力された指紋イベントが、ユーザによって指紋センサをタッチする指紋ジェスチャである、すなわち、特定の指紋を使用することによって指紋センサ上においてユーザによって実行される、タップ操作、ダブルタップ操作、タッチアンドホールド操作、またはスライディング操作のうちの少なくとも１つであるとき、ユーザによって入力された指紋イベントが、事前に設定された指紋イベントとマッチすることは、ユーザによって指紋センサをタッチするための指紋が、指紋ジェスチャの事前に設定された指紋と同じであり、指紋センサ上において実行される操作が、同じであること、またはユーザによって指紋センサをタッチするための指紋が、指紋ジェスチャの事前に設定された指紋と同じであり、指紋センサ上において実行される操作が、類似していることを含む。例えば、スライディング軌道間またはスライディング方向間の偏差は、事前に設定された偏差範囲内に入る。
【００９９】
ユーザによって入力された指紋イベントが、指紋ジェスチャである、すなわち、特定の指紋を使用することによってユーザによって指紋センサをトリガすることによって生成される操作命令と、ユーザによって別の操作コンポーネントをトリガすることによって生成される操作命令との組み合わせであるとき、ユーザによって入力された指紋イベントが、事前に設定された指紋イベントとマッチすることは、ユーザによって指紋センサをタッチするための指紋が、指紋ジェスチャの事前に設定された指紋と同じであり、ユーザによってタッチされた他の操作コンポーネントが、同じであり、ユーザによって他の操作コンポーネントをタッチするための操作が、同じである、または偏差が、事前に設定された範囲内に入ることを含む。
【０１００】
例えば、提示方式は、以下の方式のうちの少なくとも１つを含んでよい。
【０１０１】
任意選択で、スクリーンは、現在、システムインターフェースなどの、第１のインターフェースを提示しており、ショートカットが、事前に設定された配置ルールに従って、第１のインターフェース上の領域内に提示される。図４に示されるように、指紋センサは、ディスプレイスクリーンの下方部分に配置され、ショートカットは、図に示されるように、配置されてよく、センタとして座標点を使用することによって、分散して配置される。領域は、システムインターフェース上のセンタ領域、またはユーザの左手または右手を認識するための片手操作領域であってよい。
【０１０２】
任意選択で、スクリーンは、現在、第１のインターフェースを提示している。ユーザによって入力された指紋イベントが、事前に設定された指紋イベントとマッチするとき、第１のインターフェースから第２のインターフェースへの切り換えが、実行され、第２のインターフェースが、提示される。ショートカットが、事前に設定された配置ルールに従って、第２のインターフェース上に提示される。例えば、第１のインターフェースは、アプリケーションの動作インターフェースである。ユーザによって入力された指紋イベントが、事前に設定された指紋イベントとマッチするとき、端末は、アプリケーションから出て、またはバックグラウンドにおいてアプリケーションを動作させて、（システムインターフェースなどの）第２のインターフェース上にショートカットを提示してよい。
【０１０３】
任意選択で、図１０に示されるように、図１０は、本発明の実施形態に従った、モバイル端末のディスプレイインターフェースの概略図である。一時停止インターフェースが、現在提示されている第１のインターフェース上に提示され、少なくとも１つのショートカットが、事前に設定された配置ルールに従って、一時停止インターフェース上に提示される。一時停止インターフェースは、一時停止ウィンドウの形を取り、ショートカットは、一時停止ウィンドウ内に提示される。
【０１０４】
任意選択で、ショートカットは、モバイル端末のディスプレイスクリーン上に提示されてよく、またはモバイル端末を使用することによって、別のデバイス上に提示されてよい。例えば、モバイル端末は、出力デバイスを使用することによって、ディスプレイスクリーン上に表示された内容を壁に投影し、ショートカットを壁上に提示する。
【０１０５】
Ｓ３０３。ユーザによってモバイル端末の少なくとも１つの操作コンポーネントを操作することによって生成される操作ベクトルを獲得する。
【０１０６】
ベクトルは、方向を有する量であり、数学においては、ベクトルとも呼ばれる。物理学におけるベクトルは、方向を有する物理量である。操作ベクトルは、操作コンポーネント上におけるユーザの操作方向として理解されてよい。タッチスクリーンが、例として使用される。ユーザは、タッチスクリーン上においてスライディング操作を実行し、スライディング軌道が、生成される。スライディング軌道は、タッチスクリーン上におけるスライディング操作のアクションポイントによって形成される軌道である。スライディング操作の操作ベクトルは、スライディング軌道に従って、決定されてよい。同様に、操作コンポーネントが、指紋センサであり、ユーザが、指紋センサ上においてスライディング操作を実行する場合、スライディング軌道は、指紋センサ上におけるスライディング操作のアクションポイントによって形成される軌道である。スライディング操作の操作ベクトルは、スライディング開始ポイントおよびスライディング終了ポイントなどの、スライディング軌道に従って、決定されてよい。図４に示されるように、指紋センサは、ディスプレイスクリーンの下方部分に配置され、端末は、指紋センサ上におけるスライディング操作を獲得し、スライディング方向を決定する。特に、指紋センサによって獲得されるスライディング開始ポイントは、ショートカット配置のためのセンタポイントにマッピングされてよい。ユーザのスライディング操作のスライディング方向が、獲得された後、センタポイントが、センタとして使用されてよく、指紋センサ上におけるスライディング方向に対応するショートカットが、決定される。例えば、図５においては、ユーザが、右方向にスライドしたとき、ディスプレイスクリーン上においてセンタポイントの右側にあるショートカットが、決定される。
【０１０７】
操作ベクトルは、センサによって検出されたモバイル端末の動き方向としてさらに理解されてよい。例えば、３次元空間内におけるＸ、Ｙ、Ｚの３方向におけるモバイル端末の変位が、端末の動きの変位方向を検出するために、加速度センサ、方向センサ、電子コンパスセンサ、またはジャイロセンサなどによって検出される。方向センサが、例として使用される（ジャイロセンサの原理も同様である）。方向センサは、端末の動きの変位を検出するために、３次元空間内におけるＸ、Ｙ、Ｚの３方向におけるモバイル端末の変位を検出する。Ｘ方向およびＹ方向が、水平面上における方向を決定するために使用され、Ｚ方向が、水平面と垂直な方向を決定するために使用される。検出によってセンサによって獲得された変位データは、端末の位置情報変化のための基本解析データとして使用されてよく、端末が信号測定を実行する必要があるかどうかについてのデータサポートをさらに提供する。例えば、方向センサは、Ｘ、Ｙ、またはＺ方向のうちの少なくとも１つの方向における変位を獲得してよく、端末が、センサを使用することによって、いずれかの方向における連続的な位置変化が、事前に設定された時間閾値を満たすと決定したとき、ユーザによってモバイル端末を操作することによって生成される操作ベクトルが、決定される。例えば、モバイル端末は、ジャイロスコープを使用することによって、ユーザによってモバイル端末を揺する命令を検出し、ユーザがモバイル電話を揺する方向を獲得してよい。ショートカットが、事前に設定された配置ルールに従って、提示された後、ショートカットが、方向についての情報に従って、決定される。
【０１０８】
Ｓ３０４。操作ベクトルに従って、少なくとも１つのショートカットのうちの第１のショートカットを動作させ、動作結果を提示する。
【０１０９】
ユーザによってモバイル端末の少なくとも１つの操作コンポーネントを操作することによって生成される操作ベクトルを獲得した後、端末は、操作ベクトルに従って、第１のショートカットを決定してよく、第１のショートカットを決定した後、第１のショートカットを動作させ、第１のショートカットの動作結果を提示してよい。
【０１１０】
任意選択の実施においては、操作ベクトルは、操作コンポーネント上におけるユーザの操作方向、例えば、タッチスクリーンまたは指紋センサ上におけるユーザのスライディング方向である。端末は、タッチスクリーンまたは指紋センサ上における操作イベントと、タッチスクリーン上の座標点上における操作イベントとの間の操作マッピングを実行してよい。指紋センサまたはタッチスクリーン上においてユーザによって実行され、端末によって検出された操作イベントは、座標点上においてユーザによって実行された対応する操作イベントと見なされてよい。例えば、座標点は、複数のショートカットを提示するためのセンタポイントであってよい。例えば、ユーザが指紋センサ上においてある方向にスライドしたことが検出されたとき、スクリーン上の対応する座標点を開始ポイントとして使用するスライディング操作が、実行され、スライディング軌道は、互いに同じまたは対応してよい。スライディング軌道が、互いに同じまたは対応することは、スライディング方向が、同じ、もしくは偏差が、事前に設定された範囲内に入ること、スライディング軌道の長さが、同じ、もしくは比率に従って同様であること、またはスライディング軌道によって通過される座標点の位置が、マッピング関係にあることなどを含む。例えば、ユーザが指紋センサ上においてダブルタップ操作を実行したことが検出されたとき、スクリーン上の対応する座標点をタッチポイントとして使用するダブルタップ操作が、実行される。
【０１１１】
任意選択の実施においては、操作ベクトルは、センサによって検出されたモバイル端末の移動方向、例えば、ジャイロスコープによって検出された移動方向である。端末は、センサによって検出された端末の変位イベントと、タッチスクリーン上の座標点上における操作イベントとの間の操作マッピングを実行してよい。端末によって検出された（変位方向、変位加速度、または変位持続時間などを含む）変位イベントは、座標点上においてユーザによって実行された対応する操作イベントと見なされてよい。例えば、端末がＹ軸上において９０度の角度で前方に移動していることが検出されたとき、スクリーン上におけるショートカット配置のためのセンタポイントの真上のショートカットが、実行される。
【０１１２】
第１のショートカットを動作させることは、以下のケース、すなわち、第１のショートカットが、連絡先を指し示す（連絡先プロファイルピクチャなどの）インターフェース要素であるとき、第１のショートカットを動作させることは、連絡先の電話番号にダイアルすることであること、第１のショートカットが、タスクであるとき、第１のショートカットを動作させることは、タスクを実行すること、例えば、タスクマネージャにおける処理を可能もしくは不可能にすることであること、第１のショートカットが、アプリケーションプログラムのエントランス、例えば、Ｇｏｏｇｌｅ  Ｍａｐｓのアイコンであるとき、第１のショートカットを動作させることは、Ｇｏｏｇｌｅ  Ｍａｐｓを動作させることであること、第１のショートカットが、ファイル、例えば、ｗｏｒｄファイルのリンクであるとき、第１のショートカットを動作させることは、ｗｏｒｄファイルをオープンすることであること、第１のショートカットが、フォルダのリンクであるとき、第１のショートカットを動作させることは、フォルダを展開することであること、または第１のショートカットが、アプリケーションプログラムにおける要素のリンクであるとき、第１のショートカットを動作させることは、プログラムにおける要素を表示すること、例えば、連絡先アプリケーションにおけるＺｈａｎｇ  ＳａｎもしくはＬｉ  Ｓｉの連絡先を表示すること、もしくはプログラムにおける要素をトリガすること、例えば、端末をサイレントモードに設定すること、もしくは端末のスクリーンの明るさを設定することであることを含むが、それらに限定されない。
【０１１３】
操作ベクトルが、指紋センサ上におけるユーザの操作ベクトルであるとき、端末は、指紋センサ上においてユーザによってトリガされた操作イベントを、タッチスクリーン上において端末によって獲得される操作イベントにマッピングしてよい。例えば、ユーザは、人差し指を使用することによって、指紋センサ上においてスライディング操作を実行し、人差し指を使用することによって実行されるスライディング操作によってトリガされるスライディング操作イベントは、人差し指を使用することによってタッチスクリーン上において実行されたスライディング操作にマッピングされてよい。例えば、ユーザは、親指を使用することによって、指紋センサ上においてタッチアンドホールド操作を実行し、親指を使用することによって実行されるタッチアンドホールド操作によってトリガされるタッチアンドホールド操作イベントは、親指を使用することによってタッチスクリーン上の座標点上において実行されたタッチアンドホールド操作イベントにマッピングされてよい。例えば、ユーザは、親指を使用することによって、指紋センサ上においてダブルタップ操作を実行し、親指を使用することによって実行されるダブルタップ操作によってトリガされるダブルタップ操作イベントは、親指を使用することによってタッチスクリーン上の座標点上において実行されたダブルタップ操作イベントにマッピングされてよい。
【０１１４】
本発明のこの実施形態においては、ユーザが、便利に素早くショートカットを動作させることができ、それによって、操作持続時間を短縮し、操作効率性を改善するように、ショートカットが、指紋イベント間のマッチングを実行することによって提示され、動作させられるショートカットは、ユーザによってモバイル端末を操作することによって生成される操作ベクトルに従って決定され、ショートカットが、動作させられ、動作結果が、提示される。例えば、スクリーンオフ状態およびスクリーンロック状態の両方において、ユーザは、指紋センサ上に指を置く必要があるだけであり、モバイル端末は、指紋認識を実行し、スクリーンを明るくし、アンロッキング操作を実行し、ショートカットを提示する。ユーザが、提示されたショートカットを見た後、指が、指が最初にあった位置において僅かに移動し、所望のショートカットが、動作させられてよい。ユーザにとっては、ほぼ１つの位置において実行された１つのアクションが、モバイル端末が、指紋認識を実行し、スクリーンを明るくし、アンロッキング操作を実行し、複数のショートカットを提示し、ユーザによって選択されたショートカットを動作させることを可能にする。すなわち、指紋イベントが、モバイル端末上の第１の位置において獲得され、同様に、第１の位置から開始するユーザによる操作コンポーネントの操作によって生成された操作ベクトルが、第１の位置において獲得される。
【０１１５】
図６に示されるように、図６は、本発明の実施形態に従った、モバイル端末の操作についての概略図である。本発明のこの実施形態においては、端末の指紋センサは、タッチスクリーンである。ユーザ操作は、例として使用される。端末は、現在、スクリーンオン状態にあり、スクリーンロックインターフェースを提示している。端末のタッチスクリーンは、ユーザの人差し指のタッチを獲得し、人差し指の指紋が、事前に設定された指紋イベントとマッチすると決定する。特定のインターフェースが、提示される。複数のアプリケーションアイコン、例えば、ＷｅＣｈａｔアイコン、ｍｉｃｒｏｂｌｏｇアイコン、およびＡｌｉｐａｙアイコンが、特定のインターフェース上に提示される。この処理においては、端末は、ユーザの人差し指からの圧力を継続的に検出し、ユーザの人差し指によって押された座標位置は、変わらないままである。複数のアイコンが、提示された後、端末は、ユーザによって入力され、人差し指によって押されたポイントを開始ポイントとして使用して上垂直方向にスライドすることによって獲得される、スライディング軌道を獲得し、スライディング軌道に従って、現在の操作ベクトルが上垂直方向であることを決定し、例えば、タッチスクリーン上における座標点を使用することによる計算によって、現在の操作ベクトルが上垂直方向であることを決定し、上垂直方向にあるショートカット、例えば、ＷｅＣｈａｔアイコンを決定し、ＷｅＣｈａｔアイコンを動作させ、ＷｅＣｈａｔアプリケーションがその上で動作させられるインターフェースを提示する。
【０１１６】
図７に示されるように、図７は、本発明の実施形態に従った、モバイル端末の操作についての概略図である。本発明のこの実施形態においては、端末の指紋センサは、タッチスクリーンである。ユーザ操作は、例として使用される。端末は、現在、スクリーンオフ状態にあり、ユーザは、物理的ボタンにタッチして、スクリーンを明るくし、またはユーザは、タッチスクリーンをタップして、スクリーンを明るくする。端末のタッチスクリーンが、電源オンにされた後、スクリーンロックインターフェースが、提示される。端末のタッチスクリーンは、ユーザの人差し指のタッチを獲得し、人差し指の指紋が、事前に設定された指紋イベントとマッチすると決定する。特定のインターフェースが、提示される。複数のアプリケーションアイコン、例えば、ｍｉｃｒｏｂｌｏｇアイコンＡ、ＷｅＣｈａｔアイコンＢ、ＡｌｉｐａｙアイコンＣ、およびＱＱアイコンＤが、特定のインターフェース上に提示される。４つのアイコンは、事前に設定されたセンタ位置ｂをセンタとして使用することによって、リンク形状に配置されてよい。この処理においては、端末は、ユーザの人差し指からの圧力を検出せず、すなわち、人差し指の指紋を入力した後、ユーザは、タッチスクリーンから指を取り去る。複数のアイコンが、提示された後、端末は、ユーザによって入力され、タッチスクリーン上の任意のポイントａを開始ポイントとして使用して上垂直方向にスライドすることによって獲得される、スライディング軌道を獲得する。端末は、スライディング軌道の開始位置をセンタ位置にマッピングし、スライディング軌道に従って、現在の操作ベクトルが上垂直方向であることを決定し、上垂直方向にあるショートカット、例えば、ＷｅＣｈａｔアイコンを決定し、ＷｅＣｈａｔアイコンを動作させ、ＷｅＣｈａｔアプリケーションがその上で動作させられるインターフェースを提示する。
【０１１７】
図８に示されるように、図８は、本発明の実施形態に従った、モバイル端末の操作についての概略図である。本発明のこの実施形態においては、端末の指紋センサは、タッチスクリーンの下方部分に配置される。端末は、現在、スクリーンオフ状態にあってよく、またはスクリーンオン状態にあってよく、またはスクリーンロック状態にあってよい。指紋センサは、ユーザの人差し指のタッチを獲得し、人差し指の指紋が、事前に設定された指紋イベントとマッチすると決定する。特定のインターフェースが、提示される。複数のアプリケーションアイコン、例えば、ｍｉｃｒｏｂｌｏｇアイコンＡ、ＷｅＣｈａｔアイコンＢ、ＡｌｉｐａｙアイコンＣ、およびＱＱアイコンＤが、特定のインターフェース上に提示される。４つのアイコンは、事前に設定されたセンタ位置ｂをセンタとして使用することによって、リンク形状に配置されてよい。この処理においては、指紋センサは、ユーザの人差し指からの圧力を継続的に検出する。複数のアイコンが、提示された後、指紋センサは、継続的に、ユーザの人差し指の指紋画像を収集し、端末内に記憶された、人差し指の指紋モデルにおける複数の画像に従って、ユーザの人差し指が移動したと決定する。プロセッサは、人差し指の複数の記憶された指紋画像と、指紋センサによって継続的に収集された複数の指紋画像とに従って、指紋センサ上における人差し指のスライディング方向を決定する。例えば、人差し指は、上垂直方向にスライドする。端末は、人差し指が指紋センサ上においてスライドする開始位置を、センタ位置にマッピングし、スライディング方向に従って、センタ位置の上垂直方向にあるショートカット、例えば、ＷｅＣｈａｔアイコンを決定し、ＷｅＣｈａｔアイコンを動作させ、ＷｅＣｈａｔアプリケーションがその上で動作させられるインターフェースを提示する。
【０１１８】
図９に示されるように、図９は、本発明の実施形態に従った、モバイル端末の操作についての概略図である。本発明のこの実施形態においては、端末の指紋センサは、タッチスクリーンの下方部分に配置される。端末は、現在、スクリーンオフ状態にあってよく、またはスクリーンオン状態にあってよく、またはスクリーンロック状態にあってよい。指紋センサは、ユーザの人差し指のタッチを獲得し、人差し指の指紋が、事前に設定された指紋イベントとマッチすると決定する。特定のインターフェースが、提示される。複数のアプリケーションアイコン、例えば、ｍｉｃｒｏｂｌｏｇアイコンＡ、ＷｅＣｈａｔアイコンＢ、ＡｌｉｐａｙアイコンＣ、およびＱＱアイコンＤが、特定のインターフェース上に提示される。４つのアイコンは、事前に設定されたセンタ位置ｂをセンタとして使用することによって、リンク形状に配置されてよい。この処理においては、指紋センサは、ユーザの人差し指からの継続的な圧力を検出せず、すなわち、指紋センサ上において人差し指の指紋を入力した後、ユーザは、指紋センサから人差し指の指紋を取り去る。複数のアイコンが、提示された後、端末は、ユーザによって入力され、タッチスクリーン上の任意のポイントを開始ポイントとして使用して上垂直方向にスライドすることによって獲得される、スライディング軌道を獲得する。端末は、スライディング軌道の開始位置をセンタ位置にマッピングし、スライディング軌道に従って、現在の操作ベクトルが上垂直方向であることを決定し、上垂直方向にあるショートカット、例えば、ＷｅＣｈａｔアイコンを決定し、ＷｅＣｈａｔアイコンを動作させ、ＷｅＣｈａｔアプリケーションがその上で動作させられるインターフェースを提示する。
【０１１９】
本発明の実施形態においては、端末の指紋センサは、タッチスクリーンである。スクリーンオフ状態において、タッチスクリーンは、ユーザの人差し指のタッチ操作を獲得し、またはユーザの人差し指の指紋を獲得する。タッチスクリーンが、電源オンにされ、スクリーンが、明るくされ、スクリーンロックインターフェースが、提示される。ユーザの人差し指のタッチ位置は、変わらないままであり、タッチスクリーン上の現在位置が、継続的に押される。タッチスクリーンは、人差し指の指紋を獲得し、アイデンティティ認証を実行し、アンロッキング操作を実行する。端末が、アンロッキング後のインターフェースを提示した後、ユーザの人差し指のタッチ位置は、まだ変わらないままであり、タッチスクリーン上の現在位置が、継続的に押される。タッチスクリーンは、人差し指の指紋を獲得し、指紋を事前に記憶された指紋イベントと比較し、アンロッキング後のインターフェース上に、いくつかのショートカットを、例えば、ｍｉｃｒｏｂｌｏｇアイコンＡ、およびＷｅＣｈａｔアイコンＢ、または別の例として、連絡先Ａの電話番号、および連絡先Ｂの電話番号を提示する。端末は、タッチスクリーン上における人差し指のスライディング操作を獲得し、スライディング方向を獲得し、スライディング方向に従って、ショートカットを決定し、ショートカットを動作させ、例えば、ｍｉｃｒｏｂｌｏｇアプリケーション、もしくはＷｅＣｈａｔアプリケーションをオープンし、または別の例として、連絡先Ａに電話を掛け、もしくは連絡先Ｂに電話を掛ける。
【０１２０】
任意選択の実施形態においては、異なる指紋は、異なるショートカットに対応していてよい。特に、端末は、異なる指紋と異なるショートカットとの間の対応を事前に記憶してよい。１つの種類の指紋は、１つの種類のショートカットに対応しており、例えば、ユーザの人差し指は、通信の種類に属するアプリケーションのショートカットに対応しており、中指は、ゲームの種類に属するアプリケーションのショートカットに対応している。本明細書における種類は、ユーザによる分類によって獲得されてよく、またはユーザがアプリケーションのＡＰＫをダウンロードしたときに伝えられた、元のカテゴリ情報であってよい。代替として、１つの種類の指紋は、選別ルールに従って、選別によって獲得された、ショートカットに対応していてよい。例えば、ユーザの人差し指は、時間期間内においてユーザによって頻繁にタップされた、特定の数量のアプリケーションのショートカット、例えば、先週中にユーザによって頻繁に動作させられた、５つのアプリケーションのショートカットに対応している。中指は、現在の環境パラメータ情報に従った決定を実行することによって、おそらくは現在の環境において使用されると思われる、特定の数量のアプリケーションのショートカットに対応している。例えば、現在の環境パラメータ情報に従って、ユーザが戸外にいると決定された場合、天気の種類に属するアプリケーション、および交通の種類に属するアプリケーションなどの、アプリケーションが、使用されてよい。ショートカット選択を多様化し、ユーザ操作を容易にするために、ユーザが、ユーザの使用習慣に従って、異なる設定を実行することができるように、異なる指紋は、異なるショートカットに対応している。
【０１２１】
任意選択の実施形態においては、異なる指紋は、異なるショートカット配置に対応していてよい。特に、端末は、異なる指紋と異なるショートカット配置ルールとの間の対応を事前に記憶してよい。配置ルールは、ショートカット数量ルール、ショートカット配置パターンルール、ショートカット配置位置ルール、またはショートカット配置間隔ルールなどのうちの少なくとも１つを含んでよい。ショートカット数量ルールは、ショートカットの数量である。例えば、ショートカットの数量は、時間期間内におけるそれの使用頻度が特定の値を超えた、すべてのアプリケーションのショートカットの数量、例えば、１日のうちに１１回以上使用された、アプリケーションのショートカットの数量であってよく、または特定の比率に従って提示される、アプリケーションのショートカットの数量、例えば、最も頻繁に使用された、最初の５つのアプリケーションのショートカットの数量であってよく、または５回など、固定された値であってよい。固定された値は、システムによって事前に設定されてよく、またはユーザによって定義されてよい。ショートカット配置パターンルールは、ショートカット配置形態である。例えば、タッチスクリーン上の座標点が、センタとして使用される。図４に示されるように、ショートカットは、座標点の周りに小区画が集まった形状で配置され、または長方形形状で配置され、またはユーザによって定義されたパターンで配置される。ショートカット配置位置ルールは、ショートカットがスクリーン上において提示される位置を定義する。例えば、ショートカットは、スクリーン上のセンタポイントの位置をセンタとして使用することによって、配置される。ユーザが、端末を、左手を使用することによって保持しているか、それとも右手を使用することによって保持しているかが、ユーザの手持ちステータスに従って、さらに決定されてよく、ユーザが、端末を、左手を使用することによって保持しているとき、端末は、ショートカット配置位置をインテリジェントに調整してよい。端末が、左手を使用することによって保持されているか、それとも右手を使用することによって保持されているかを決定することは、当技術分野における先行技術に属しており、詳細は、本明細書において、さらには説明されない。ショートカット配置間隔ルールは、複数のショートカット間の相互間隔を意味する。例えば、デフォルトで８つのショートカットが、システムによって提示される。ショートカットは、半径が０．５センチメートルの円で配置され、または半径が１センチメートルの円で配置される。特定のルールは、アプリケーションのために、互いに組み合わされてよく、ルールは、ユーザによって設定されてよく、またはシステムによって事前に設定されてよい。ユーザが、ユーザの使用習慣に従って、ユーザが好む配置形態を設定することができ、それによって、カスタマイズを実施し、ユーザエクスペリエンスを改善するように、異なる指紋は、異なるショートカット配置ルールに対応している。
【０１２２】
可能な実施においては、指紋ジェスチャまたは指紋を獲得した後、端末の指紋センサは、指紋ジェスチャが、事前に設定された指紋ジェスチャとマッチするかどうかを決定し、または指紋が、事前に設定された指紋とマッチするかどうかを決定する。指紋ジェスチャが、事前に設定された指紋ジェスチャとマッチしたとき、または指紋が、事前に設定された指紋とマッチしたとき、端末のスクリーン上のいずれかの座標点が、獲得され、座標点が、センタとして使用され、対応するショートカットが、事前に設定された配置方式で、座標点の周りに提示される。タッチスクリーン上のいずれかのポイントにおけるユーザのスライディング操作が、獲得され、タッチスクリーン上のいずれかのポイントにおけるユーザのスライディング操作が、座標点を開始ポイントとして使用するスライディング操作にマッピングされる。座標点を開始ポイントとして使用するスライディング操作を獲得した後、端末は、スライディング操作のスライディング方向を獲得し、スライディング方向に対応するショートカットを動作させる。このように、端末が、指紋を認証し、ショートカットを提示した後、ユーザは、もはや、ショートカットを動作させるために、特定の位置においてショートカットをタップする必要はなく、それによって、ユーザ操作の利便性を改善する。
【０１２３】
可能な実施においては、指紋ジェスチャが、事前に設定された指紋ジェスチャとマッチしたとき、または指紋が、事前に設定された指紋とマッチしたとき、ユーザが、現在、端末を、左手を使用することによって操作しているか、それとも右手を使用することによって操作しているかを決定するために、端末は、センサを使用することによって、ユーザが、端末を、左手を使用することによって保持しているか、それとも右手を使用することによって保持しているかをさらに決定してよい。さらに、配置位置または配置パターンなどの、ショートカット配置ルールは、ユーザが、端末を、左手を使用することによって操作しているか、それとも右手を使用することによって操作しているかに従って、決定される。例えば、ユーザが、端末を、右手を使用することによって操作しているとき、ユーザが、素早く便利にショートカットを選択することができ、それによって、ユーザの使用利便性を改善するように、ショートカットは、端末のディスプレイスクリーン上の下方右隅に、扇形形状で提示されてよい。
【０１２４】
可能な実施においては、指紋ジェスチャまたは指紋を獲得した後、端末の指紋センサは、指紋ジェスチャが、事前に設定された指紋ジェスチャとマッチするかどうかを決定し、または指紋が、事前に設定された指紋とマッチするかどうかを決定する。指紋ジェスチャが、事前に設定された指紋ジェスチャとマッチしたとき、または指紋が、事前に設定された指紋とマッチしたとき、端末のスクリーン上のいずれかの座標点が、獲得され、座標点が、センタとして使用され、対応するショートカットが、事前に設定された配置方式で、座標点の周りに提示される。指紋センサ上におけるユーザのスライディング操作が、獲得され、指紋センサ上におけるユーザのスライディング操作が、座標点を開始ポイントとして使用するスライディング操作にマッピングされる。座標点を開始ポイントとして使用するスライディング操作を獲得した後、端末は、スライディング操作のスライディング方向を獲得し、スライディング方向に対応するショートカットを動作させる。このように、ユーザは、指紋センサを操作するだけで、ショートカットを選択し、動作させることができ、ユーザは、ショートカットを決定した後、選択のためにタッチスクリーンをタップする必要はなく、それによって、タッチ効率性を大きく改善する。
【０１２５】
実際の製品実施の間、以下のシナリオが、生じてよい。端末の指紋センサは、相対的に小さいタッチエリアを有し、スライディング方向は、正確に検出されることができない。可能な実施においては、指紋ジェスチャ認識または指紋認識が実行され、ショートカットがディスプレイスクリーン上に提示された後、ショートカットを決定するために、タッチスクリーン、または端末の他の任意のタッチコンポーネントが、さらに使用されて、スクリーンまたは操作コンポーネント上においてユーザによって実行された操作の操作ベクトルの方向を決定してよい。例えば、Ｍａｔｅ  ７の背面上の指紋コンポーネントが、人差し指または中指の指紋ジェスチャを認識した後、ショートカットが、表示される。親指が、スクリーン上においてある方向にスライドしたとき、対応する方向におけるショートカットが、選択され、実行される。親指は、スクリーン上の任意の位置において操作されてよく、端末は、操作ベクトルの方向情報を決定しさえすればよく、方向情報に従って、ショートカットを決定する。
【０１２６】
製品実施の間、端末がスクリーンロック状態にあるシナリオが、さらに生じてよい。可能な実施においては、指紋ジェスチャまたは指紋が、ショートカットを提示するために使用されるとき、指紋ジェスチャまたは指紋は、アンロッキングのためにさらに使用されてよい。すなわち、端末が、スクリーンロック状態にあるとき、すなわち、端末が、現在、スクリーンロックインターフェースを提示しているとき、端末は、指紋センサを使用することによってユーザによって入力された指紋イベントを獲得する。指紋イベントが、事前に設定された指紋イベントとマッチするとき、端末は、アンロッキング操作を実行し、アンロッキング後に、ディスプレイスクリーン上に提示されたインターフェース上に、対応するショートカットを提示する。可能な実施においては、スクリーンロック状態において、指紋ジェスチャまたは指紋が、アンロッキングのために使用されることができない場合、端末は、ユーザによって入力されたアンロッキング命令を獲得し、アンロッキング命令に従って、スクリーンロック状態を終了させる。端末は、ユーザによって入力された指紋ジェスチャまたは指紋を獲得し、指紋ジェスチャまたは指紋を認証することを試み、認証が成功したとき、対応するショートカットを提示する。代替として、可能な実施においては、指紋ジェスチャまたは指紋が、ショートカットを提示するために使用されるとき、指紋ジェスチャまたは指紋は、アンロッキングのために使用されない。代わりに、ユーザによって操作コンポーネントをトリガすることによって生成された操作ベクトルが、獲得された後、端末が、アンロッキング後のスクリーン上において、操作ベクトルに対応するショートカットを動作させることができ、さらに動作結果を提示することができるように、アンロッキングが、実行される。代替として、可能な実施においては、操作ベクトルに対応するショートカットの動作結果が、最終的に提示されるときにだけ、アンロック状態に入ってよい。すなわち、端末は、ショートカットが動作させられるときは、まだスクリーンロック状態にあり、ショートカットの動作結果が、提示されるとき、端末は、アンロック状態になる。もちろん、可能な実施においては、操作ベクトルに対応するショートカットの動作結果は、スクリーンロックインターフェース上に提示されてよい。これは、限定ではない。端末のスクリーンロックインターフェースは、端末がユーザの必要性をタイムリな方式で知り、それによって、異なる状態において端末を操作する利便性を改善し、ユーザエクスペリエンスを改善するように、検討される。
【０１２７】
製品実施の間、端末がスクリーンオフ状態にあるシナリオが、さらに生じてよい。可能な実施においては、端末は、スクリーンがオフである状態にあり、スクリーンは、ロックされていない。スクリーンオフ状態において、端末は、ユーザによって入力された指紋ジェスチャまたは指紋を獲得し、スクリーンを明るくし、指紋ジェスチャまたは指紋が、事前に設定された指紋イベントとマッチするかどうかを、認証によって、決定することを試み、認証結果が、指紋ジェスチャまたは指紋が、事前に設定された指紋イベントとマッチするというものであるとき、現在のインターフェース上に対応するショートカットを提示する。可能な実施においては、端末は、スクリーンオフ状態およびスクリーンロック状態の両方にある。このケースにおいては、指紋ジェスチャまたは指紋は、ショートカットを呼び出すために使用されてよく、アンロッキングのためにさらに使用されてよい。すなわち、スクリーンオフ状態において、端末は、ユーザによって入力された指紋ジェスチャまたは指紋を獲得する。端末は、スクリーンを明るくし、指紋ジェスチャまたは指紋が、事前に設定された指紋イベントとマッチするかどうかを、認証によって、決定することを試みる。認証結果が、指紋ジェスチャまたは指紋が、事前に設定された指紋イベントとマッチするというものであるとき、端末は、アンロッキング操作を実行し、アンロッキング後に、ディスプレイスクリーン上に提示されたインターフェース上に、対応するショートカットを提示する。スクリーンを明るくし、端末によって認証を実行する操作は、同時に実行されてよく、または要件に従って、順番に実行されてよいことに留意されたい。ユーザの知覚の観点からは、指紋イベントが入力された後、端末は、最初に、スクリーンを明るくし、スクリーンロックインターフェースを提示し、次に、アンロッキング後のインターフェースを表示し、さらに、アンロッキング後のインターフェース上に、対応するショートカットを提示する。
【０１２８】
本発明の実施形態においては、図３に示される方法において、方法は、ユーザによって入力された指紋イベントが、事前に設定された指紋イベントとマッチしない場合、スクリーンロックインターフェースを提示するステップであって、少なくとも１つのショートカットが、スクリーンロックインターフェース上に提示される、ステップと、指紋センサ上におけるユーザのスライディング操作を獲得するステップと、指紋センサ上におけるユーザのスライディング方向に従って、スクリーンロックインターフェース上に提示された少なくとも１つのショートカットのうちの第２のショートカットを決定するステップと、第２のショートカットを動作させ、動作結果を提示するステップとをさらに含む。第２のショートカットがカメラアプリケーションのアイコンである例が、使用される。事前に設定された指紋イベントが、人差し指の指紋であり、ユーザによって入力された指紋が、親指の指紋である場合、このケースにおいては、端末は、事前に設定された指紋イベントと、ユーザによって入力された指紋イベントが、マッチしないことを、認証によって、決定し、スクリーンロックインターフェースを提示する。カメラアプリケーションのショートカットが、スクリーンロックインターフェース上に提示される。例えば、カメラアプリケーションは、端末の現在のディスプレイスクリーン上の下方右隅に提示される。指紋センサ上におけるユーザのスライディング操作が、獲得される。スライディング操作は、任意の指を使用することによって実行されてよく、または事前に設定された指紋だけを使用して実行されてよい。指紋センサ上におけるユーザのスライディング操作が、上方向のスライディング操作であると決定されたとき、カメラアプリケーションが、動作させられ、ビューファインダが、提示される。この実施形態においては、ユーザが、指紋センサ上においてスライディング操作を実行することによって、対応するショートカットをオープンすることができ、ユーザが、操作を実行するためにタッチスクリーンへと指を移動させることなく、素早く便利にショートカットを動作させることができ、それによって、操作持続時間を短縮し、操作効率性を改善するように、ショートカットは、スクリーンロックインターフェース上に提示される。
【０１２９】
本発明の実施形態においては、図１に示されるように、本発明のこの実施形態は、モバイル端末をさらに提供する。モバイル端末は、図３に示される方法、または方法の実施形態における任意の方法手順を実行するために、使用されてよい。それと同じまたは対応する技術的特徴については、方法の実施形態における記述を参照されたい。モバイル端末は、ユーザによって入力された指紋イベントを獲得するように構成された、入力デバイス１０２と、ユーザによって入力された指紋イベントが、事前に設定された指紋イベントとマッチする場合、少なくとも１つのショートカットを提示するように構成された、出力デバイス１０５と、ユーザによってモバイル端末を操作することによって入力される操作ベクトルを獲得するように構成された、少なくとも１つの操作コンポーネント１０４と、操作ベクトルに従って、少なくとも１つのショートカットのうちの第１のショートカットを動作させるように構成された、プロセッサ１０１とを含む。出力デバイス１０５は、プロセッサ１０１が第１のショートカットを動作させた後、動作結果を提示するようにさらに構成される。任意選択で、出力デバイス１０５は、ディスプレイスクリーンであってよく、または投影機能を有するプロジェクタであってよい。本明細書における、操作コンポーネント１０４および入力デバイス１０２は、一般的な言及にすぎないことに留意されたい。実際の製品実施の間、操作コンポーネント１０４と入力デバイス１０２は、同じデバイスであってよい。例えば、操作コンポーネント１０４および入力デバイス１０２は、ともに、指紋センサである。操作コンポーネント１０４と入力デバイス１０２は、異なるデバイスであってよい。例えば、入力デバイスは、指紋センサであり、操作コンポーネントは、タッチスクリーンである。端末は、電力をモバイル端末に供給するように構成された、電源１０６をさらに含み、モバイル端末のための対応するコードなどを記憶するように構成された、メモリ１０３をさらに含む。本発明のこの実施形態においては、ユーザが、便利に素早くショートカットを動作させることができ、それによって、操作持続時間を短縮し、操作効率性を改善するように、ショートカットが、指紋イベント間のマッチングを実行することによって提示され、動作させられるショートカットは、ユーザによってモバイル端末を操作することによって生成される操作ベクトルに従って決定され、ショートカットが、動作させられ、動作結果が、提示される。
【０１３０】
モバイル端末の実施形態においては、少なくとも１つの操作コンポーネントは、指紋センサであってよい。少なくとも１つの操作コンポーネントが、ユーザによってモバイル端末を操作することによって入力された操作ベクトルを獲得するように構成されることは、特に、指紋センサが、指紋センサ上におけるユーザのスライディング方向を獲得するように構成されることである。プロセッサは、指紋センサ上におけるユーザのスライディング方向に従って、少なくとも１つのショートカットのうちの第１のショートカットを決定し、第１のショートカットを動作させるように特に構成される。
【０１３１】
モバイル端末の実施形態においては、少なくとも１つの操作コンポーネントは、タッチスクリーンであってよい。少なくとも１つの操作コンポーネントが、ユーザによってモバイル端末を操作することによって入力された操作ベクトルを獲得するように構成されることは、特に、タッチスクリーンが、タッチスクリーン上におけるユーザのスライディング方向を獲得するように構成されることである。プロセッサは、タッチスクリーン上におけるユーザのスライディング方向に従って、少なくとも１つのショートカットのうちの第１のショートカットを決定し、第１のショートカットを動作させるように特に構成される。
【０１３２】
モバイル端末の実施形態においては、任意選択で、出力デバイスは、入力デバイスがユーザによって入力された指紋イベントを獲得する前に、スクリーンロックインターフェースを提示するようにさらに構成される。プロセッサは、ユーザによって入力された指紋イベントが、事前に設定された指紋イベントとマッチする場合、アンロッキング操作を実行するようにさらに構成される。出力デバイスは、プロセッサがアンロッキング操作を実行した後、少なくとも１つのショートカットを提示するように特に構成される。
【０１３３】
モバイル端末の実施形態においては、任意選択で、出力デバイスは、入力デバイスがユーザによって入力された指紋イベントを獲得する前に、スクリーンロックインターフェースを提示するようにさらに構成される。出力デバイスは、ユーザによって入力された指紋イベントが、事前に設定された指紋イベントとマッチする場合、スクリーンロックインターフェース上に少なくとも１つのショートカットを提示するように特に構成される。出力デバイスは、プロセッサが少なくとも１つのショートカットのうちの第１のショートカットを動作させた後、スクリーンロックインターフェース上に動作結果を提示するように特に構成される。
【０１３４】
モバイル端末の実施形態においては、任意選択で、出力デバイスは、入力デバイスがユーザの指紋イベントを獲得する前に、スクリーンオフ状態を提示するようにさらに構成される。出力デバイスは、ユーザによって入力された指紋イベントが、事前に設定された指紋イベントとマッチする場合、電源オン操作を実行し、スクリーンを明るくし、少なくとも１つのショートカットを提示するように特に構成される。
【０１３５】
モバイル端末の実施形態においては、入力デバイスは、指紋センサである。出力デバイスは、ユーザによって入力された指紋イベントが、事前に設定された指紋イベントとマッチしない場合、スクリーンロックインターフェースを提示するようにさらに構成され、少なくとも１つのショートカットは、スクリーンロックインターフェース上に提示される。指紋センサは、出力デバイスがスクリーンロックインターフェースを提示した後、指紋センサ上におけるユーザのスライディング方向を獲得するようにさらに構成される。プロセッサは、指紋センサ上におけるユーザのスライディング方向に従って、スクリーンロックインターフェース上に提示された少なくとも１つのショートカットのうちの第２のショートカットを決定し、第２のショートカットを動作させるようにさらに構成される。出力デバイスは、プロセッサが第２のショートカットを動作させた後、動作結果を提示するようにさらに構成される。
【０１３６】
モバイル端末の実施形態においては、出力デバイスが少なくとも１つのショートカットを提示することは、出力デバイスが、事前に設定された配置ルールに従って、現在提示されている第１のインターフェース上の事前に設定された領域内に、少なくとも１つのショートカットを提示すること、または出力デバイスが、第１のインターフェースから第２のインターフェースへの切り換えを実行し、事前に設定された配置ルールに従って、第２のインターフェース上の事前に設定された領域内に、少なくとも１つのショートカットを提示することであって、第１のインターフェースは、出力デバイスの現在提示されているインターフェースである、提示すること、または出力デバイスが、現在提示されている第１のインターフェース上に一時停止インターフェースを提示し、事前に設定された配置ルールに従って、一時停止インターフェース上に、少なくとも１つのショートカットを提示することを含む。
【０１３７】
モバイル端末の実施形態においては、出力デバイスは、少なくとも１つのショートカットを提示した後、少なくとも１つの操作コンポーネントが、事前に設定された持続時間内に、ユーザによってモバイル端末を操作することによって入力される操作ベクトルを獲得しない場合、スクリーンロックインターフェースを提示するようにさらに構成される。代替として、出力デバイスは、少なくとも１つのショートカットを提示した後、少なくとも１つの操作コンポーネントが、事前に設定された持続時間内に、ユーザによってモバイル端末を操作することによって入力される操作ベクトルを獲得しない場合、システムアプリケーションインターフェースを提示するようにさらに構成される。
【０１３８】
モバイル端末の実施形態においては、入力デバイスは、指紋センサを含む。入力デバイスが、ユーザによって入力された指紋イベントを獲得することは、指紋センサが、ユーザによって入力された指紋を獲得すること、または指紋センサが、ユーザによって入力された第１の指紋ジェスチャを獲得することであって、第１の指紋ジェスチャは、特定の指紋を使用することによって指紋センサ上においてユーザによって実行される、タップ操作、ダブルタップ操作、タッチアンドホールド操作、もしくはスライディング操作のうちの少なくとも１つである、獲得すること、または入力デバイスが、ユーザによって入力された第２の指紋ジェスチャを獲得することであって、第２の指紋ジェスチャは、特定の指紋を使用することによってユーザによって指紋センサをトリガすることによって生成される操作と、ユーザによって別の操作コンポーネントをトリガすることによって生成される操作との組み合わせである、獲得することを含む。
【０１３９】
モバイル端末の実施形態においては、異なる指紋イベントは、異なるショートカットに対応している。
【０１４０】
モバイル端末の実施形態においては、出力デバイスは、事前に設定された配置ルールに従って、少なくとも１つのショートカットを提示するように特に構成され、異なる指紋イベントは、異なるショートカット配置ルールに対応している。配置ルールは、ショートカット数量ルール、ショートカット配置パターンルール、ショートカット配置位置ルール、またはショートカット配置間隔ルールのうちの少なくとも１つを含む。
【０１４１】
モバイル端末の実施形態においては、出力デバイスによって表示されるショートカットは、アプリケーションプログラムのショートカット、特定の機能のショートカット、または特定のアプリケーションの内部要素のショートカットのうちの少なくとも１つを含む。
【０１４２】
本発明の実施形態においては、図１１に示されるように、本発明のこの実施形態は、装置をさらに提供する。装置は、図３に示される方法、または方法の実施形態における任意の方法手順を実行するために、使用されてよい。それと同じまたは対応する技術的特徴については、方法の実施形態における記述を参照されたい。装置は、ユーザによって入力された指紋イベントを獲得するように構成された、指紋イベント獲得モジュール１１０１と、ユーザによって入力された指紋イベントが、事前に設定された指紋イベントとマッチする場合、少なくとも１つのショートカットを提示するように構成された、ショートカット提示モジュール１１０２と、ユーザによってモバイル端末の少なくとも１つの操作コンポーネントを操作することによって生成される操作ベクトルを獲得するように構成された、操作ベクトル獲得モジュール１１０３と、操作ベクトルに従って、少なくとも１つのショートカットのうちの第１のショートカットを動作させるように構成された、動作モジュール１１０４と、動作モジュールが第１のショートカットを動作させた後、動作結果を提示するように構成された、結果提示モジュール１１０５とを含む。本発明のこの実施形態においては、ユーザが、便利に素早くショートカットを動作させることができ、それによって、操作持続時間を短縮し、操作効率性を改善するように、ショートカットが、指紋イベント間のマッチングを実行することによって提示され、動作させられるショートカットは、ユーザによってモバイル端末を操作することによって生成される操作ベクトルに従って決定され、ショートカットが、動作させられ、動作結果が、提示される。
【０１４３】
モバイル端末の実施形態においては、少なくとも１つの操作コンポーネントは、指紋センサであってよい。操作ベクトル獲得モジュールは、指紋センサ上におけるユーザのスライディング方向を獲得するように特に構成される。動作モジュールは、指紋センサ上におけるユーザのスライディング方向に従って、少なくとも１つのショートカットのうちの第１のショートカットを決定し、第１のショートカットを動作させるように特に構成される。
【０１４４】
モバイル端末の実施形態においては、少なくとも１つの操作コンポーネントは、タッチスクリーンである。操作ベクトル獲得モジュールは、タッチスクリーン上におけるユーザのスライディング方向を獲得するように特に構成される。動作モジュールは、タッチスクリーン上におけるユーザのスライディング方向に従って、少なくとも１つのショートカットのうちの第１のショートカットを決定し、第１のショートカットを動作させるように特に構成される。
【０１４５】
モバイル端末の実施形態においては、任意選択で、装置は、第１のスクリーンロック提示モジュールをさらに含む。第１のスクリーンロック提示モジュールは、指紋イベント獲得モジュールがユーザによって入力された指紋イベントを獲得する前に、スクリーンロックインターフェースを提示するように構成される。ショートカット提示モジュールは、ユーザによって入力された指紋イベントが、事前に設定された指紋イベントとマッチする場合、アンロッキング操作を実行し、アンロッキング後に、事前に設定された配置ルールに従って、少なくとも１つのショートカットを提示するように特に構成される。
【０１４６】
モバイル端末の実施形態においては、任意選択で、装置は、第２のスクリーンロック提示モジュールをさらに含む。第２のスクリーンロック提示モジュールは、指紋イベント獲得モジュールがユーザによって入力された指紋イベントを獲得する前に、スクリーンロックインターフェースを提示するように構成される。ショートカット提示モジュールは、ユーザによって入力された指紋イベントが、事前に設定された指紋イベントとマッチする場合、スクリーンロックインターフェース上に少なくとも１つのショートカットを提示するように特に構成される。結果提示モジュールは、動作モジュールが少なくとも１つのショートカットのうちの第１のショートカットを動作させた後、スクリーンロックインターフェース上に動作結果を提示するように特に構成される。代替として、結果提示モジュールは、動作モジュールが少なくとも１つのショートカットのうちの第１のショートカットを動作させた後、動作結果をアンロック状態で提示するように特に構成される。
【０１４７】
モバイル端末の実施形態においては、任意選択で、装置は、スクリーンオフ制御モジュールをさらに含む。スクリーンオフ制御モジュールは、指紋イベント獲得モジュールがユーザによって入力された指紋イベントを獲得する前に、モバイル端末がスクリーンオフ状態を提示することを可能にするように構成される。ショートカット提示モジュールは、ユーザによって入力された指紋イベントが、事前に設定された指紋イベントとマッチする場合、スクリーンを明るくし、少なくとも１つのショートカットを提示するように特に構成される。
【０１４８】
モバイル端末の実施形態においては、装置は、ユーザによって入力された指紋イベントが、事前に設定された指紋イベントとマッチしない場合、スクリーンロックインターフェースを提示するように構成された、第３のスクリーンロック提示モジュールであって、少なくとも１つのショートカットが、スクリーンロックインターフェース上に提示される、第３のスクリーンロック提示モジュールをさらに含む。操作ベクトル獲得モジュールは、指紋センサ上におけるユーザのスライディング方向を獲得するようにさらに構成される。動作モジュールは、指紋センサ上におけるユーザのスライディング方向に従って、スクリーンロックインターフェース上に提示された少なくとも１つのショートカットのうちの第２のショートカットを決定し、第２のショートカットを動作させるようにさらに構成される。結果提示モジュールは、動作モジュールが第２のショートカットを動作させた後、動作結果を提示するようにさらに構成される。
【０１４９】
モバイル端末の実施形態においては、ショートカット提示モジュールが少なくとも１つのショートカットを提示することは、ショートカット提示モジュールが、事前に設定された配置ルールに従って、現在提示されている第１のインターフェース上の事前に設定された領域内に、少なくとも１つのショートカットを提示すること、またはショートカット提示モジュールが、第１のインターフェースから第２のインターフェースへの切り換えを実行し、事前に設定された配置ルールに従って、第２のインターフェース上の事前に設定された領域内に、少なくとも１つのショートカットを提示することであって、第１のインターフェースは、現在提示されているインターフェースである、提示すること、またはショートカット提示モジュールが、現在提示されている第１のインターフェース上に一時停止インターフェースを提示し、事前に設定された配置ルールに従って、一時停止インターフェース上に、少なくとも１つのショートカットを提示することを含む。
【０１５０】
モバイル端末の実施形態においては、装置は、タイミング提示モジュールをさらに含む。タイミング提示モジュールは、ショートカット提示モジュールが少なくとも１つのショートカットを提示した後、ユーザによってモバイル端末の少なくとも１つの操作コンポーネントを操作することによって生成される操作ベクトルが、事前に設定された持続時間内に獲得されないとき、スクリーンロックインターフェースを提示するように構成される。代替として、タイミング提示モジュールは、ショートカット提示モジュールが少なくとも１つのショートカットを提示した後、ユーザによってモバイル端末の少なくとも１つの操作コンポーネントを操作することによって生成される操作ベクトルが、事前に設定された持続時間内に獲得されないとき、システムアプリケーションインターフェースを提示するように構成される。
【０１５１】
モバイル端末の実施形態においては、指紋イベント獲得モジュールは、ユーザによって入力された指紋を獲得するように特に構成される。代替として、指紋イベント獲得モジュールは、ユーザによって入力された第１の指紋ジェスチャを獲得するように特に構成され、第１の指紋ジェスチャは、特定の指紋を使用することによって指紋センサ上においてユーザによって実行される、タップ操作、ダブルタップ操作、タッチアンドホールド操作、またはスライディング操作のうちの少なくとも１つである。代替として、指紋イベント獲得モジュールは、ユーザによって入力された第２の指紋ジェスチャを獲得するように特に構成され、第２の指紋ジェスチャは、特定の指紋を使用することによってユーザによって指紋センサをトリガすることによって生成される操作と、ユーザによって別の操作コンポーネントをトリガすることによって生成される操作との組み合わせである。
【０１５２】
モバイル端末の実施形態においては、指紋イベント獲得モジュールによって獲得される異なる指紋イベントは、異なるショートカットに対応している。
【０１５３】
モバイル端末の実施形態においては、ショートカット提示モジュールは、事前に設定された配置ルールに従って、少なくとも１つのショートカットを提示するように特に構成され、指紋イベント獲得モジュールによって獲得される異なる指紋イベントは、異なるショートカット配置ルールに対応している。配置ルールは、ショートカット数量ルール、ショートカット配置パターンルール、ショートカット配置位置ルール、またはショートカット配置間隔ルールのうちの少なくとも１つを含む。
【０１５４】
モバイル端末の実施形態においては、ショートカット提示モジュールによって提示されるショートカットは、アプリケーションプログラムのショートカット、特定の機能のショートカット、または特定のアプリケーションの内部要素のショートカットのうちの少なくとも１つを含む。
【０１５５】
図１２に示されるように、図１２は本発明の実施形態に従った、指紋認識を用いる操作方法のフローチャートである。方法は、以下のステップを含む。
【０１５６】
Ｓ１２０１。指紋センサを使用することによって、ユーザによって入力された指紋イベントを獲得する。
【０１５７】
具体的には、Ｓ１０１における記述を参照されたく、詳細は、ここでは説明されない。
【０１５８】
Ｓ１２０２。ユーザによって入力された指紋イベントが、事前に設定された指紋イベントとマッチしないとき、スクリーンロックインターフェースを提示し、少なくとも１つのショートカットは、スクリーンロックインターフェース上に提示され、ショートカットは、アプリケーションプログラムのショートカット、特定の機能のショートカット、または特定のアプリケーションの内部要素のショートカットのうちの少なくとも１つを含む。
【０１５９】
ユーザによって入力された指紋イベントが、指紋画像であるとき、ユーザによって入力された指紋イベントが、事前に設定された指紋イベントとマッチしないことは、ユーザによって入力された指紋画像が、すべての事前に記憶された画像と異なること、または類似性が、すべて、事前に設定された閾値よりも小さいことを含む。
【０１６０】
ユーザによって入力された指紋イベントが、ユーザによって指紋センサにタッチする指紋ジェスチャであるとき、すなわち、特定の指紋を使用することによって指紋センサ上においてユーザによって実行される、タップ操作、ダブルタップ操作、タッチアンドホールド操作、またはスライディング操作のうちの少なくとも１つであるとき、ユーザによって入力された指紋イベントが、事前に設定された指紋イベントとマッチしないことは、ユーザによって指紋センサにタッチするための指紋が、指紋ジェスチャの事前に設定された指紋と異なること、または指紋センサ上において実行された操作が、異なること、または操作間の類似性が、事前に設定された閾値よりも小さいことを含む。
【０１６１】
ユーザによって入力された指紋イベントが、ユーザによって指紋センサにタッチする指紋ジェスチャであるとき、すなわち、特定の指紋を使用することによってユーザによって指紋センサをトリガすることによって生成される操作命令と、ユーザによって別の操作コンポーネントをトリガすることによって生成される操作命令との組み合わせであるとき、ユーザによって入力された指紋イベントが、事前に設定された指紋イベントとマッチしないことは、ユーザによって指紋センサにタッチするための指紋が、指紋ジェスチャの事前に設定された指紋と異なること、またはユーザによってタッチされる他の操作コンポーネントが、異なること、またはユーザによって他のコンポーネントにタッチするための操作が、異なること、もしくは偏差が、事前に設定された範囲内に入らないことを含む。
【０１６２】
少なくとも１つのショートカットは、スクリーンロックインターフェース上に、例えば、上述の説明における複数のショートカット配置形態で提示されてよい。代替として、ただ１つのショートカット、例えば、カメラアプリケーションのアイコンが、スクリーンロックインターフェース上に存在してよい。
【０１６３】
Ｓ１２０３。指紋センサ上におけるユーザのスライディング方向を獲得する。
【０１６４】
ユーザは、指紋センサ上においてスライディング操作を実行し、端末は、ユーザのスライディング軌道を獲得し、スライディング操作のスライディング方向を決定する。
【０１６５】
Ｓ１２０４。指紋センサ上におけるユーザのスライディング方向に従って、スクリーンロックインターフェース上に提示された少なくとも１つのショートカットのうちの第２のショートカットを決定する。
【０１６６】
上述の実施形態において説明されたように、スクリーンロックインターフェースが、複数のショートカットを含むとき、指紋センサ上におけるスライディング開始ポイントは、複数のショートカットのセンタポイントにマッピングされてよく、センタポイントに対応するスライディング方向におけるショートカットが、指紋センサによって獲得されるスライディング軌道のスライディング方向に従って、決定される。
【０１６７】
スクリーンロックインターフェースが、ただ１つのショートカットを含むとき、ショートカットは、ディスプレイスクリーンのエッジ上に配置され、スライディング方向は、ショートカットを開始ポイントとして使用する、ディスプレイスクリーンの内側に向かうスライディングによって獲得され、ショートカットが、動作させられる。代替として、スクリーンロックインターフェースが、ただ１つのショートカットを含むとき、ショートカットは、指紋センサ上におけるユーザのスライディングが検出されたならば、動作させられてよい。図１３は、例として使用される。図１３において、ユーザによって入力された指紋イベントが、事前に設定された指紋イベントとマッチしないとき、スクリーンロックインターフェースが、提示される。スクリーンロックインターフェースは、カメラアプリケーションのショートカットを含む。カメラアプリケーションは、端末の現在のディスプレイスクリーン上の下方右隅に提示される。指紋センサ上におけるユーザのスライディング操作が、獲得される。スライディング操作は、任意の指を使用することによって実行されてよく、または事前に設定された指紋だけを使用することによって実行されてよい。指紋センサ上におけるユーザのスライディング操作が、上方向のスライディング操作であることが決定されたとき、すなわち、スライディングが、ディスプレイスクリーンのエッジ上のショートカットを開始ポイントとして使用して、ディスプレイスクリーンの内側に向かって実行されたと決定されたとき、カメラアプリケーションが、動作させられ、カメラアプリケーションにおけるビューファインダが、提示される。この実施形態においては、ユーザが、指紋センサ上においてスライディング操作を実行することによって、対応するショートカットをオープンすることができ、ユーザが、操作を実行するためにタッチスクリーンへと指を移動させることなく、素早く便利にショートカットを動作させることができ、それによって、操作持続時間を短縮し、操作効率性を改善するように、ショートカットは、スクリーンロックインターフェース上に提示される。
【０１６８】
Ｓ１２０５。第２のショートカットを動作させ、動作結果を提示する。
【０１６９】
本発明のこの実施形態においては、指紋イベント認証が、実行され、認証が失敗した場合、端末のセキュリティが改善されるように、スクリーンロックインターフェースが、表示される。加えて、ユーザが、指紋センサ上においてスライディング操作を実行することによって、対応するショートカットをオープンすることができ、ユーザが、操作を実行するためにタッチスクリーンへと指を移動させることなく、素早く便利にショートカットを動作させることができ、それによって、操作持続時間を短縮し、操作効率性を改善するように、ショートカットは、スクリーンロックインターフェース上に提示される。
【０１７０】
本発明の実施形態においては、図１４に示されるように、本発明のこの実施形態は、モバイル端末をさらに提供する。モバイル端末は、図１２の方法の実施形態における方法手順を実行するために、使用されてよい。それと同じまたは対応する技術的特徴については、方法の実施形態における記述を参照されたい。モバイル端末は、指紋センサ１４０２を使用することによってユーザによって入力された指紋イベントを獲得するように構成された、指紋センサ１４０２と、ユーザによって入力された指紋イベントが、事前に設定された指紋イベントとマッチしない場合、スクリーンロックインターフェースを提示するように構成された、出力デバイス１４０５であって、スクリーンロックインターフェースは、少なくとも１つのショートカットを含み、指紋センサ１４０２は、指紋センサ上におけるユーザのスライディング操作を獲得するようにさらに構成される、出力デバイス１４０５と、指紋センサ上におけるユーザのスライディング操作のスライディング方向に従って、スクリーンロックインターフェース上に含まれる少なくとも１つのショートカットのうちの第２のショートカットを決定し、第１のショートカットを動作させるように構成された、プロセッサ１４０１とを含む。出力デバイス１４０５は、プロセッサが第１のショートカットを動作させた後、動作結果を提示するようにさらに構成される。端末は、電力をモバイル端末に供給するように構成された、電源１４０６をさらに含み、モバイル端末のための対応するコードなどを記憶するように構成された、メモリ１４０３をさらに含む。アプリケーションプログラム１４０４などの、対応するソフトウェアが、端末内にさらにインストールされる。端末は、対応するソフトウェアを呼び出すことによって、対応する機能を実行する。指紋イベント認証が、実行され、認証が失敗した場合、端末のセキュリティが改善されるように、スクリーンロックインターフェースが、表示される。加えて、ユーザが、指紋センサ上においてスライディング操作を実行することによって、対応するショートカットをオープンすることができ、ユーザが、操作を実行するためにタッチスクリーンへと指を移動させることなく、素早く便利にショートカットを動作させることができ、それによって、操作持続時間を短縮し、操作効率性を改善するように、ショートカットは、スクリーンロックインターフェース上に提示される。
【０１７１】
本発明の実施形態においては、図１５に示されるように、本発明のこの実施形態は、装置をさらに提供する。装置は、図１２の方法の実施形態における方法手順を実行するために、使用されてよい。それと同じまたは対応する技術的特徴については、方法の実施形態における記述を参照されたい。装置は、ユーザによって入力された指紋イベントを獲得するように構成された、指紋イベント獲得モジュール１５０１と、ユーザによって入力された指紋イベントが、事前に設定された指紋イベントとマッチしない場合、スクリーンロックインターフェースを提示するように構成された、スクリーンロック提示モジュール１５０２であって、スクリーンロックインターフェースは、少なくとも１つのショートカットを含む、スクリーンロック提示モジュール１５０２と、指紋センサ上におけるユーザのスライディング操作を獲得するように構成された、スライディング操作獲得モジュール１５０３と、指紋センサ上におけるユーザのスライディング操作のスライディング方向に従って、スクリーンロックインターフェース上に含まれる少なくとも１つのショートカットのうちの第１のショートカットを決定するように構成された、決定モジュール１５０４と、第１のショートカットを動作させるように構成された、動作モジュール１５０５と、動作モジュールが第１のショートカットを動作させた後、動作結果を提示するように構成された、結果提示モジュール１５０６とを含む。
【０１７２】
本発明のすべての実施において、指紋センサ以外の、虹彩レコグナイザまたは網膜レコグナイザなどの、生物学的特徴レコグナイザが、モバイル端末内にさらにインストールされるとき、端末は、生物学的特徴レコグナイザを使用することによって、本発明の実施形態において説明されたソリューションを実行してよい。以下では、虹彩レコグナイザを例として使用する。虹彩レコグナイザは、事前に記憶された虹彩パターンがローカルに構成された、端末内に配置される。ユーザが、操作を実行するとき、端末は、虹彩レコグナイザを使用することによって、ユーザの虹彩特徴を獲得し、虹彩特徴を事前に記憶された虹彩パラメータとマッチングする。マッチングが成功したとき、端末のディスプレイスクリーンは、図５に示されるインターフェースを提示してよい。端末は、虹彩レコグナイザ、カメラ、または眼球レコグナイザを使用することによって、ユーザの眼球の動き、または視線の動きを収集し、その動きを端末によって認識されることができるイベントに変換する。例えば、ユーザの眼球が上方に動いたと、収集によって、決定したとき、端末は、その動きを、ショートカットのセンタポイントをセンタとして使用することによって、タッチスクリーン上で実行された、上方操作ベクトル方向における、スライディングイベントとして認識する。
【０１７３】
本発明の実施形態においては、「第１の」および「第２の」などの記述は、説明される対象を区別するためだけに使用され、実際的な意味を有さないことに留意されたい。例えば、ポータブル電子デバイスおよび端末などの意味。
【０１７４】
本発明の実施形態における機能モジュールは、１つの処理ユニットモジュールに統合されてよく、またはモジュールの各々は、物理的に単独で存在してよく、または２つ以上のモジュールが、１つのモジュールに統合される。統合されたモジュールは、ハードウェアの形態で実施されてよく、またはソフトウェア機能ユニットに加えて、ハードウェアの形態で実施されてよい。
【０１７５】
便利で簡潔な説明のために、機能モジュールの分割が、説明のための例として使用されることが、当業者によって、明確に理解されてよい。実際の適用においては、上述の機能は、異なる機能モジュールに割り当てられ、要件に従って実施されることができ、すなわち、装置の内部構造は、上で説明された機能の全部または一部を実施するために、異なる機能モジュールに分割される。装置の詳細な動作中の処理については、方法の実施形態における対応する処理を参照されたい。装置の実施原理および技術的効果は、同様であり、同じまたは対応する技術的特徴は、ここでは再び説明されない。
【０１７６】
最後に、実施形態は、本発明の技術的ソリューションを説明するために意図されたものにすぎず、本発明を限定するために意図されたものではいないことに留意されたい。本発明が、実施形態を参照して詳細に説明されたが、当業者は、彼らが、本発明の実施形態の技術的ソリューションの範囲から逸脱することなく、依然として、実施形態において説明された技術的ソリューションに変更を施してよく、またはそれの技術的特徴の一部もしくは全部に等価の置き換えを行ってよいことを理解すべきである。
【国際調査報告】
2018518751.tif 000018
2018518751.tif 000019
2018518751.tif 000020
2018518751.tif 000021